(57)【特許請求の範囲】
【請求項１】
データをエンコードするステップと、
前記エンコードされたデータを含む信号フレームを生成するステップと、
インタリービングシーケンスを使用して、前記信号フレームを含む前記エンコードされたデータを周波数インタリーブするステップと、
前記信号フレーム内の周波数インタリーブされたデータをＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）方式で変調するステップと、
前記変調されたデータを含む放送信号を送信するステップと、
を含み、
前記インタリービングシーケンスは、メインインタリービングシーケンスとシンボルオフセットに基づいて生成され、
前記インタリービングシーケンスを生成する処理は、
前記メインインタリービングシーケンスを生成するステップと、
二つの連続するＯＦＤＭシンボルに対して一定である前記シンボルオフセットを生成するステップと、
前記メインインタリービングシーケンスと前記シンボルオフセットを用いた動作を実行するステップと、
前記動作の実行後に、前記インタリービングシーケンスが前記周波数インタリーブのための許容範囲内であるときに、前記インタリービングシーケンスを出力するステップと、
を含む、放送信号送信方法。
【請求項２】
サービスデータをエンコードするエンコーダと、
前記エンコードされたサービスデータを含む信号フレームをビルドするビルダと、
インタリービングシーケンスを使用して、前記信号フレームを含む前記エンコードされたデータを周波数インタリーブする周波数インタリーバと、
前記信号フレーム内の周波数インタリーブされたデータをＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）方式で変調する変調部と、
前記変調されたデータを含む放送信号を送信する送信部と、
を含み、
前記インタリービングシーケンスは、メインインタリービングシーケンスとシンボルオフセットに基づいて生成され、
前記インタリービングシーケンスを生成する処理は、
前記メインインタリービングシーケンスを生成するステップと、
二つの連続するＯＦＤＭシンボルに対して一定である前記シンボルオフセットを生成するステップと、
前記メインインタリービングシーケンスと前記シンボルオフセットを用いた動作を実行するステップと、
前記動作の実行後に、前記インタリービングシーケンスが前記周波数インタリーブのための許容範囲内であるときに、前記インタリービングシーケンスを出力するステップと、
を含む、放送信号送信装置。
【請求項３】
放送信号を受信するステップと、
前記受信した放送信号をＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）方式で復調するステップと、
デインタリービングシーケンスを使用して、前記復調された信号から信号フレームを周波数デインタリーブするステップと、
前記周波数デインタリーブされたデータをパーシングするステップと、
前記パーシングされたデータをデコードするステップと、
を含み、
前記デインタリービングシーケンスは、メインデインタリービングシーケンスとシンボルオフセットに基づいて生成され、
前記デインタリービングシーケンスを生成する処理は、
前記メインデインタリービングシーケンスを生成するステップと、
二つの連続するＯＦＤＭシンボルに対して一定である前記シンボルオフセットを生成するステップと、
前記メインデインタリービングシーケンスと前記シンボルオフセットを用いた動作を実行するステップと、
前記動作の実行後に、前記デインタリービングシーケンスが前記周波数インタリーブのための許容範囲内であるときに、前記デインタリービングシーケンスを出力するステップと、
を含む、放送信号受信方法。
【請求項４】
放送信号を受信する受信部と、
前記受信した放送信号をＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）方式で復調する復調部と、
デインタリービングシーケンスを使用して、信号フレームに含まれるデータを周波数デインタリーブする周波数デインタリーバと、
前記周波数デインタリーブされたデータをデマッピングするデマッパと、
前記デマッピングされたデータをデコードするデコーダと、
を含み、
前記デインタリービングシーケンスは、メインデインタリービングシーケンスとシンボルオフセットに基づいて生成され、
前記デインタリービングシーケンスを生成する処理は、
前記メインデインタリービングシーケンスを生成するステップと、
二つの連続するＯＦＤＭシンボルに対して一定である前記シンボルオフセットを生成するステップと、
前記メインデインタリービングシーケンスと前記シンボルオフセットを用いた動作を実行するステップと、
前記動作の実行後に、前記デインタリービングシーケンスが前記周波数インタリーブのための許容範囲内であるときに、前記デインタリービングシーケンスを出力するステップと、
を含む、放送信号受信装置。
【発明の詳細な説明】
【技術分野】
【０００１】
本発明は、放送信号送信装置、放送信号受信装置、放送信号を送受信する方法に関する。
【背景技術】
【０００２】
アナログ放送信号の送信が終了するに伴い、デジタル放送信号を送受信する様々な技術が開発されている。デジタル放送信号は、アナログ放送信号よりも多くの量のビデオ／オーディオデータを含むことができ、ビデオ／オーディオデータに加えて、様々なタイプの追加データをさらに含むことができる。
【０００３】
すなわち、デジタル放送システムは、高画質（ＨＤ；ｈｉｇｈ  ｄｅｆｉｎｉｔｉｏｎ）映像、マルチチャネルオーディオ及び様々な追加サービスを提供することができる。しかし、デジタル放送のためには、多量のデータを送信するためのデータ送信効率、送受信ネットワークのロバスト性（ｒｏｂｕｓｔｎｅｓｓ）及びモバイル受信装備を考慮したネットワーク柔軟性が改善される必要がある。
【発明の概要】
【発明が解決しようとする課題】
【０００４】
本発明の目的は、放送信号を送信し、時間領域で２つ以上の異なる放送サービスを提供する放送送受信システムのデータをマルチプレクスし、同一のＲＦ信号帯域幅を介してマルチプレクスされたデータを送信する装置及び方法、及びそれに対応する放送信号を受信する装置及び方法を提供することにある。
【０００５】
本発明の他の目的は、放送信号を送信する装置、放送信号を受信する装置、及び放送信号を送受信して、コンポーネントによってサービスに対応するデータを分類し、各コンポーネントに対応するデータをデータパイプとして送信し、データを受信及び処理する方法を提供することにある。
【０００６】
本発明の他の目的は、放送信号を送信する装置、放送信号を受信する装置、及び放送信号を送受信し、放送信号を提供するのに必要なシグナリング情報をシグナリングする方法を提供することにある。
【課題を解決するための手段】
【０００７】
上記のような目的を達成するための本発明の一実施例に係る放送信号送信方法は、次の通りである。放送信号を送信する方法は、サービスデータをエンコードするステップと、エンコードされたサービスデータを含む少なくとも１つ以上の信号フレームを生成するステップであって、前記少なくとも１つ以上の信号フレームは複数のＯＦＤＭシンボルを含む、ステップと、前記生成された少なくとも１つ以上の信号フレーム内のデータをＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）方式で変調するステップと、前記変調されたデータを含む放送信号を送信するステップとを含むことができる。
【発明の効果】
【０００８】
本発明は、各サービス又はサービスコンポーネントに対するＱｏＳ（Ｑｕａｌｉｔｙ  ｏｆ  Ｓｅｒｖｉｃｅｓ）を制御するサービス特性に応じてデータを処理して様々な放送サービスを提供することができる。
【０００９】
本発明は、同一のＲＦ信号帯域幅を介して様々な放送サービスを送信することによって、送信柔軟性を達成することができる。
【００１０】
本発明は、データ送信効率を改善し、ＭＩＭＯシステムを用いて放送信号の送受信のロバスト性を増加させることができる。
【００１１】
本発明によれば、モバイル受信装備又は室内環境でも、誤りなしにデジタル放送信号を受信可能な放送信号送信及び受信方法、及びその装置を提供することができる。
【図面の簡単な説明】
【００１２】
本発明の追加の理解を提供するために含まれ、本出願の一部に含まれたり、その一部を構成する添付の図面は、本発明の実施例を示し、説明と共に本発明の原理を説明する。
【００１３】
【図１】本発明の実施例によって未来の放送サービスのための放送信号を送信する装置の構造を示す図である。
【図２】本発明の一実施例に係る入力フォーマッティングブロックを示す図である。
【図３】本発明の他の実施例に係る入力フォーマッティングブロックを示す図である。
【図４】本発明の他の実施例に係る入力フォーマッティングブロックを示す図である。
【図５】本発明の実施例に係るＢＩＣＭブロックを示す図である。
【図６】本発明の他の実施例に係るＢＩＣＭブロックを示す図である。
【図７】本発明の一実施例に係るフレームビルディングブロックを示す図である。
【図８】本発明の実施例に係るＯＦＭＤ生成ブロックを示す図である。
【図９】本発明の実施例によって未来の放送サービスのための放送信号を受信する装置の構造を示す図である。
【図１０】本発明の実施例に係るフレーム構造を示す図である。
【図１１】本発明の実施例に係るフレームのシグナリング層構造を示す図である。
【図１２】本発明の実施例に係るプリアンブルシグナリングデータを示す図である。
【図１３】本発明の実施例に係るＰＬＳ１データを示す図である。
【図１４】本発明の実施例に係るＰＬＳ２データを示す図である。
【図１５】本発明の他の実施例に係るＰＬＳ２データを示す図である。
【図１６】本発明の実施例に係るフレームの論理構造を示す図である。
【図１７】本発明の実施例に係るＰＬＳマッピングを示す図である。
【図１８】本発明の実施例に係るＥＡＣマッピングを示す図である。
【図１９】本発明の実施例に係るＦＩＣマッピングを示す図である。
【図２０】本発明の実施例に係るＤＰのタイプを示す図である。
【図２１】本発明の実施例に係るＤＰマッピングを示す図である。
【図２２】本発明の実施例に係るＦＥＣ構造を示す図である。
【図２３】本発明の実施例に係るビットインタリービングを示す図である。
【図２４】本発明の実施例に係るセル−ワードデマルチプレキシングを示す図である。
【図２５】本発明の実施例に係る時間インタリービングを示す図である。
【図２６】本発明の実施例に係るツイスト行−列ブロックインタリーバの基本動作を示す図である。
【図２７】本発明の実施例に係るツイスト行−列ブロックインタリーバの動作を示す図である。
【図２８】本発明の実施例に係るツイスト行−列ブロックインタリーバの対角方向読み取りパターンを示す図である。
【図２９】本発明の実施例に係るそれぞれのインタリービングアレイからインタリーブされたＸＦＥＣＢＬＯＣＫを示す図である。
【図３０】本発明の実施例に係る周波数インタリーバ７０２０の動作を示す図である。
【図３１】本発明の実施例に係るＭＵＸ及びＤＥＭＵＸ方法に対する基本スイッチモデルを示す図である。
【図３２】本発明の一実施例に係るメモリバンクの動作を示す図である。
【図３３】本発明の実施例に係る周波数デインタリービング方法を示す図である。
【図３４】本発明の実施例に係る単一信号フレームに適用される周波数インタリービングの概念を示す図である。
【図３５】本発明の実施例に係る単一信号フレームに適用される周波数インタリービングの論理的動作メカニズムを示す図である。
【図３６】本発明の実施例に係る単一信号フレームに適用される周波数インタリービングの論理的動作メカニズムの数式を示す図である。
【図３７】入力順次的ＯＦＤＭシンボルに対する単一メモリデインタリービングを示す図である。
【図３８】本発明の実施例に係るそれぞれのメモリバンクのインタリービングシードに対する変化方法を示す図である。
【図３９】本発明の実施例に係る１Ｋ  ＦＦＴモードランダムインタリービングシーケンス生成器を示す図である。
【図４０】本発明の実施例に係る１Ｋ  ＦＦＴモードランダムインタリービングシーケンス生成器の動作を示す数式を示す図である。
【図４１】本発明の一実施例に係る１Ｋ  ＦＦＴモードの０ビットスプレッダと１０ビットＰＮ生成器を含むランダムシンボルオフセット生成器、及びランダムシンボルオフセット生成器の動作を示す数式である。
【図４２】本発明の一実施例に係る１Ｋ  ＦＦＴモードの２ビットスプレッダと８ビットＰＮ生成器を含むランダムシンボルオフセット生成器、及びランダムシンボルオフセット生成器の動作を示す数式である。
【図４３】本発明の実施例に係る１Ｋ  ＦＦＴモードランダムインタリービングシーケンス生成器の論理的構成を示す図である。
【図４４】本発明の他の実施例に係る１Ｋ  ＦＦＴモードのランダムインタリービングシーケンス生成器を示す図である。
【図４５】本発明の一実施例に係る１Ｋ  ＦＦＴモードのビットシャフリング及び１Ｋ  ＦＦＴモードのランダムインタリービングシーケンス生成器の動作を示す数式である。
【図４６】本発明の一実施例に係る２Ｋ  ＦＦＴモードのランダムインタリービングシーケンス生成器を示す図である。
【図４７】本発明の一実施例に係る２Ｋ  ＦＦＴモードのランダムインタリービングシーケンス生成器の動作を示す数式である。
【図４８】本発明の一実施例に係る２Ｋ  ＦＦＴモードの０ビットスプレッダと１１ビットＰＮ生成器を含むランダムシンボルオフセット生成器、及びランダムシンボルオフセット生成器の動作を示す数式である。
【図４９】本発明の一実施例に係る２Ｋ  ＦＦＴモードの２ビットスプレッダと９ビットＰＮ生成器を含むランダムシンボルオフセット生成器、及びランダムシンボルオフセット生成器の動作を示す数式である。
【図５０】本発明の一実施例に係る２Ｋ  ＦＦＴモードのランダムインタリービングシーケンス生成器の論理的構造図である。
【図５１】本発明の他の実施例に係る２Ｋ  ＦＦＴモードのランダムインタリービングシーケンス生成器を示す図である。
【図５２】本発明の一実施例に係る２Ｋ  ＦＦＴモードのビットシャフリング及び２Ｋ  ＦＦＴモードのランダムインタリービングシーケンス生成器の動作を示す数式である。
【図５３】本発明の一実施例に係る６４Ｋ  ＦＦＴモードのランダムインタリービングシーケンス生成器を示す図である。
【図５４】本発明の一実施例に係る６４Ｋ  ＦＦＴモードのランダムインタリービングシーケンス生成器の動作を示す数式である。
【図５５】本発明の一実施例に係る６４Ｋ  ＦＦＴモードの０ビットスプレッダと１６ビットＰＮ生成器を含むランダムシンボルオフセット生成器、及びランダムシンボルオフセット生成器の動作を示す数式である。
【図５６】本発明の一実施例に係る６４Ｋ  ＦＦＴモードの２ビットスプレッダと１４ビットＰＮ生成器を含むランダムシンボルオフセット生成器、及びランダムシンボルオフセット生成器の動作を示す数式である。
【図５７】本発明の一実施例に係る６４Ｋ  ＦＦＴモードのランダムインタリービングシーケンス生成器の論理的構造図である。
【図５８】本発明の他の実施例に係る６４Ｋ  ＦＦＴモードのランダムインタリービングシーケンス生成器を示す図である。
【図５９】本発明の一実施例に係る６４Ｋ  ＦＦＴモードのビットシャフリング及び６４Ｋ  ＦＦＴモードのランダムインタリービングシーケンス生成器の動作を示す数式である。
【図６０】本発明の一実施例に係る放送信号送信方法のフローチャートである。
【図６１】本発明の一実施例に係る放送信号受信方法のフローチャートである。
【発明を実施するための形態】
【００１４】
以下、添付の図面を参照して本発明の好ましい実施例を説明する。添付の図面を参照して以下で説明する詳細な説明は、本発明によって具現可能な実施例のみを示すよりは、本発明の例示的な実施例を説明するためのものである。次の詳細な説明は、本発明の完璧な理解を提供するために特定の細部事項を含む。しかし、本発明が、このような特定の細部事項なしでも実行可能であることは当業者にとって自明である。
【００１５】
本発明で使用されるほとんどの用語は、本技術で広く使用されるものから選ばれたが、一部の用語は、出願人によって任意に選ばれたものであって、その意味は、必要に応じて次の説明で詳細に説明する。よって、本発明は、単純な名前又は意味よりは、用語の意図された意味に基づいて理解しなければならない。
【００１６】
本発明は、未来の放送サービスのための放送信号を送受信する装置及び方法を提供する。本発明の実施例に係る未来の放送サービスは、地上波放送サービス、モバイル放送サービス、ＵＨＤＴＶサービスなどを含む。
【００１７】
本発明の実施例に係る送信装置及び方法は、地上波放送サービスのためのベースプロファイル、モバイル放送サービスのためのハンドヘルドプロファイル、及びＵＨＤＴＶサービスのためのアドバンスドプロファイルに分類することができる。この場合、ベースプロファイルは、地上波放送サービス及びモバイル放送サービスのためのプロファイルとして使用することができる。すなわち、ベースプロファイルは、モバイルプロファイルを含むプロファイルの概念を定義するのに使用することができる。これは、設計者の意図によって変更可能である。
【００１８】
本発明は、一実施例によって、非−ＭＩＭＯ（ｍｕｌｔｉｐｌｅ  ｉｎｐｕｔ  ｍｕｌｔｉｐｌｅ  ｏｕｔｐｕｔ）又はＭＩＭＯを通じて未来の放送サービスのための放送信号を処理することができる。本発明の実施例に係る非−ＭＩＭＯ方式は、ＭＩＳＯ（ｍｕｌｔｉｐｌｅ  ｉｎｐｕｔ  ｓｉｎｇｌｅ  ｏｕｔｐｕｔ）方式、ＳＩＳＯ（ｓｉｎｇｌｅ  ｉｎｐｕｔ  ｓｉｎｇｌｅ  ｏｕｔｐｕｔ）方式などを含むことができる。
【００１９】
ＭＩＳＯ又はＭＩＭＯは、説明の便宜上、以下で２個のアンテナを使用するが、本発明は、２個以上のアンテナを用いるシステムに適用することができる。
【００２０】
本発明は、特定の使用ケースのために要求される性能を獲得しながら、受信機の複雑度を最小化するのにそれぞれ最適化された３個の物理層（ＰＬ）プロファイル（ベース、ハンドヘルド及びアドバンスドプロファイル）を定義することができる。物理層（ＰＨＹ）プロファイルは、該当受信機が具現しなければならないすべての構成のサブセットである。
【００２１】
３個のＰＨＹプロファイルは、機能ブロックのほとんどを共有するが、特定のブロック及び／又はパラメータにおいて少し異なる。追加のＰＨＹプロファイルを未来に定義することができる。また、システム進化のために、未来のプロファイルは、ＦＥＦ（ｆｕｔｕｒｅ  ｅｘｔｅｎｓｉｏｎ  ｆｒａｍｅ）を通じて単一ＲＦチャネル内の既存のプロファイルとマルチプレクスされ得る。以下では、それぞれのＰＨＹプロファイルの細部事項について説明する。
【００２２】
１．ベースプロファイル
【００２３】
ベースプロファイルは、通常、ルーフトップ（ｒｏｏｆ−ｔｏｐ）アンテナに接続する固定受信装置に対する主要な使用ケースを示す。また、ベースプロファイルは、いずれかの場所に搬送可能であるが、比較的停止した受信カテゴリーに属するポータブル装置を含む。ベースプロファイルの使用は、任意の改善された具現例によってハンドヘルド装置又は車両装置に拡張可能であるが、これら使用ケースは、ベースプロファイル受信機の動作に対しては期待されない。
【００２４】
受信のターゲットＳＮＲ範囲は約１０ｄＢ〜２０ｄＢであって、これは、既存の放送システム（例えば、ＡＴＳＣ  Ａ／５３）の１５ｄＢ  ＳＮＲ受信能力を含む。受信機の複雑度及び消費電力は、ハンドヘルドプロファイルを使用するバッテリ動作ハンドヘルド装置の場合のように重要ではない。以下では、ベースプロファイルに対する重要なシステムパラメータを表１に列挙する。
【００２５】
【表１】
0006267358.tif 000002
【００２６】
２．ハンドヘルドプロファイル
【００２７】
ハンドヘルドプロファイルは、バッテリ電力で動作するハンドヘルド及び車両装置に使用されるように設計された。装置は、歩行者又は車両速度で移動することができる。受信機の複雑度のみならず、消費電力はハンドヘルドプロファイルの装置の具現において非常に重要である。ハンドヘルドプロファイルのターゲットＳＮＲ範囲は約０ｄＢ〜１０ｄＢであるが、より深い室内受信を対象にすると、０ｄＢ未満に到逹するように構成することができる。
【００２８】
低いＳＮＲ能力に加えて、受信機の移動度によって誘発されたドップラー効果に対する弾力性は、ハンドヘルドプロファイルの最も重要な性能属性である。以下では、ハンドヘルドプロファイルに対する重要なパラメータを表２に列挙する。
【００２９】
【表２】
0006267358.tif 000003
【００３０】
３．アドバンスドプロファイル
【００３１】
アドバンスドプロファイルは、より多くの具現複雑度を犠牲し、最も高いチャネル容量を提供する。このプロファイルは、ＭＩＭＯ送信及び受信の利用を要求し、ＵＨＤＴＶサービスは、このプロファイルが特別に設計されたターゲット使用ケースである。また、増加した容量は、与えられた帯域幅内で増加した数のサービス、例えば、ＳＤＴＶ又はＨＤＴＶサービスを許容するように使用することができる。
【００３２】
アドバンスドプロファイルのターゲットＳＮＲ範囲は、約２０ｄＢ〜３０ｄＢである。ＭＩＭＯ送信は、初期に既存の楕円偏波（ｅｌｌｉｐｔｉｃａｌｌｙ−ｐｏｌａｒｉｚｅｄ）送信装置を利用できるが、未来にフル電力交差偏波送信（ｆｕｌｌ−ｐｏｗｅｒ  ｃｒｏｓｓ−ｐｏｌａｒｉｚｅｄ  ｔｒａｎｓｍｉｓｓｉｏｎ）に拡張される。以下では、アドバンスドプロファイルに対する重要なシステムパラメータを表３に列挙する。
【００３３】
【表３】
0006267358.tif 000004
【００３４】
この場合、ベースプロファイルは、地上波放送サービス及びモバイル放送サービスのすべてのためのプロファイルとして使用することができる。すなわち、ベースプロファイルは、モバイルプロファイルを含むプロファイルの概念を定義するのに使用することができる。また、アドバンスドプロファイルは、ＭＩＭＯを有するベースプロファイルのためのアドバンスドプロファイル、及びＭＩＭＯを有するハンドヘルドプロファイルのためのアドバンスドプロファイルに分離することができる。また、３個のプロファイルは、設計者の意図によって変更可能である。
【００３５】
次の用語及び定義を本発明に適用することができる。次の用語及び定義は、設計によって変更可能である。
【００３６】
補助ストリーム：未だに定義されていない変調及びコーディングのデータを伝達するセルのシーケンスであって、未来拡張のために、又は、ブロードキャスタ又はネットワークオペレータによる要求通りに使用することができる。
【００３７】
ベースデータパイプ：サービスシグナリングデータを伝達するデータパイプ
【００３８】
ベースバンドフレーム（又はＢＢＦＲＡＭＥ）：一つのＦＥＣエンコーディングプロセス（ＢＣＨ及びＬＤＰＣエンコーディング）への入力を形成するＫbchビットのセット
【００３９】
セル：ＯＦＤＭ送信の一つのキャリアによって伝達される変調値
【００４０】
コーディングブロック：ＰＬＳ１データのＬＤＰＣエンコーディングブロック及びＰＬＳ２データのＬＤＰＣエンコーディングブロックのうち一つ
【００４１】
データパイプ：サービスデータ又は関連メタデータを伝達する物理層内の論理チャネルであって、一つ又は多数のサービス又はサービスコンポーネントを伝達することができる。
【００４２】
データパイプ単位：フレーム内のＤＰにデータセルを割り当てる基本単位
【００４３】
データシンボル：プリアンブルシンボルでないフレーム内のＯＦＤＭシンボル（フレームシグナリングシンボル及びフレームエッジシンボルはデータシンボルに含まれる。）
【００４４】
ＤＰ_ＩＤ：この８ビットフィールドは、ＳＹＳＴＥＭ_ＩＤによって識別されたシステム内のＤＰを固有に識別する。
【００４５】
ダミーセル：ＰＬＳシグナリング、ＤＰ又は補助ストリームに使用されない残りの容量を充填するのに使用される擬似ランダム値を伝達するセル
【００４６】
非常境界チャネル（ｅｍｅｒｇｅｎｃｙ  ａｌｅｒｔ  ｃｈａｎｎｅｌ；ＥＡＳ）：ＥＡＳ情報データを伝達するフレームの一部
【００４７】
フレーム：プリアンブルから開始し、フレームエッジシンボルで終了する物理層時間スロット
【００４８】
フレーム受信単位：ＦＥＴを含む同一又は異なる物理層プロファイルに属するフレームセットであって、スーパーフレーム内で８回繰り返される。
【００４９】
高速情報チャネル：サービスと対応ベースＤＰとの間のマッピング情報を伝達するフレーム内の論理チャネル
【００５０】
ＦＥＣＢＬＯＣＫ：ＤＰデータのＬＤＰＣエンコーディングビットのセット
【００５１】
ＦＦＴサイズ：特定のモードに使用される公称ＦＦＴサイズであって、基本期間（ｅｌｅｍｅｎｔａｒｙ  ｐｅｒｉｏｄ）Ｔの周期で表現されるアクティブシンボル期間Ｔｓと同一である。
【００５２】
フレームシグナリングシンボル：ＦＦＴサイズ、保護区間（ｇｕａｒｄ  ｉｎｔｅｒｖａｌ）及び分散型パイロットパターンの所定の組み合わせでフレームの開始時に使用されるより高いパイロット密度を有するＯＦＤＭシンボルであって、ＰＬＳデータの一部を伝達する。
【００５３】
フレームエッジシンボル：ＦＦＴサイズ、保護区間（ｇｕａｒｄ  ｉｎｔｅｒｖａｌ）及び分散型パイロットパターンの所定の組み合わせでフレームの終了時に使用されるより高いパイロット密度を有するＯＦＤＭシンボル
【００５４】
フレームグループ：スーパーフレーム内の同一のＰＨＹプロファイルタイプを有するすべてのフレームのセット
【００５５】
未来拡張フレーム：未来拡張のために使用可能なスーパーフレーム内の物理層時間スロットであって、プリアンブルから開始する。
【００５６】
フューチャーキャスト（ｆｕｔｕｒｅｃａｓｔ）ＵＴＢシステム：入力が一つ以上のＭＰＥＧ２−ＴＳ又はＩＰ又は一般ストリームであって、出力がＲＦ信号である提案された物理層放送システム
【００５７】
入力ストリーム：システムによってエンドユーザに伝達されるサービスのアンサンブルのためのデータのストリーム
【００５８】
正常データシンボル：フレームシグナリングシンボル及びフレームエッジシンボルを除いたデータシンボル
【００５９】
ＰＨＹプロファイル：該当受信機が具現しなければならないすべての構成のサブセット
【００６０】
ＰＬＳ：ＰＬＳ１及びＰＬＳ２で構成された物理層シグナリングデータ
【００６１】
ＰＬＳ１：固定サイズ、コーディング及び変調を有するＦＳＳシンボルで伝達されるＰＬＳデータの第１セットであって、ＰＬＳ２をデコードするのに必要なパラメータのみならず、システムに関する基本情報を伝達する。
【００６２】
注（ｎｏｔｅ）：フレームグループのデュレーションのために、ＰＬＳ１データは一定に維持される。
【００６３】
ＰＬＳ２：ＦＳＳシンボルで送信されるＰＬＳデータの第２セットであって、システム及びＤＰに対するより細部的なＰＬＳデータを伝達する。
【００６４】
ＰＬＳ２動的データ：フレーム別に動的に変化可能なＰＬＳ２データ
【００６５】
ＰＬＳ２静的データ：フレームグループのデュレーションの間に静的に維持されるＰＬＳ２データ
【００６６】
プリアンブルシグナリングデータ：プリアンブルシンボルによって伝達され、システムの基本モードを識別するのに使用されるシグナリングデータ
【００６７】
プリアンブルシンボル：基本ＰＬＳデータを伝達し、フレームの初期に位置する固定長さパイロットシンボル
【００６８】
注：プリアンブルシンボルは、主に高速初期バンドスキャンのために使用され、システム信号、そのタイミング、周波数オフセット及びＦＦＴサイズを検出する。
【００６９】
未来の使用のために予約：現在の文書では定義されないが、未来に定義可能である。
【００７０】
スーパーフレーム：８個のフレーム反復単位のセット
【００７１】
時間インタリービングブロック（ＴＩブロック）：時間インタリーバメモリの一つの用途に対応する時間インタリービングが行われるセルのセット
【００７２】
ＴＩグループ：特定のＤＰのための動的容量割り当てが行われる単位であって、整数、すなわち、動的に変わる数のＸＦＥＣＢＬＯＣＫで構成される。
【００７３】
注：ＴＩグループは、一つのフレームに直接マップされたり、多数のフレームにマップされ得る。これは、一つ以上のＴＩブロックを含むことができる。
【００７４】
タイプ１  ＤＰ：すべてのＤＰがＴＤＭ方式でマップされるフレームのＤＰ
【００７５】
タイプ２  ＤＰ：すべてのＤＰがＦＤＭ方式でマップされるフレームのＤＰ
【００７６】
ＸＦＥＣＢＬＯＣＫ：一つのＬＤＰＣ  ＦＥＣＢＬＯＣＫのすべてのビットを伝達するＮcellsセルのセット
【００７７】
図１は、本発明の実施例によって未来の放送サービスのための放送信号を送信する装置の構造を示す図である。
【００７８】
本発明の実施例によって未来の放送サービスのための放送信号を送信する装置は、入力フォーマッティングブロック１０００、ＢＩＣＭ（ｂｉｔ  ｉｎｔｅｒｌｅａｖｅｄ  ｃｏｄｉｎｇ  ＆  ｍｏｄｕｌａｔｉｏｎ）ブロック１０１０、フレーム構造ブロック１０２０、ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）生成ブロック１０３０、及びシグナリング生成ブロック１０４０を含むことができる。以下では、放送信号を送信する装置の各モジュールの動作を説明する。
【００７９】
ＩＰストリーム／パケット及びＭＰＥＧ２−ＴＳはメイン入力フォーマットで、他のストリームタイプは一般ストリームとして処理される。これらデータ入力に加えて、管理情報が入力され、各入力ストリームに対する該当帯域幅のスケジューリング及び割り当てを制御する。一つ又は多数のＴＳストリーム、ＩＰストリーム及び／又は一般ストリームの入力が同時に許容される。
【００８０】
入力フォーマッティングブロック１０００は、各入力ストリームを一つ又は多数のデータパイプにデマルチプレクスし、独立コーディング及び変調がデータパイプに適用される。データパイプ（ＤＰ）は、ロバスト性制御のための基本単位であって、ＱｏＳに影響を与える。一つ又は多数のサービス又はサービスコンポーネントは単一のＤＰによって伝達され得る。入力フォーマッティングブロック１０００の動作の細部事項については後で説明する。
【００８１】
データパイプは、サービスデータ又は関連メタデータを伝達する物理層内の論理チャネルであって、一つ又は多数のサービス又はサービスコンポーネントを伝達することができる。
【００８２】
また、データパイプ単位は、フレーム内のＤＰにデータセルを割り当てる基本ユニットである。
【００８３】
ＢＩＣＭブロック１０１０において、パリティデータが誤り訂正のために追加され、エンコードされたビットストリームは複素数値の星状シンボルにマップされる。シンボルは、該当ＤＰに使用される特定のインタリービング深さを横切ってインタリーブされる。アドバンスドプロファイルに対して、ＭＩＭＯエンコーディングがＢＩＣＭブロック１０１０で行われ、追加のデータ経路はＭＩＭＯ送信のための出力で追加される。ＢＩＣＭブロック１０１０の細部事項については後で説明する。
【００８４】
フレームビルディングブロック１０２０は、入力ＤＰのデータセルをフレーム内のＯＦＤＭシンボルにマップすることができる。マップした後、周波数インタリービングは、周波数領域多様性に使用され、特に、周波数選択フェーディングチャネルを防止する。フレームビルディングブロック１０２０の動作の細部事項については後で説明する。
【００８５】
各フレームの初期にプリアンブルを挿入した後、ＯＦＤＭ生成ブロック１０３０は、保護区間として循環前置（ｃｙｃｌｉｃ  ｐｒｅｆｉｘ）を有する従来のＯＦＤＭ変調を適用することができる。アンテナ空間ダイバーシティのために、分散型ＭＩＳＯ方式が送信機に適用される。また、ＰＡＰＲ（ｐｅａｋ−ｔｏ−ａｖｅｒａｇｅ  ｐｏｗｅｒ  ｒｅｄｕｃｔｉｏｎ）方式が時間領域で行われる。柔軟なネットワーク計画のために、この提案は、多様なＦＦＴサイズ、保護区間長さ及び該当パイロットパターンのセットを提供する。ＯＦＤＭ生成ブロック１０３０の動作の細部事項については後で説明する。
【００８６】
シグナリング生成ブロック１０４０は、各機能ブロックの動作に使用される物理層シグナリング情報を生成することができる。また、このシグナリング情報は、関心のあるサービスが受信側で適切に回復されるように送信される。シグナリング生成ブロック１０４０の動作の細部事項については後で説明する。
【００８７】
図２、図３及び図４は、本発明の実施例に係る入力フォーマッティングブロック１０００を示す。以下では、各図面に対して説明する。
【００８８】
図２は、本発明の一実施例に係る入力フォーマッティングブロックを示す図である。図２は、入力信号が単一入力ストリームであるときの入力フォーマッティングブロックを示す。
【００８９】
図２に示した入力フォーマッティングブロックは、図１を参照して説明した入力フォーマッティングブロック１０００の実施例に該当する。
【００９０】
物理層への入力は、一つ又は多数のデータストリームで構成することができる。各データストリームは一つのＤＰによって伝達される。モード適応モジュールは、入ってくるデータストリームをベースバンドフレーム（ＢＢＦ）のデータフィールドにスライスする。システムは、３つのタイプの入力データストリーム、すなわち、ＭＰＥＧ２−ＴＳ、インターネットプロトコル（ＩＰ）及びＧＳ（ｇｅｎｅｒｉｃ  ｓｔｒｅａｍ）をサポートする。ＭＰＥＧ２−ＴＳは、固定長さ（１８８バイト）パケットで特性化され、第１バイトはシンク（ｓｙｎｃ）バイト（０ｘ４７）である。ＩＰストリームは、ＩＰパケットヘッダ内でシグナリングされる可変長さＩＰデータグラムパケットで構成される。システムは、ＩＰストリームのためのＩＰｖ４及びＩＰｖ６をサポートする。ＧＳは、カプセル化パケットヘッダ内でシグナリングされる可変長さパケット又は固定長さパケットで構成することができる。
【００９１】
（ａ）は、信号ＤＰのためのモード適応ブロック２０００及びストリーム適応ブロック２０１０を示し、（ｂ）は、ＰＬＳ信号を生成して処理するＰＬＳ生成ブロック２０２０及びＰＬＳスクランブラ２０３０を示す。以下では、各ブロックの動作を説明する。
【００９２】
入力ストリームスプリッタは、入力ＴＳ、ＩＰ、ＧＳストリームを多数のサービス又はサービスコンポーネント（オーディオ、ビデオなど）ストリームに分離する。モード適応モジュール２０１０は、ＣＲＣエンコーダ、ＢＢ（ｂａｓｅｂａｎｄ）フレームスライサ及びＢＢフレームヘッダ挿入ブロックで構成される。
【００９３】
ＣＲＣエンコーダは、ユーザパケット（ＵＰ）レベル、すなわち、ＣＲＣ−８、ＣＲＣ−１６及びＣＲＣ−３２で誤り訂正のための３つのタイプのＣＲＣエンコーディングを提供する。計算されたＣＲＣバイトはＵＰの後に添付される。ＣＲＣ−８はＴＳストリームに使用され、ＣＲＣ−３２はＩＰストリームに使用される。ＧＳストリームがＣＲＣエンコーディングを提供しない場合、提案されたＣＲＣエンコーディングが適用されなければならない。
【００９４】
ＢＢフレームスライサは、入力を内部論理ビットフォーマットにマップする。最初に受信されたビットはＭＢＳであると定義される。ＢＢフレームスライサは、利用可能なデータフィールド容量と同一の多数の入力ビットを割り当てる。ＢＢＦペイロードと同一の多数の入力ビットを割り当てるために、ＵＰパケットストリームはＢＢＦのデータフィールドに合わせてスライスされる。
【００９５】
ＢＢフレームヘッダ挿入ブロックは、２バイトの固定長さＢＢＦヘッダをＢＢフレームの前に挿入することができる。ＢＢＦヘッダは、ＳＴＵＦＦＩ（１ビット）、ＳＹＮＣＤ（１３ビット）及びＲＦＵ（２ビット）で構成される。固定２バイトＢＢＦヘッダに加えて、ＢＢＦは、２バイトＢＢＦヘッダの端に拡張フィールド（１バイト又は３バイト）を有することができる。
【００９６】
ストリーム適応ブロック２０１０は、スタッフィング（ｓｔｕｆｆｉｎｇ）挿入ブロック及びＢＢスクランブラで構成される。
【００９７】
スタッフィング挿入ブロックは、スタッフィングフィールドをＢＢフレームのペイロードに挿入することができる。ストリーム適応への入力データがＢＢフレームを充填するのに十分である場合、ＳＴＵＦＦＩは「０」に設定され、ＢＢＦはスタッフィングフィールドを有さない。そうでない場合、ＳＴＵＦＦＩが「１」に設定され、スタッフィングフィールドがＢＢＦヘッダの直後に挿入される。スタッフィングフィールドは、２バイトのスタッフィングフィールドヘッダ及び可変サイズのスタッフィングデータを含む。
【００９８】
ＢＢスクランブラは、エネルギー分散（ｅｎｅｒｇｙ  ｄｉｓｐｅｒｓａｌ）のために完全なＢＢＦをスクランブルする。スクランブリングシーケンスはＢＢＦと同時に発生する。スクランブリングシーケンスは、フィードバックされたシフトレジスタによって生成される。
【００９９】
ＰＬＳ生成ブロック２０２０は、物理層シグナリング（ＰＬＳ）データを生成することができる。ＰＬＳは、受信機に物理層ＤＰにアクセスする手段を提供する。ＰＬＳデータは、ＰＬＳ１データ及びＰＬＳ２データで構成される。
【０１００】
ＰＬＳ１データは、固定サイズ、コーディング及び変調を有するフレーム内のＦＳＳシンボルで伝達されるＰＬＳデータの第１セットであって、ＰＬＳ２データをデコードするのに必要なパラメータのみならず、システムに関する基本情報を伝達する。ＰＬＳ１データは、ＰＬＳ２データの受信及びデコーディングを可能にするのに要求されるパラメータを含む基本送信パラメータを提供する。また、ＰＬＳ１データは、フレームグループのデュレーションの間に一定に維持される。
【０１０１】
ＰＬＳ２データは、ＦＳＳシンボルで送信されるＰＬＳデータの第２セットであって、システム及びＤＰに対するより詳細なＰＬＳデータを伝達する。ＰＬＳ２は、受信機に十分なデータを提供し、所望のＤＰをデコードするパラメータを含む。また、ＰＬＳ２シグナリングは、２つのタイプのパラメータ、すなわち、ＰＬＳ２静的データ（ＰＬＳ２−ＳＴＡＴデータ）及びＰＬＳ２動的データ（ＰＬＳ２−ＤＹＮデータ）で構成される。ＰＬＳ２静的データは、フレームグループのデュレーションの間に静的に残っているＰＬＳ２データで、ＰＬＳ２動的データは、フレーム別に動的に変わり得るＰＬＳ２データである。
【０１０２】
ＰＬＳデータの細部事項については後で説明する。
【０１０３】
ＰＬＳスクランブラ２０３０は、エネルギー分散のために生成されたＰＬＳデータをスクランブルすることができる。
【０１０４】
上述したブロックは、省略したり、類似又は同一の機能を有するブロックに取り替えることができる。
【０１０５】
図３は、本発明の他の実施例に係る入力フォーマッティングブロックを示す図である。
【０１０６】
図３に示した入力フォーマッティングブロックは、図１を参照して説明した入力フォーマッティングブロック１０００の実施例に該当する。
【０１０７】
図３は、入力信号が多数の入力ストリームに対応するときの入力フォーマッティングブロックのモード適応ブロックを示す。
【０１０８】
多数の入力ストリームを処理する入力フォーマッティングブロックのモード適応ブロックは、独立的に多数の入力ストリームを処理することができる。
【０１０９】
図３を参照すると、多数の入力ストリームをそれぞれ処理するモード適応ブロックは、入力ストリームスプリッタ３０００、入力ストリーム同期化器３０１０、補償遅延ブロック３０２０、ヌル（ｎｕｌｌ）パケット削除ブロック３０３０、ヘッド圧縮ブロック３０４０、ＣＲＣエンコーダ３０５０、ＢＢフレームスライサ３０６０及びＢＢヘッダ挿入ブロック３０７０を含むことができる。以下では、モード適応ブロックの各ブロックを説明する。
【０１１０】
ＣＲＣエンコーダ３０５０、ＢＢフレームスライサ３０６０及びＢＢヘッダ挿入ブロック３０７０の動作は、図２を参照して説明したＣＲＣエンコーダ、ＢＢフレームスライサ及びＢＢヘッダ挿入ブロックに対応するので、それに対する説明は省略する。
【０１１１】
入力ストリームスプリッタ３０００は、入力ＴＳ、ＩＰ  ＧＳストリームを多数のサービス又はサービスコンポーネント（オーディオ、ビデオなど）ストリームに分離することができる。
【０１１２】
入力ストリーム同期化器３０１０はＩＳＳＹと称することができる。ＩＳＳＹは、任意の入力データフォーマットに対する一定のエンド−ツー−エンド送信遅延及びＣＢＲ（ｃｏｎｓｔａｎｔ  ｂｉｔ  ｒａｔｅ）を保証する適切な手段を提供することができる。ＩＳＳＹは、常にＴＳを伝達する多数のＤＰの場合に使用され、選択的に、ＧＳストリームを伝達するＤＰに使用される。
【０１１３】
補償遅延ブロック３０２０は、ＩＳＳＹ情報の挿入後に分離されたＴＳパケットストリームを遅延させ、受信機内の追加のメモリを要求せずにＴＳパケット再結合メカニズムを許容することができる。
【０１１４】
ヌルパケット削除ブロック３０３０は、ＴＳ入力ストリームケースにのみ使用される。任意のＴＳ入力ストリーム又は分離されたＴＳストリームは、ＣＢＲ  ＴＳストリームにＶＢＲ（ｖａｒｉａｂｌｅ  ｂｉｔ−ｒａｔｅ）サービスを収容するために存在する多数のヌルパケットを有することができる。この場合、不要な送信オーバーヘッドを避けるために、ヌルパケットが識別され、送信されない。受信機において、除去されたヌルパケットは、送信時に挿入されたＤＮＰ（ｄｅｌｅｔｅｄ  ｎｕｌｌ−ｐａｃｋｅｔ）カウンタを参照し、本来にあった正確な場所に再挿入され、一定のビットレートを保証し、タイムスタンプ（ＰＣＲ）アップデートに対する必要性を避けることができる。
【０１１５】
ヘッド圧縮ブロック３０４０は、パケットヘッダ圧縮を提供し、ＴＳ又はＩＰ入力ストリームに対する送信効率を増加させることができる。受信機がヘッダの所定部分に対する先験的情報（ａ  ｐｒｉｏｒｉ  ｉｎｆｏｒｍａｔｉｏｎ）を有し得るので、この既知の情報は送信機で削除され得る。
【０１１６】
送信ストリームに対して、受信機は、シンク−バイト構成（０ｘ４７）及びパケット長さ（１８８バイト）に関する先験的情報を有する。入力ＴＳストリームが一つのＰＩＤを有するコンテンツを伝達すると、すなわち、一つのサービスコンポーネント（ビデオ、オーディオなど）又はサービスサブコンポーネント（ＳＶＣベース層、ＳＶＣインヘンスメント層、ＭＶＣベースビュー又はＭＶＣ従属ビュー）に対してのみ、ＴＳパケットヘッダ圧縮を（選択的に）送信ストリームに適用することができる。入力ストリームがＩＰストリームであると、ＩＰパケットヘッダ圧縮が選択的に使用される。
【０１１７】
上述したブロックは、省略したり、類似又は同一の機能を有するブロックに取り替えることができる。
【０１１８】
図４は、本発明の他の実施例に係る入力フォーマッティングブロックを示す図である。
【０１１９】
図４に示した入力フォーマッティングブロックは、図１を参照して説明した入力フォーマッティングブロック１０００の実施例に該当する。
【０１２０】
図４は、入力信号が多数の入力ストリームに対応するときの入力フォーマッティングモジュールのストリーム適応ブロックを示す。
【０１２１】
図４を参照すると、多数の入力ストリームをそれぞれ処理するモード適応ブロックは、スケジューラ４０００、１フレーム遅延ブロック４０１０、スタッフィング挿入ブロック４０２０、帯域内（ｉｎ−ｂａｎｄ）シグナリング４０３０、ＢＢフレームスクランブラ４０４０、ＰＬＳ生成ブロック４０５０及びＰＬＳスクランブラ４０６０を含むことができる。以下では、ストリーム適応ブロックのそれぞれのブロックを説明する。
【０１２２】
スタッフィング挿入ブロック４０２０、ＢＢフレームスクランブラ４０４０、ＰＬＳ生成ブロック４０５０及びＰＬＳスクランブラ４０６０の動作は、図２を参照して説明したスタッフィング挿入ブロック、ＢＢスクランブラ、ＰＬＳ生成ブロック及びＰＬＳスクランブラに対応するので、それに対する説明は省略する。
【０１２３】
スケジューラ４０００は、それぞれのＤＰのＦＥＣＢＬＯＣＫの量から全体のフレームにわたった全体のセル割り当てを決定することができる。ＰＬＳ、ＥＡＣ及びＦＩＣに対する割り当てを含めて、スケジューラはＰＬＳ２−ＤＹＮデータの値を生成し、これは、フレームのＦＳＳ内の帯域内シグナリング又はＰＬＳセルとして送信される。ＦＥＣＢＬＯＣＫ、ＥＡＣ及びＦＩＣの細部事項については後で説明する。
【０１２４】
１フレーム遅延ブロック４０１０は、入力データを１送信フレームだけ遅延させ、次のフレームに関するスケジューリング情報を、ＤＰに挿入される帯域内シグナリング情報に対する現在のフレームを通じて送信させることができる。
【０１２５】
帯域内シグナリング４０３０は、ＰＬＳ２データの遅延されていない部分をフレームのＤＰに挿入することができる。
【０１２６】
上述したブロックは、省略したり、類似又は同一の機能を有するブロックに取り替えることができる。
【０１２７】
図５は、本発明の実施例に係るＢＩＣＭブロックを示す図である。
【０１２８】
図５に示したＢＩＣＭブロックは、図１を参照して説明したＢＩＣＭブロック１０１０の実施例に該当する。
【０１２９】
上述したように、本発明の実施例によって未来の放送サービスのための放送信号を送信する装置は、地上波放送サービス、モバイル放送サービス、ＵＨＤＴＶサービスなどを提供することができる。
【０１３０】
ＱｏＳは、本発明の実施例によって未来の放送サービスのための放送信号を送信する装置によって提供されるサービスの特性に依存するので、各サービスに対応するデータは、異なる方式を通じて処理される必要がある。よって、本発明の実施例に係るＢＩＣＭブロックは、ＳＩＳＯ、ＭＩＳＯ及びＭＩＭＯ方式をデータ経路にそれぞれ対応するデータパイプに独立的に適用することによって、それに入力されたＤＰを独立的に処理することができる。結果的に、本発明の実施例によって未来の放送サービスのための放送信号を送信する装置は、それぞれのＤＰを通じて送信されるそれぞれのサービス又はサービスコンポーネントに対するＱｏＳを制御することができる。
【０１３１】
（ａ）は、ベースプロファイル及びハンドヘルドプロファイルによって共有されたＢＩＣＭブロックを示し、（ｂ）は、アドバンスドプロファイルのＢＩＣＭブロックを示す。
【０１３２】
ベースプロファイル及びハンドヘルドプロファイルによって共有されたＢＩＣＭブロック及びアドバンスドプロファイルによって共有されたＢＩＣＭブロックは、各ＤＰを処理する複数の処理ブロックを含むことができる。
【０１３３】
以下では、ベースプロファイル及びハンドヘルドプロファイルのためのＢＩＣＭブロック、及びアドバンスドプロファイルのためのＢＩＣＭブロックのそれぞれの処理ブロックを説明する。
【０１３４】
ベースプロファイル及びハンドヘルドプロファイルのためのＢＩＣＭブロックの処理ブロック５０００は、データＦＥＣエンコーダ５０１０、ビットインタリーバ５０２０、星状マッパ５０３０、ＳＳＤ（ｓｉｇｎａｌ  ｓｐａｃｅ  ｄｉｖｅｒｓｉｔｙ）エンコーディングブロック５０４０及び時間インタリーバ５０５０を含むことができる。
【０１３５】
データＦＥＣエンコーダ５０１０は、入力ＢＢＦに対してＦＥＣエンコーディングを行い、アウターコーディング（ＢＣＨ）及びインナーコーディング（ＬＤＰＣ）を用いてＦＥＣＢＬＯＣＫ手続を生成することができる。アウターコーディング（ＢＣＨ）は選択的なコーディング方法である。データＦＥＣエンコーダ５０１０の動作の細部事項については後で説明する。
【０１３６】
ビットインタリーバ５０２０は、データＦＥＣＴエンコーダ５０１０の出力をインタリーブし、効率的に具現可能な構造を提供しながらＬＤＰＣコード及び変調方式の組み合わせで最適化された性能を達成することができる。ビットインタリーバ５０２０の動作の細部事項については後で説明する。
【０１３７】
星状マッパ５０３０は、ＱＰＳＫ、ＱＡＭ−１６、不均一ＱＡＭ（ＮＵＱ−６４、ＮＵＱ−２５６、ＮＵＱ−１０２４）又は不均一星状（ＮＵＣ−１６、ＮＵＣ−６４、ＮＵＣ−２５６、ＮＵＣ−１０２４）を用いてベース及びハンドヘルドプロファイル内のビットインタリーバ５０２０からの各セルワード及びアドバンスドプロファイル内のセル−ワードデマルチプレクサ５０１０−１からのセルワードを変調し、電力正規化星状ポイントを提供することができる。この星状マッピングはＤＰに対してのみ適用される。ＱＡＭ−１６及びＮＵＱが方形（ｓｑｕａｒｅ  ｓｈａｐｅｄ）であるが、ＮＵＣは任意の形状を有する。それぞれの星状が９０度の任意の倍数で回転すると、回転した星状は正確に本来の星状と重畳する。この「回転−感覚（ｒｏｔａｔｉｏｎ−ｓｅｎｓｅ）対称特性は、実数成分及び虚数成分の平均電力及び容量を互いに同一にする。ＮＵＱ及びＮＵＣは、各コードレートに対して特別に定義され、使用される特定の一つがＰＬＳ２データで提出されたパラメータ（ＤＰ_ＭＯＤ）によってシグナリングされる。
【０１３８】
ＳＳＤエンコーディングブロック５０４０は、２（２Ｄ）、３（３Ｄ）及び４（４Ｄ）次元でセルをプリコードし、異なるフェーディング条件下で受信ロバスト性を増加させることができる。
【０１３９】
時間インタリーバ５０５０はＤＰレベルで動作し得る。時間インタリービング（ＴＩ）のパラメータは、各ＤＰに対して異なる形に設定することができる。時間インタリーバ５０５０の動作の細部事項については後で説明する。
【０１４０】
アドバンスドプロファイルのためのＢＩＣＭブロックの処理ブロック５０００−１は、データＦＥＣエンコーダ、ビットインタリーバ、星状マッパ及び時間インタリーバを含むことができる。しかし、処理ブロック５０００−１は処理ブロック５０００と区別され、セル−ワードデマルチプレクサ５０１０−１及びＭＩＭＯエンコーディングブロック５０２０−１をさらに含む。
【０１４１】
また、処理ブロック５０００−１のデータＦＥＣエンコーダ、ビットインタリーバ、星状マッパ及び時間インタリーバの動作は、上述したデータＦＥＣエンコーダ５０１０、ビットインタリーバ５０２０、星状マッパ５０３０及び時間インタリーバ５０５０に対応するので、それに対する説明は省略する。
【０１４２】
セル−ワードデマルチプレクサ５０１０−１は、アドバンスドプロファイルのＤＰに使用され、単一セル−ワードストリームをＭＩＭＯ処理のためのデュアルセル−ワードストリームに分離する。セル−ワードデマルチプレクサ５０１０−１の動作の細部事項については後で説明する。
【０１４３】
ＭＩＭＯエンコーディングブロック５０２０−１は、ＭＩＭＯエンコーディング方式を用いてセル−ワードデマルチプレクサ５０１０−１の出力を処理することができる。ＭＩＭＯエンコーディング方式は、放送信号の送信のために最適化された。ＭＩＭＯ技術は、容量を増加させる優れた方式であるが、チャネル特性に依存する。特に、ブロードキャスティングに対して、異なる信号伝播特性によって誘発された２個のアンテナ間の受信された信号電力の差又はチャネルの強いＬＯＳ成分は、ＭＩＭＯから容量利得を得ることを困難にし得る。提案されたＭＩＭＯエンコーディング方式は、ＭＩＭＯ出力信号のうち一つの回転基盤プリコーディング及び位相ランダム化を用いてこの問題を克服する。
【０１４４】
ＭＩＭＯエンコーディングは、送信機及び受信機で少なくとも２個のアンテナを必要とする２ｘ２  ＭＩＭＯシステムを目的とすることができる。この提案において、２個のＭＩＭＯエンコーディングモード、すなわち、ＦＲ−ＳＭ（ｆｕｌｌ−ｒａｔｅ  ｓｐａｔｉａｌ  ｍｕｌｔｉｐｌｅｘｉｎｇ）及びＦＲＦＤ−ＳＭ（ｆｕｌｌ−ｒａｔｅ  ｆｕｌｌ−ｄｉｖｅｒｓｉｔｙ  ｓｐａｔｉａｌ  ｍｕｌｔｉｐｌｅｘｉｎｇ）が定義される。ＦＲ−ＳＭエンコーディングは、受信機側で比較的小さい複雑度の増加と共に容量の増加を提供するが、ＦＲＦＤ−ＳＭエンコーディングは、受信機側で大きい複雑度の増加と共に、容量の増加及び追加の多様性利得を提供する。提案されたＭＩＭＯエンコーディング方式は、アンテナ極性構成に対する制限を有さない。
【０１４５】
ＭＩＭＯ処理は、アドバンスドプロファイルフレームのために要求することができ、これは、アドバンスドプロファイルフレーム内のすべてのＤＰがＭＩＭＯエンコーダによって処理されることを意味する。ＭＩＭＯ処理はＤＰレベルで適用することができる。星状マッパ出力（ｃｏｎｓｔｅｌｌａｔｉｏｎ  ｍａｐｐｅｒ  ｏｕｔｐｕｔ）（ＮＵＱ）のペア（ｅ1,i及びｅ2,i）は、ＭＩＭＯエンコーダの入力に供給することができる。ＭＩＭＯエンコーダ出力のペア（ｇ1,i及びｇ2,i）は、それぞれのＴＸアンテナのＯＦＤＭシンボル（ｌ）及び同一のキャリア（ｋ）によって送信され得る。
【０１４６】
上述したブロックは、省略したり、類似又は同一の機能を有するブロックに取り替えることができる。
【０１４７】
図６は、本発明の他の実施例に係るＢＩＣＭブロックを示す図である。
【０１４８】
図６に示したＢＩＣＭブロックは、図１を参照して説明したＢＩＣＭブロック１０１０の実施例に該当する。
【０１４９】
図６は、物理層シグナリング（ＰＬＳ）、非常境界チャネル（ＥＡＣ）及び高速情報チャネル（ＦＩＣ）の保護のためのＢＩＣＭブロックを示す。ＥＡＣは、ＥＡＳ情報を伝達するフレームの一部であって、ＦＩＣは、サービスと該当ベースＤＰとの間のマッピング情報を伝達するフレーム内の論理チャネルである。ＥＡＣ及びＦＩＣの細部事項については後で説明する。
【０１５０】
図６を参照すると、ＰＬＳ、ＥＡＣ及びＦＩＣの保護のためのＢＩＣＭブロックは、ＰＬＳ  ＦＥＣエンコーダ６０００、ビットインタリーバ６０１０、星状マッパ６０２０及びタイムインタリーバ６０３０を含むことができる。
【０１５１】
また、ＰＬＳ  ＦＥＣエンコーダ６０００は、スクランブラ、ＢＣＨエンコーディング／ゼロ挿入ブロック、ＬＤＰＣエンコーディングブロック及びＬＤＰＣパリティパンクチャリングブロックを含むことができる。以下では、ＢＩＣＭブロックの各ブロックを説明する。
【０１５２】
ＰＬＳ  ＦＥＣエンコーダ６０００は、スクランブルされたＰＬＳ  １／２データ、ＥＡＣ及びＦＩＣセクションをエンコードすることができる。
【０１５３】
スクランブラは、ＢＣＨエンコーディング及び短縮及びパンクチャされたＬＤＰＣエンコーディング前にＰＬＳ１データ及びＰＬＳ２データをスクランブルすることができる。
【０１５４】
ＢＣＨエンコーディング／ゼロ挿入ブロックは、ＰＬＳ保護のために短縮されたＢＣＨコードを用いてスクランブルされたＰＬＳ  １／２データに対してアウターエンコーディングを行い、ＢＣＨエンコーディング後にゼロビットを挿入することができる。ＰＬＳ１データに対してのみ、ＬＤＰＣエンコーディング前にゼロ挿入の出力ビットがパーミュート（ｐｅｒｍｕｔｅ）され得る。
【０１５５】
ＬＤＰＣエンコーディングブロックは、ＬＤＰＣコードを用いてＢＣＨエンコーディング／ゼロ挿入ブロックの出力をエンコードすることができる。完全なコーディングブロック（Ｃldpc）を生成するために、パリティビット（Ｐldpc）がそれぞれのゼロ挿入ＰＬＳ情報ブロック（Ｉldpc）から組織的にエンコードされ、その後に添付される。
【０１５６】
【数１】
0006267358.tif 000005
【０１５７】
ＰＬＳ１及びＰＬＳ２に対するＬＤＰＣコードパラメータは、次の表４の通りである。
【０１５８】
【表４】
0006267358.tif 000006
【０１５９】
ＬＤＰＣパリティパンクチャリングブロックは、ＰＬＳ１データ及びＰＬＳ２データに対してパンクチャリングを行うことができる。
【０１６０】
ＰＬＳ１データ保護に短縮が適用されると、任意のＬＤＰＣパリティビットは、ＬＤＰＣエンコーディング後にパンクチャされる。また、ＰＬＳ２データの保護のために、ＰＬＳ２のＬＤＰＣパリティビットはＬＤＰＣエンコーディング後にパンクチャされる。これらパンクチャされたビットは送信されない。
【０１６１】
ビットインタリーバ６０１０は、それぞれ短縮及びパンクチャされたＰＬＳ１データ及びＰＬＳ２データをインタリーブする。
【０１６２】
星状マッパ６０２０は、ビットインタリーブされたＰＬＳ１データ及びＰＬＳ２データを星状にマップすることができる。
【０１６３】
時間インタリーバ６０３０は、マップされたＰＬＳ１データ及びＰＬＳ２データをインタリーブすることができる。
【０１６４】
上述したブロックは、省略したり、類似又は同一の機能を有するブロックに取り替えることができる。
【０１６５】
図７は、本発明の一実施例に係るフレームビルディングブロックを示す図である。
【０１６６】
図７に示したフレームビルディングブロックは、図１を参照して説明したフレームビルディングブロック１０２０の実施例に該当する。
【０１６７】
図７を参照すると、フレームビルディングブロックは、遅延補償ブロック７０００、セルマッパ７０１０及び周波数インタリーバ７０２０を含むことができる。以下では、フレームビルディングブロックのそれぞれのブロックを説明する。
【０１６８】
遅延補償ブロック７０００は、データパイプと対応ＰＬＳデータとの間のタイミングを調節し、送信端で時間が共に合わせられるように保証することができる。ＰＬＳデータは、入力フォーマッティングブロック及びＢＩＣＭブロックによって誘発されたデータパイプの遅延を処理することによって、データパイプと同一の量だけ遅延される。ＢＩＣＭブロックの遅延は、主に時間インタリーバ５０５０による。帯域内シグナリングデータは、次のＴＩグループの情報を伝達し、シグナリングされるＤＰより一つのフレームだけ速く伝達される。よって、遅延補償ブロックは、帯域内シグナリングデータを遅延させる。
【０１６９】
セルマッパ７０１０は、ＰＬＳ、ＥＡＣ、ＦＩＣ、ＤＰ、補助ストリーム及びダミーセルをフレーム内のＯＦＤＭシンボルのアクティブキャリアにマップすることができる。セルマッパ７０１０の基本機能は、もしあれば、ＤＰ、ＰＬＳセル及びＥＡＣ／ＦＩＣセルのそれぞれに対してＴＩによって生成されたデータセルをフレーム内のＯＦＤＭシンボルのそれぞれに対応するアクティブＯＦＤＭセルのアレイにマップすることである。サービスシグナリングデータ（ＰＳＩ（ｐｒｏｇｒａｍ  ｓｐｅｃｉｆｉｃ  ｉｎｆｏｒｍａｔｉｏｎ）／ＳＩ））は、データパイプによって個別的に集めて送信することができる。セルマッパは、スケジューラによって生成された動的情報及びフレーム構造の構成によって動作する。フレームの細部事項については後で説明する。
【０１７０】
周波数インタリーバ７０２０は、セルマッパ７０１０から受信されたデータセルをランダムにインタリーブし、周波数多様性を提供することができる。また、周波数インタリーバ７０２０は、異なるインタリービングシード（ｉｎｔｅｒｌｅａｖｉｎｇ−ｓｅｅｄ）順序を用いて２個の順次的なＯＦＤＭシンボルで構成されるＯＦＤＭシンボルペアに対して動作し、単一フレーム内の最大のインタリービング利得を得ることができる。周波数インタリーバ７０２０の動作の細部事項については後で説明する。
【０１７１】
上述したブロックは、省略したり、類似又は同一の機能を有するブロックに取り替えることができる。
【０１７２】
図８は、本発明の実施例に係るＯＦＤＭ生成ブロックを示す図である。
【０１７３】
図８に示したＯＦＤＭ生成ブロックは、図１を参照して説明したＯＦＤＭ生成ブロック１０３０の実施例に該当する。
【０１７４】
ＯＦＤＭ生成ブロックは、フレームビルディングブロックによって生成されたセルによってＯＦＤＭキャリアを変調し、パイロットを挿入し、送信される時間領域信号を生成する。また、このブロックは、保護区間を順次挿入し、ＰＡＰＲ（ｐｅａｋ−ｔｏ−ａｖｅｒａｇｅ  ｐｏｗｅｒ  ｒａｔｉｏ）減少処理を適用して最終ＲＦ信号を生成する。
【０１７５】
図８を参照すると、フレームビルディングブロックは、パイロット及び予約トーン挿入ブロック８０００、２Ｄ−ｅＳＦＮエンコーディングブロック８０１０、ＩＦＦＴ（ｉｎｖｅｒｓｅ  ｆａｓｔ  Ｆｏｕｒｉｅｒ  ｔｒａｎｓｆｏｒｍ）ブロック８０２０、ＰＡＰＲ減少ブロック８０３０、保護区間挿入ブロック８０４０、プリアンブル挿入ブロック８０５０、他のシステム挿入ブロック８０６０及びＤＡＣブロック８０７０を含むことができる。以下では、フレームビルディングブロックのそれぞれのブロックを説明する。
【０１７６】
パイロット及び予約トーン挿入ブロック８０００は、パイロット及び予約トーンを挿入することができる。
【０１７７】
ＯＦＤＭシンボル内の多様なセルは、パイロットとして知られた基準情報で変調され、パイロットは、受信機で先験的に知られた送信値を有する。パイロットセルの情報は、分散されたパイロット、反復パイロット（ｃｏｎｔｉｎｕａｌ  ｐｉｌｏｔ）、エッジパイロット、ＦＳＳ（ｆｒａｍｅ  ｓｉｇｎａｌｉｎｇ  ｓｙｍｂｏｌ）パイロット及びＦＥＳ（ｆｒａｍｅ  ｅｄｇｅ  ｓｙｍｂｏｌ）パイロットで構成される。それぞれのパイロットは、パイロットタイプ及びパイロットパターンによって特定のブースティング電力レベルで送信される。パイロット情報の値は、任意の与えられたシンボル上のそれぞれの送信されたキャリアに対して一連の値である基準シーケンスから導出される。パイロットは、フレーム同期化、周波数同期化、時間同期化、チャネル推定及び送信モード識別に使用することができ、また、位相雑音をフォローする（ｆｏｌｌｏｗｉｎｇ）のに使用することができる。
【０１７８】
基準シーケンスから取得された基準情報は、フレームのプリアンブル、ＦＳＳ及びＦＥＳを除いたすべてのシンボルで分散されたパイロットセルで送信される。反復パイロットは、フレームのすべてのシンボルに挿入される。反復パイロットの数と位置は、ＦＦＴサイズ及び分散されたパイロットパターンに依存する。エッジキャリアは、プリアンブルシンボルを除いたすべてのシンボル内のエッジパイロットである。これらは、スペクトルのエッジまで周波数補間を許容するために挿入される。ＦＳＳパイロットはＦＳＳに挿入され、ＦＥＳパイロットはＦＥＳに挿入される。これらは、フレームのエッジまで時間補間を許容するために挿入される。
【０１７９】
本発明の実施例に係るシステムは、ＳＦＮネットワークをサポートし、分散型ＭＩＳＯ方式は、選択的に非常にロバストな送信モードをサポートするのに使用される。２Ｄ−ｅＳＦＮは、多数のＴＸアンテナを用いる分散型ＭＩＳＯ方式であって、それぞれのＴＸアンテナはＳＦＮネットワーク内の異なる送信側に配置される。
【０１８０】
２Ｄ−ｅＳＦＮエンコーディングブロック８０１０は、ＳＦＮ構成で時間及び周波数多様性を生成するために２Ｄ−ｅＳＦＮ処理を行い、多数の送信機から送信された信号の位相を歪曲することができる。そのため、長い時間の間の低いフラットフェーディング又は深いフェーディングによるバーストエラーを緩和することができる。
【０１８１】
ＩＦＦＴブロック８０２０は、ＯＦＤＭ変調方式を用いて２Ｄ−ｅＳＦＮエンコーディングブロック８０１０からの出力を変調することができる。パイロットとして（又は予約トーンとして）指定されていないデータシンボル内の任意のセルは、周波数インタリーバからのデータセルのうち一つを伝達する。セルはＯＦＤＭキャリアにマップされる。
【０１８２】
ＰＡＰＲ減少ブロック８０３０は、時間領域内の多様なＰＡＰＲ減少アルゴリズムを用いて入力信号に対するＰＡＰＲ減少を行うことができる。
【０１８３】
保護区間挿入ブロック８０４０は保護区間を挿入することができ、プリアンブル挿入ブロック８０５０は信号の前にプリアンブルを挿入することができる。プリアンブルの構造の細部事項については後で説明する。他のシステム挿入ブロック８０６０は、時間領域で複数の放送送受信システムの信号をマルチプレクスし、放送サービスを提供する２個以上の異なる放送送信／受信システムのデータが同一のＲＦ信号帯域幅で同時に送信され得る。この場合、２個以上の異なる放送送受信システムは、異なる放送サービスを提供するシステムを称する。異なる放送サービスは、地上波放送サービス、モバイル放送サービスなどを称する。それぞれの放送サービスと関連するデータは、異なるフレームを通じて送信され得る。
【０１８４】
ＤＡＣブロック８０７０は、入力デジタル信号をアナログシンホルに変換し、アナログ信号を出力することができる。ＤＡＣブロック８０７０から出力された信号は、物理層プロファイルによって多数の出力アンテナを介して送信され得る。本発明の実施例に係るＴＸアンテナは、垂直又は水平極性（ｐｏｌａｒｉｔｙ）を有することができる。
【０１８５】
上述したブロックは、省略したり、類似又は同一の機能を有するブロックに取り替えることができる。
【０１８６】
図９は、本発明の実施例によって未来の放送サービスのための放送信号を受信する装置の構造を示す図である。
【０１８７】
本発明の実施例によって未来の放送サービスのための放送信号を受信する装置は、図１を参照して説明した未来の放送サービスのために放送信号を送信する装置に対応し得る。
【０１８８】
本発明の実施例によって未来の放送サービスのための放送信号を受信する装置は、同期化及び復調モジュール９０００、フレームパーシングモジュール９０１０、デマッピング及びデコーディングモジュール９０２０、出力プロセッサ９０３０及びシグナリングデコーディングモジュール９０４０を含むことができる。以下では、放送信号を受信する装置の各モジュールの動作を説明する。
【０１８９】
同期化及び復調モジュール９０００は、ｍ個のＲｘアンテナを介して入力信号を受信し、放送信号を受信する装置に対応するシステムに対して信号検出及び同期化を行い、放送信号を送信する装置によって行われる手続の逆の手続に対応する復調を行うことができる。
【０１９０】
フレームパーシングモジュール９１００は、入力信号フレームをパースし、ユーザによって選択されたサービスが送信されるデータを抽出することができる。放送信号を送信する装置がインタリービングを行うと、フレームパーシングモジュール９１００は、インタリービングの逆の手続に対応するデインタリービングを行うことができる。この場合、抽出される必要がある信号及びデータの位置は、シグナリングデコーディングモジュール９４００から出力されたデータをデコードし、放送信号を送信する装置によって生成されたシグナリング情報を回復することによって得ることができる。
【０１９１】
デマッピング及びデコーディングモジュール９２００は、入力信号をビット領域データに変換した後、必要に応じてデインタリービングを行うことができる。デマッピング及びデコーディングモジュール９２００は、送信効率のために適用されたマッピングに対してデマッピングを行い、デコーディングを通じて送信チャネルに対して生成された誤りを訂正することができる。この場合、デマッピング及びデコーディングモジュール９２００は、シグナリングデコーディングモジュール９４００から出力されたデータをデコードすることによって、デマッピング及びデコーディングに必要な送信パラメータを得ることができる。
【０１９２】
出力プロセッサ９３００は、放送信号を送信し、送信効率を改善する装置によって適用される多様な圧縮／信号処理手続の逆の手続を行うことができる。この場合、出力プロセッサ９３００は、シグナリングデコーディングモジュール９４００から出力されたデータから必要な制御情報を得ることができる。出力プロセッサ８３００の出力は、放送信号を送信する装置に入力される信号に対応し、ＭＰＥＧ−ＴＳ、ＩＰストリーム（ｖ４又はｖ６）及び一般ストリームであり得る。
【０１９３】
シグナリングデコーディングモジュール９４００は、同期化及び復調モジュール９０００によって復調された信号からＰＬＳ情報を得ることができる。上述したように、フレームパーシングモジュール９１００、デマッピング及びデコーディングモジュール９２００及び出力プロセッサ９３００は、シグナリングデコーディングモジュール９４００から出力されたデータを用いてその機能を実行することができる。
【０１９４】
図１０は、本発明の実施例に係るフレーム構造を示す図である。
【０１９５】
図１０は、スーパーフレーム内のフレームタイプ及びＦＲＵの例示的な構成を示す。（ａ）は、本発明の実施例に係るスーパーフレームを示し、（ｂ）は、本発明の実施例に係るＦＲＵ（ｆｒａｍｅ  ｒｅｐｅｔｉｔｉｏｎ  ｕｎｉｔ）を示し、（ｃ）は、ＦＲＵ内の可変ＰＨＹプロファイルのフレームを示し、（ｄ）はフレームの構造を示す。
【０１９６】
スーパーフレームは８個のＦＲＵで構成することができる。ＦＲＵは、フレームのＴＤＭのための基本マルチプレキシング単位であって、スーパーフレーム内で８回繰り返される。
【０１９７】
ＦＲＵ内の各フレームは、ＰＨＹプロファイル（ベース、ハンドヘルド、アドバンスド）及びＦＥＴのうち一つに属する。ＦＲＵ内のフレームの最大許容数は４であり、与えられたＰＨＹプロファイルは、ＦＲＵ（例えば、ベース、ハンドヘルド、アドバンスド）で０倍から４倍までの任意の回数だけ表れ得る。ＰＨＹプロファイルの定義は、必要であれば、プリアンブル内のＰＨＹ_ＰＲＯＦＩＬＥの予約値を用いて拡張することができる。
【０１９８】
ＦＥＴ部分は、含まれるならば、ＦＲＵの端に挿入される。ＦＥＴがＦＲＵに含まれると、スーパーフレームでＦＥＴの最小数は８である。ＦＥＴ部分が互いに隣接することは推薦されない。
【０１９９】
また、一つのフレームは、多数のＯＦＤＭシンボル及びプリアンブルに分離される。（ｄ）に示したように、フレームは、プリアンブル、一つ以上のフレームシグナリングシンボル（ＦＳＳ）、正常データシンボル及びフレームエッジシンボル（ＦＥＳ）を含む。
【０２００】
プリアンブルは、高速フューチャーキャストＵＴＢシステム信号の検出が可能であり、信号の効率的な送受信のための基本送信パラメータのセットを提供する特殊シンボルである。プリアンブルの細部説明については後で説明する。
【０２０１】
ＦＳＳの主要目的はＰＬＳデータを伝達することにある。高速同期化及びチャネル推定、及びＰＬＳデータの高速デコーディングのために、ＦＳＳは、正常データシンボルより密集したパイロットパターンを有する。ＦＥＳは、正確にＦＳＳと同一のパイロットを有し、これは、ＦＥＳの直前のシンボルに対して外挿せず、ＦＥＳ内の周波数専用補間及び時間補間を可能にする。
【０２０２】
図１１は、本発明の実施例に係るフレームのシグナリング層構造を示す図である。
【０２０３】
図１１は、３個の主要部分、すなわち、プリアンブルシグナリングデータ１１０００、ＰＬＳ１データ１１０１０及びＰＬＳ２データ１１０２０に分離されたシグナリング層構造を示す。すべてのフレームでプリアンブルシンボルによって伝達されるプリアンブルの目的は、そのフレームの送信タイプ及び基本送信パラメータを指示することにある。ＰＬＳ１は、受信機がＰＬＳ２データにアクセスし、ＰＬＳ２データをデコードするようにし、これは、関心のあるＤＰにアクセスするパラメータを含む。ＰＬＳ２は、すべてのフレームで伝達され、２個の主要部分、すなわち、ＰＬＳ２−ＳＴＡＴデータ及びＰＬＳ２−ＤＹＮデータに分離される。ＰＬＳ２データの静的及び動的部分には、必要であればパディングが後に来る。
【０２０４】
図１２は、本発明の実施例に係るプリアンブルシグナリングデータを示す図である。
【０２０５】
プリアンブルシグナリングデータは、フレーム構造内で受信機がＰＬＳデータにアクセスし、ＤＰをトレースさせるのに必要な情報の２１ビットを伝達する。プリアンブルシグナリングの細部事項は次の通りである。
【０２０６】
ＰＨＹ_ＰＲＯＦＩＬＥ：この３ビットフィールドは、現在のフレームのＰＨＹプロファイルタイプを示す。異なるＰＨＹプロファイルタイプのマッピングは、以下の表５に与えられる。
【０２０７】
【表５】
0006267358.tif 000007
【０２０８】
ＦＦＴ_ＳＩＺＥ：この２ビットフィールドは、以下の表６に記載したように、フレームグループ内の現在のフレームのＦＦＴサイズを示す。
【０２０９】
【表６】
0006267358.tif 000008
【０２１０】
ＧＩ_ＦＲＡＣＴＩＯＮ：この３ビットフィールドは、以下の表７に記載したように、現在のスーパーフレーム内の保護区間分数（ｆｒａｃｔｉｏｎ）値を示す。
【０２１１】
【表７】
0006267358.tif 000009
【０２１２】
ＥＡＣ_ＦＬＡＧ：この１ビットフィールドは、ＥＡＣが現在のフレームに提供されるか否かを示す。このフィールドが「１」に設定されると、ＥＡＳ（ｅｍｅｒｇｅｎｃｙ  ａｌｅｒｔ  ｓｅｒｖｉｃｅ）が現在のフレームで提供される。このフィールドが「０」に設定されると、ＥＡＳが現在のフレームで伝達されない。このフィールドは、スーパーフレーム内で動的にスイッチされ得る。
【０２１３】
ＰＩＬＯＴ_ＭＯＤＥ：この１ビットフィールドは、プロファイルモードが現在のフレームグループ内の現在のフレームに対してモバイルモードであるのか、それとも固定モードであるのかを指示する。このフィールドが「０」に設定されると、モバイルパイロットモードが使用される。フィールドが「１」に設定されると、固定パイロットモードが使用される。
【０２１４】
ＰＡＰＲ_ＦＬＡＧ：この１ビットフィールドは、ＰＡＰＲ減少が現在のフレームグループ内の現在のフレームに使用されるか否かを指示する。このフィールドが「１」に設定されると、ＰＡＰＲ減少にトーン予約（ｔｏｎｅ  ｒｅｓｅｒｖａｔｉｏｎ）が使用される。このフィールドが「０」に設定されると、ＰＡＰＲ減少が使用されない。
【０２１５】
ＦＲＵ_ＣＯＮＦＩＧＵＲＥ：この３ビットフィールドは、現在のスーパーフレーム内に存在するＦＲＵ（ｆｒａｍｅ  ｒｅｐｅｔｉｔｉｏｎ  ｕｎｉｔ）のＰＨＹプロファイルタイプ構成を示す。現在のスーパーフレームで伝達されるすべてのプロファイルタイプは、現在のスーパーフレーム内のすべてのフレーム内のこのフィールドで識別される。３ビットフィールドは、以下の表８に示したように、各プロファイルに対する異なる定義を有する。
【０２１６】
【表８】
0006267358.tif 000010
【０２１７】
ＲＥＳＥＲＶＥＤ：この７ビットフィールドが未来の使用のために予約される。
【０２１８】
図１３は、本発明の実施例に係るＰＬＳ１データを示す図である。
【０２１９】
ＰＬＳ１データは、ＰＬＳ２の受信及びデコーディングを可能にするのに必要なパラメータを含む基本送信パラメータを提供する。上述したように、ＰＬＳ１データは、一つのフレームグループの全体のデュレーションの間に変更されない。ＰＬＳ１データのシグナリングフィールドの詳細な定義は次の通りである。
【０２２０】
ＰＲＥＡＭＢＬＥ_ＤＡＴＡ：この２０ビットフィールドは、ＥＡＣ_ＦＬＡＧを除いたプリアンブルシグナリングデータの写本である。
【０２２１】
ＮＵＭ_ＦＲＡＭＥ_ＦＲＵ：この２ビットフィールドは、ＦＲＵ当たりのフレームの数を示す。
【０２２２】
ＰＡＹＬＯＡＤ_ＴＹＰＥ：この３ビットフィールドは、フレームグループで伝達されるペイロードデータのフォーマットを指示する。ＰＡＹＬＯＡＤ_ＴＹＰＥは、表９に示したようにシグナリングされる。
【０２２３】
【表９】
0006267358.tif 000011
【０２２４】
ＮＵＭ_ＦＳＳ：この２ビットフィールドは、現在のフレーム内のＦＳＳシンボルの数を示す。
【０２２５】
ＳＹＳＴＥＭ_ＶＥＲＳＩＯＮ：この８ビットフィールドは、送信された信号フォーマットのバージョンを示す。ＳＹＳＴＥＭ_ＶＥＲＳＩＯＮは、２個の４ビットフィールド、すなわち、メジャーバージョン及びマイナーバージョンに分離される。
【０２２６】
メジャーバージョン：ＳＹＳＴＥＭ_ＶＥＲＳＩＯＮフィールドのＭＳＢ４ビットは、メジャーバージョン情報を示す。メジャーバージョンフィールドの変化は、非−下位−互換（ｎｏｎ−ｂａｃｋｗａｒｄ−ｃｏｍｐａｔｉｂｌｅ）変化を示す。デフォルト値は「００００」である。この標準に記載したバージョンにおいて、値は「００００」に設定される。
【０２２７】
マイナーバージョン：ＳＹＳＴＥＭ_ＶＥＲＳＩＯＮのＬＳＢ４ビットは、マイナーバージョン情報を示す。マイナーバージョンフィールドの変化は下位互換性である。
【０２２８】
ＣＥＬＬ_ＩＤ：これは、ＡＴＳＣネットワークで地理的なセルを固有に識別する１６ビットフィールドである。ＡＴＳＣセルカバレッジ領域は、フューチャーキャストＵＴＢシステムに使用される周波数の数に依存し、一つ以上の周波数で構成することができる。ＣＥＬＬ_ＩＤの値が知られていないか、特定されていない場合、このフィールドは「０」に設定される。
【０２２９】
ＮＥＴＷＯＲＫ_ＩＤ：これは、現在のＡＴＳＣネットワークを固有に識別する１６ビットフィールドである。
【０２３０】
ＳＹＳＴＥＭ_ＩＤ：この１６ビットフィールドは、ＡＴＳＣネットワーク内のフューチャーキャストＵＴＢシステムを固有に識別する。フューチャーキャストＵＴＢシステムは、入力が一つ以上の入力ストリーム（ＴＳ、ＩＰ、ＧＳ）であって、出力がＲＦ信号である地上波放送システムである。フューチャーキャストＵＴＢシステムは、もしあれば、一つ以上のＰＨＹプロファイル及びＦＥＴを伝達する。同一のフューチャーキャストＵＴＢシステムは、異なる入力ストリームを伝達することができ、異なる地理的領域で異なるＲＦ周波数を使用してローカルサービス挿入を許容する。フレーム構造及びスケジューリングは、一つの場所で制御され、フューチャーキャストＵＴＢシステム内ですべての送信に対して同一である。一つ以上のフューチャーキャストＵＴＢシステムは、すべて同一の物理層構造及び構成を有することを意味する同一のＳＹＳＴＥＭ_ＩＤを有することができる。
【０２３１】
次のループは、各フレームタイプのＦＲＵ構成及び長さを指示するのに使用されるＦＲＵ_ＰＨＹ_ＰＲＯＦＩＬＥ、ＦＲＵ_ＦＲＡＭＥ_ＬＥＮＧＴＨ、ＦＲＵ_ＧＩ_ＦＲＡＣＴＩＯＮ及びＲＥＳＥＲＶＥＤで構成される。ループサイズは固定され、４個のＰＨＹプロファイル（ＦＥＴを含む）がＦＲＵ内でシグナリングされる。ＮＵＭ_ＦＲＡＭＥ_ＦＲＵが４より小さいと、使用されないフィールドはゼロで充填される。
【０２３２】
ＦＲＵ_ＰＨＹ_ＰＲＯＦＩＬＥ：この３ビットフィールドは、連関したＦＲＵの（ｉ＋１）番目（ｉは、ループインデックスである）フレームのＰＨＹプロファイルタイプを示す。このフィールドは、表８に示したように、同一のシグナリングフォーマットを使用する。
【０２３３】
ＦＲＵ_ＦＲＡＭＥ_ＬＥＮＧＴＨ：この２ビットフィールドは、連関したＦＲＵの（ｉ＋１）番目のフレームの長さを示す。ＦＲＵ_ＧＩ_ＦＲＡＣＴＩＯＮと共にＦＲＵ_ＦＲＡＭＥ_ＬＥＮＧＴＨを用いて、フレームデュレーションの正確な値を得ることができる。
【０２３４】
ＦＲＵ_ＧＩ_ＦＲＡＣＴＩＯＮ：この３ビットフィールドは、連関したＦＲＵの（ｉ＋１）番目のフレームの保護区間分数値を示す。ＦＲＵ_ＧＩ_ＦＲＡＣＴＩＯＮは、表７によってシグナリングされる。
【０２３５】
ＲＥＳＥＲＶＥＤ：この４ビットフィールドが未来の使用のために予約される。
【０２３６】
次のフィールドは、ＰＬＳ２データをデコードするパラメータを提供する。
【０２３７】
ＰＬＳ２_ＦＥＣ_ＴＹＰＥ：この２ビットフィールドは、ＰＬＳ２保護によって使用されるＦＥＣタイプを示す。ＦＥＣタイプは、表１０によってシグナリングされる。ＬＤＰＣコードの細部事項については後で説明する。
【０２３８】
【表１０】
0006267358.tif 000012
【０２３９】
ＰＬＳ２_ＭＯＤ：この３ビットフィールドは、ＰＬＳ２によって使用される変調タイプを示す。変調タイプは、表１１によってシグナリングされる。
【０２４０】
【表１１】
0006267358.tif 000013
【０２４１】
ＰＬＳ２_ＳＩＺＥ_ＣＥＬＬ：この１５ビットフィールドは、現在のフレームグループで伝達されるＰＬＳ２に対するフルコーディングブロック（ｆｕｌｌ  ｃｏｄｅｄ  ｂｌｏｃｋｓ）の集合（ｃｏｌｌｅｃｔｉｏｎ）のサイズ（ＱＡＭセルの数として特定される）（Ｃtotal_partial_block）を示す。この値は、現在のフレームグループの全体のデュレーションの間に一定である。
【０２４２】
ＰＬＳ２_ＳＴＡＴ_ＳＩＺＥ_ＢＩＴ：この１４ビットフィールドは、現在のフレームグループに対するＰＬＳ２−ＳＴＡＴのビットサイズを示す。この値は、現在のフレームグループの全体のデュレーションの間に一定である。
【０２４３】
ＰＬＳ２_ＤＹＮ_ＳＩＺＥ_ＢＩＴ：この１４ビットフィールドは、現在のフレームグループに対するＰＬＳ２−ＤＹＮのビットサイズを示す。この値は、現在のフレームグループの全体のデュレーションの間に一定である。
【０２４４】
ＰＬＳ２_ＲＥＰ_ＦＬＡＧ：この１ビットフラグは、現在のフレームグループでＰＬＳ２反復モードが使用されるか否かを示す。このフィールドが値「１」に設定されると、ＰＬＳ２反復モードが活性化される。このフィールドが値「０」に設定されると、ＰＬＳ２反復モードが非活性化される。
【０２４５】
ＰＬＳ２_ＲＥＰ_ＳＩＺＥ_ＣＥＬＬ：この１５ビットフィールドは、ＰＬＳ２反復が使用されるとき、現在のフレームグループのすべてのフレームで伝達されるＰＬＳ２に対する部分コーディングブロック（ｐａｒｔｉａｌ  ｃｏｄｅｄ  ｂｌｏｃｋｓ）の集合（ｃｏｌｌｅｃｔｉｏｎ）のサイズ（ＱＡＭセルの数として特定される）（Ｃtotal_partial_block）を示す。反復が使用されない場合、このフィールドの値は０と同一である。この値は、現在のフレームグループの全体のデュレーションの間に一定である。
【０２４６】
ＰＬＳ２_ＮＥＸＴ_ＦＥＣ_ＴＹＰＥ：この２ビットフィールドは、次のフレームグループのすべてのフレームで伝達されるＰＬＳ２に使用されるＦＥＣタイプを示す。ＦＥＣタイプは、表１０によってシグナリングされる。
【０２４７】
ＰＬＳ２_ＮＥＸＴ_ＭＯＤ：この３ビットフィールドは、次のフレームグループのすべてのフレームで伝達されるＰＬＳ２に使用される変調タイプを示す。変調タイプは、表１１によってシグナリングされる。
【０２４８】
ＰＬＳ２_ＮＥＸＴ_ＲＥＰ_ＦＬＡＧ：この１ビットフィールドは、次のフレームグループでＰＬＳ２反復モードが使用されるか否かを示す。このフィールドが値「１」に設定されると、ＰＬＳ２反復モードが活性化される。このフィールドが値「０」に設定されると、ＰＬＳ２反復モードが非活性化される。
【０２４９】
ＰＬＳ２_ＮＥＸＴ_ＲＥＰ_ＳＩＺＥ_ＣＥＬＬ：この１５ビットフィールドは、ＰＬＳ２反復が使用されるとき、次のフレームグループのすべてのフレームで伝達されるＰＬＳ２に対するフルコーディングブロック（ｆｕｌｌ  ｃｏｄｅｄ  ｂｌｏｃｋｓ）の集合（ｃｏｌｌｅｃｔｉｏｎ）のサイズ（ＱＡＭセルの数として特定される）（Ｃtotal_partial_block）を示す。次のフレームグループで反復が使用されない場合、このフィールドの値は０と同一である。この値は、現在のフレームグループで一定である。
【０２５０】
ＰＬＳ２_ＮＥＸＴ_ＲＥＰ_ＳＴＡＴ_ＳＩＺＥ_ＢＩＴ：この１４ビットフィールドは、次のフレームグループに対するＰＬＳ２−ＳＴＡＴのビットサイズを示す。この値は、現在のフレームグループで一定である。
【０２５１】
ＰＬＳ２_ＮＥＸＴ_ＲＥＰ_ＤＹＮ_ＳＩＺＥ_ＢＩＴ：この１４ビットフィールドは、次のフレームグループに対するＰＬＳ２−ＤＹＮのビットサイズを示す。この値は、現在のフレームグループの全体のデュレーションの間に一定である。
【０２５２】
ＰＬＳ２_ＡＰ_ＭＯＤＥ：この２ビットフィールドは、現在のフレームグループ内のＰＬＳ２に追加のパリティが提供されるか否かを示す。この値は、現在のフレームグループの全体のデュレーションの間に一定である。下記の表１２は、このフィールドの値を示す。このフィールドが「００」に設定されると、現在のフレームでＰＬＳ２に対して追加のパリティが使用されない。
【０２５３】
【表１２】
0006267358.tif 000014
【０２５４】
ＰＬＳ２_ＡＰ_ＳＩＺＥ_ＣＥＬＬ：この１５ビットフィールドは、ＰＬＳ２の追加のパリティビットのサイズ（ＱＡＭセルの数として特定される）を示す。この値は、現在のフレームグループの全体のデュレーションの間に一定である。
【０２５５】
ＰＬＳ２_ＮＥＸＴ_ＡＰ_ＭＯＤＥ：この２ビットフィールドは、次のフレームグループでＰＬＳ２に追加のパリティが提供されるか否かを示す。この値は、現在のフレームグループの全体のデュレーションの間に一定である。表１２は、このフィールドの値を定義する。
【０２５６】
ＰＬＳ２_ＮＥＸＴ_ＡＰ_ＳＩＺＥ_ＣＥＬＬ：この１５ビットフィールドは、次のフレームグループのすべてのフレームでのＰＬＳ２の追加のパリティビットのサイズ（ＱＡＭセルの数として特定される）を示す。この値は、現在のフレームグループの全体のデュレーションの間に一定である。
【０２５７】
ＲＥＳＥＲＶＥＤ：この３２ビットフィールドが未来の使用のために予約される。
【０２５８】
ＣＲＣ_３２：全体のＰＬＳ１シグナリングに適用される３２ビットエラー検出コード
【０２５９】
図１４は、本発明の実施例に係るＰＬＳ２データを示す図である。
【０２６０】
図１４は、ＰＬＳ２データのＰＬＳ２−ＳＴＡＴデータを示す。ＰＬＳ２−ＳＴＡＴデータは、フレームグループ内で同一であるが、ＰＬＳ２−ＤＹＮデータは現在のフレームに特定された情報を提供する。
【０２６１】
ＰＬＳ２−ＳＴＡＴデータのフィールドの細部事項は次の通りである。
【０２６２】
ＦＩＣ_ＦＬＡＧ：この１ビットフィールドは、ＦＩＣが現在のフレームグループに使用されるか否かを示す。このフィールドが「１」に設定されると、ＦＩＣが現在のフレームで提供される。このフィールドが「０」に設定されると、ＦＩＣが現在のフレームで伝達されない。この値は、現在のフレームグループの全体のデュレーションの間に一定である。
【０２６３】
ＡＵＸ_ＦＬＡＧ：この１ビットフィールドは、現在のフレームグループで補助ストリームが使用されるか否かを示す。このフィールドが「１」に設定されると、補助ストリームが現在のフレームで提供される。このフィールドが「０」に設定されると、補助ストリームが現在のフレームで伝達されない。この値は、現在のフレームグループの全体のデュレーションの間に一定である。
【０２６４】
ＮＵＭ_ＤＰ：この６ビットフィールドは、現在のフレームで伝達されるＤＰの数を示す。このフィールドの値は、１〜６４の範囲内にあり、ＤＰの数はＮＵＭ_ＤＰ＋１である。
【０２６５】
ＤＰ_ＩＤ：この６ビットフィールドは、ＰＨＹプロファイル内でＤＰを固有に識別する。
【０２６６】
ＤＰ_ＴＹＰＥ：この３ビットフィールドはＤＰのタイプを示す。これは、以下の表１３によってシグナリングされる。
【０２６７】
【表１３】
0006267358.tif 000015
【０２６８】
ＤＰ_ＧＲＯＵＰ_ＩＤ：この８ビットフィールドは、現在のＤＰが連関したＤＰグループを識別する。これは、受信機が特定のサービスと連関したサービスコンポーネントのＤＰにアクセスするのに使用することができ、これらＤＰは同一のＤＰ_ＧＲＯＵＰ_ＩＤを有する。
【０２６９】
ＢＡＳＥ_ＤＰ_ＩＤ：この６ビットフィールドは、管理層で使用されるサービスシグナリングデータ（ＰＳＩ／ＳＩ）を伝達するＤＰを示す。ＢＡＳＥ_ＤＰ_ＩＤで指示されたＤＰは、サービスシグナリングデータのみを伝達する専用ＤＰ又はサービスデータと共にサービスシグナリングデータを伝達する正常ＤＰであり得る。
【０２７０】
ＤＰ_ＦＥＣ_ＴＹＰＥ：この２ビットフィールドは、連関したＤＰによって使用されるＦＥＣタイプを示す。ＦＥＣタイプは、以下の表１４によってシグナリングされる。
【０２７１】
【表１４】
0006267358.tif 000016
【０２７２】
ＤＰ_ＣＯＤ：この４ビットフィールドは、連関したＤＰによって使用されるコードレートを示す。コードレートは、以下の表１５によってシグナリングされる。
【０２７３】
【表１５】
0006267358.tif 000017
【０２７４】
ＤＰ_ＭＯＤ：この４ビットフィールドは、連関したＤＰによって使用される変調を示す。変調は、以下の表１６によってシグナリングされる。
【０２７５】
【表１６】
0006267358.tif 000018
【０２７６】
ＤＰ_ＳＳＤ_ＦＬＡＧ：この１ビットフィールドは、ＳＳＤモードが連関したＤＰで使用されるか否かを示す。このフィールドが値「１」に設定されると、ＳＳＤが使用される。このフィールドが値「０」に設定されると、ＳＳＤが使用されない。
【０２７７】
ＰＨＹ_ＰＲＯＦＩＬＥがアドバンスドプロファイルを示す「０１０」と同一である場合のみに次のフィールドが表れる。
【０２７８】
ＤＰ_ＭＩＭＯ：この３ビットフィールドは、連関したＤＰにいずれのタイプのＭＩＭＯエンコーディングプロセスが適用されるのかを示す。ＭＩＭＯエンコーディングプロセスのタイプは、表１７によってシグナリングされる。
【０２７９】
【表１７】
0006267358.tif 000019
【０２８０】
ＤＰ_ＴＩ_ＴＹＰＥ：この１ビットフィールドは、時間インタリービングのタイプを示す。「０」の値は、一つのＴＩグループが一つのフレームに対応し、一つ以上のＴＩブロックを含むことを示す。「１」の値は、一つのＴＩグループが１より多いフレームで伝達され、一つのＴＩブロックのみを含むことを示す。
【０２８１】
ＤＰ_ＴＩ_ＬＥＮＧＴＨ：２ビットフィールドの使用（許容される値が１、２、４、８のみである）は、次のようにＤＰ_ＴＩ_ＴＹＰＥフィールド内に設定された値によって決定される。
【０２８２】
ＤＰ_ＴＩ_ＬＥＮＧＴＨが値「１」に設定されると、このフィールドは、ＰI、すなわち、各ＴＩグループがマップされるフレームの数を示し、ＴＩグループ当たりに一つのＴＩブロックがある（ＮTI＝１）。２ビットフィールドを有する許容されたＰI値は、以下の表１８で定義される。
【０２８３】
ＤＰ_ＴＩ_ＴＹＰＥが「０」に設定されると、このフィールドは、ＴＩグループ当たりのＴＩブロックの数（ＮTI）を示し、フレーム当たりに一つのＴＩグループがある（ＰI＝１）。２ビットフィールドを有する許容されたＰI値は、以下の表１８で定義される。
【０２８４】
【表１８】
0006267358.tif 000020
【０２８５】
ＤＰ_ＦＲＡＭＥ_ＩＮＴＥＲＶＡＬ：この２ビットフィールドは、連関したＤＰに対するフレームグループ内のフレーム区間（ＩJUMP）を示し、許容される値は１、２、４、８である（対応する２ビットフィールドは、それぞれ「００」、「０１」、「１０」、「１１」である）。フレームグループのすべてのフレームで表れないＤＰに対して、このフィールドの値は連続的なフレーム間の間隔と同一である。例えば、ＤＰがフレーム１、５、９、１３などで表れると、このフィールドは「４」に設定される。すべてのフレームで表れるＤＰに対して、このフィールドは「１」に設定される。
【０２８６】
ＤＰ_ＴＩ_ＢＹＰＡＳＳ：この１ビットフィールドは、時間インタリーバ５０５０の利用可能性を決定する。ＤＰに対して時間インタリービングが使用されない場合、これは「１」に設定される。時間インタリービングが使用される場合、これは「０」に設定される。
【０２８７】
ＤＰ_ＦＩＲＳＴ_ＦＲＡＭＥ_ＩＤＸ：この５ビットフィールドは、現在ＤＰが発生するスーパーフレームの第１フレームのインデックスを示す。ＤＰ_ＦＩＲＳＴ_ＦＲＡＭＥ_ＩＤＸの値は０〜３１の範囲内にある。
【０２８８】
ＤＰ_ＮＵＭ_ＢＬＯＣＫ_ＭＡＸ：この１０ビットフィールドは、このＤＰに対するＤＰ_ＮＵＭ_ＢＬＯＣＫＳの最大値を示す。このフィールドの値は、ＤＰ_ＮＵＭ_ＢＬＯＣＫＳと同一の範囲を有する。
【０２８９】
ＤＰ_ＰＡＹＬＯＡＤ_ＴＹＰＥ：この２ビットフィールドは、与えられたＤＰによって伝達されるペイロードデータのタイプを示す。ＤＰ_ＰＡＹＬＯＡＤ_ＴＹＰＥは、以下の表１９によってシグナリングされる。
【０２９０】
【表１９】
0006267358.tif 000021
【０２９１】
ＤＰ_ＩＮＢＡＮＤ_ＭＯＤＥ：この２ビットフィールドは、現在のＤＰが帯域内シグナリング情報を伝達するか否かを示す。帯域内シグナリングタイプは、以下の表２０によってシグナリングされる。
【０２９２】
【表２０】
0006267358.tif 000022
【０２９３】
ＤＰ_ＰＲＯＴＯＣＯＬ_ＴＹＰＥ：この２ビットフィールドは、与えられたＤＰによって伝達されるペイロードのプロトコルタイプを示す。入力ペイロードタイプが選択されると、以下の表２１によってシグナリングされる。
【０２９４】
【表２１】
0006267358.tif 000023
【０２９５】
ＤＰ_ＣＲＣ_ＭＯＤＥ：この２ビットフィールドは、入力フォーマッティングブロックでＣＲＣエンコーディングが使用されるか否かを示す。ＣＲＣモードは、以下の表２２によってシグナリングされる。
【０２９６】
【表２２】
0006267358.tif 000024
【０２９７】
ＤＮＰ_ＭＯＤＥ：この２ビットフィールドは、ＤＰ_ＰＡＹＬＯＡＤ_ＴＹＰＥがＴＳ（「００」）に設定されるとき、連関したＤＰによって使用されるヌル−パケット削除モードを示す。ＤＮＰ_ＭＯＤＥは、以下の表２３によってシグナリングされる。ＤＰ_ＰＡＹＬＯＡＤ_ＴＹＰＥがＴＳ（「００」）でない場合、ＤＮＰ_ＭＯＤＥは値「００」に設定される。
【０２９８】
【表２３】
0006267358.tif 000025
【０２９９】
ＩＳＳＹ_ＭＯＤＥ：この２ビットフィールドは、ＤＰ_ＰＡＹＬＯＡＤ_ＴＹＰＥがＴＳ（「００」）に設定されるとき、連関したＤＰによって使用されるＩＳＳＹモードを示す。ＩＳＳＹ_ＭＯＤＥは、以下の表２４によってシグナリングされる。ＤＰ_ＰＡＹＬＯＡＤ_ＴＹＰＥがＴＳ（「００」）でない場合、ＩＳＳＹ_ＭＯＤＥは値「００」に設定される。
【０３００】
【表２４】
0006267358.tif 000026
【０３０１】
ＨＣ_ＭＯＤＥ_ＴＳ：この２ビットフィールドは、ＤＰ_ＰＡＹＬＯＡＤ_ＴＹＰＥがＴＳ（「００」）に設定されるとき、連関したＤＰによって使用されるＴＳヘッダ圧縮モードを示す。ＨＣ_ＭＯＤ_ＴＳは、以下の表２５によってシグナリングされる。
【０３０２】
【表２５】
0006267358.tif 000027
【０３０３】
ＨＣ_ＭＯＤＥ_ＩＰ：この２ビットフィールドは、ＤＰ_ＰＡＹＬＯＡＤ_ＴＹＰＥがＩＰ（「０１」）に設定されるときのＩＰヘッダ圧縮モードを示す。ＨＣ_ＭＯＤ_ＩＰは、以下の表２６によってシグナリングされる。
【０３０４】
【表２６】
0006267358.tif 000028
【０３０５】
ＰＩＤ：この１３ビットフィールドは、ＤＰ_ＰＡＹＬＯＡＤ_ＴＹＰＥがＴＳ（「００」）に設定され、ＨＣ_ＭＯＤＥ_ＴＳが「０１」又は「１０」に設定されるときのＴＳヘッダ圧縮のためのＰＩＤ番号を示す。
【０３０６】
ＲＥＳＥＲＶＥＤ：この８ビットフィールドは、未来の使用のために予約される。
【０３０７】
ＦＩＣ_ＦＬＡＧが「１」と同一である場合のみに次のフィールドが表れる。
【０３０８】
ＦＩＣ_ＶＥＲＳＩＯＮ：この８ビットフィールドは、ＦＩＣのバージョン番号を示す。
【０３０９】
ＦＩＣ_ＬＥＮＧＴＨ_ＢＹＴＥ：この１３ビットフィールドは、ＦＩＣのバイト長さを示す。
【０３１０】
ＲＥＳＥＲＶＥＤ：この８ビットフィールドは、未来の使用のために予約される。
【０３１１】
ＡＵＸ_ＦＬＡＧが「１」と同一である場合のみに次のフィールドが表れる。
【０３１２】
ＮＵＭ_ＡＵＸ：この４ビットフィールドは、補助ストリームの数を示す。ゼロは、補助ストリームが使用されないことを意味する。
【０３１３】
ＡＵＸ_ＣＯＮＦＩＧ_ＲＦＵ：この８ビットフィールドは、未来の使用のために予約される。
【０３１４】
ＡＵＸ_ＳＴＲＥＡＭ_ＴＹＰＥ：この４ビットフィールドは、現在の補助ストリームのタイプを示すための未来の使用のために予約される。
【０３１５】
ＵＸ_ＰＲＩＶＡＴＥ_ＣＯＮＦＩＧ：この２８ビットフィールドは、補助ストリームをシグナリングするための未来の使用のために予約される。
【０３１６】
図１５は、本発明の他の実施例に係るＰＬＳ２データを示す図である。
【０３１７】
図１５は、ＰＬＳ２データのＰＬＳ２−ＤＹＮデータを示す。ＰＬＳ２−ＤＹＮデータの値は、一つのフレームグループのデュレーションの間に変わり、フィールドのサイズは一定に維持される。
【０３１８】
ＰＬＳ２−ＤＹＮデータのフィールドの細部事項は次の通りである。
【０３１９】
ＦＲＡＭＥ_ＩＮＤＥＸ：この５ビットフィールドは、スーパーフレーム内の現在のフレームのフレームインデックスを示す。スーパーフレームの第１フレームのインデックスは「０」に設定される。
【０３２０】
ＰＬＳ_ＣＨＡＮＧＥ_ＣＯＵＮＴＥＲ：この４ビットフィールドは、構成が変更される前のスーパーフレームの数を示す。構成において、変更された後のスーパーフレームは、このフィールド内でシグナリングされる値によって指示される。このフィールドが値「００００」に設定されると、スケジュールされた変化が予想されないことを意味し、値「１」は、次のスーパーフレームで変化があることを意味する。
【０３２１】
ＦＩＣ_ＣＨＡＮＧＥ_ＣＯＵＮＴＥＲ：この４ビットフィールドは、構成（すなわち、ＦＩＣの内容）が変更される前のスーパーフレームの数を示す。構成において、変更された後のスーパーフレームは、このフィールド内でシグナリングされる値によって指示される。このフィールドが値「００００」に設定されると、スケジュールされた変化が予想されないことを意味し、値「０００１」は、次のスーパーフレームで変化があることを意味する。
【０３２２】
ＲＥＳＥＲＶＥＤ：この１６ビットフィールドは、未来の使用のために予約される。
【０３２３】
ＮＵＭ_ＤＰを通じてループで次のフィールドが表れ、これは、現在のフレームで伝達されるＤＰと連関したパラメータを示す。
【０３２４】
ＤＰ_ＩＤ：この６ビットフィールドは、ＰＨＹプロファイル内のＤＰを固有に指示する。
【０３２５】
ＤＰ_ＳＴＡＲＴ：この１５ビット（又は１３ビット）フィールドは、ＤＰＵアドレッシング方式を用いて第１ＤＰの開始位置を示す。ＤＰ_ＳＴＡＲＴフィールドは、以下の表２７に示したように、ＰＨＹプロファイル及びＦＦＴサイズによって異なる長さを有する。
【０３２６】
【表２７】
0006267358.tif 000029
【０３２７】
ＤＰ_ＮＵＭ_ＢＬＯＣＫ：この１０ビットフィールドは、現在のＤＰに対する現在のＴＩグループ内のＦＥＣブロックの数を示す。ＤＰ_ＮＵＭ_ＢＬＯＣＫの値は０〜１０２３の範囲内にある。
【０３２８】
ＲＥＳＥＲＶＥＤ：この８ビットフィールドは、未来の使用のために予約される。
【０３２９】
次のフィールドは、ＥＡＣと連関したＦＩＣパラメータを示す。
【０３３０】
ＥＡＣ_ＦＬＡＧ：この１ビットフィールドは、現在のフレーム内のＥＡＣの存在を示す。このビットは、プリアンブル内のＥＡＣ_ＦＬＡＧと同一の値である。
【０３３１】
ＥＡＳ_ＷＡＫＥ_ＵＰ_ＶＥＲＳＩＯＮ_ＮＵＭ：この８ビットフィールドは、ウェイクアップ指示のバージョン番号を示す。
【０３３２】
ＥＡＣ_ＦＬＡＧフィールドが「１」と同一である場合、次の１２ビットは、ＥＡＣ_ＬＥＮＧＴＨ_ＢＹＴＥフィールドに対して割り当てられる。ＥＡＣ_ＦＬＡＧフィールドが「０」と同一である場合、次の１２ビットは、ＥＡＣ_ＣＯＵＮＴＥＲに割り当てられる。
【０３３３】
ＥＡＣ_ＬＥＮＧＴＨ_ＢＹＴＥ：この１２ビットフィールドは、ＥＡＣのバイト長さを示す。
【０３３４】
ＥＡＣ_ＣＯＵＮＴＥＲ：この１２ビットフィールドは、ＥＡＣが到逹するフレームの前のフレームの数を示す。
【０３３５】
ＡＵＸ_ＦＬＡＧフィールドが「１」と同一である場合にのみ次のフィールドが表れる。
【０３３６】
ＡＵＸ_ＰＲＩＶＡＴＥ_ＤＹＮ：この４８ビットフィールドは、補助ストリームをシグナリングするための未来使用のために予約される。このフィールドの意味は、構成可能なＰＬＳ２−ＳＴＡＴ内のＡＵＸ_ＳＴＲＥＡＭ_ＴＹＰＥの値に依存する。
【０３３７】
ＣＲＣ_３２：全体のＰＬＳ２に適用される３２ビットエラー検出コード。
【０３３８】
図１６は、本発明の実施例に係るフレームの論理構造を示す図である。
【０３３９】
上述したように、ＰＬＳ、ＥＡＣ、ＦＩＣ、ＤＰ、補助ストリーム及びダミーセルは、フレーム内のＯＦＤＭシンボルのアクティブキャリアにマップされる。ＰＬＳ１及びＰＬＳ２は、まず、一つ以上のＦＳＳにマップされる。その後、もしあれば、ＥＡＣセルがＰＬＳフィールドの直後にマップされ、その後、もしあれば、ＦＩＣセルがマップされる。もしあれば、ＤＰは、ＰＬＳ又はＥＡＣ、ＦＩＣの後にマップされる。まず、タイプ１  ＤＰが後に来た後、タイプ２  ＤＰが後に来る。ＤＰのタイプの細部事項については後で説明する。任意の場合、ＤＰは、ＥＡＳのための任意の特殊データ又はサービスシグナリングデータを伝達することができる。もしあれば、補助ストリーム又は各ストリームがＤＰの後に来た後、ダミーセルが後に来る。これらすべてを上述した順序、すなわち、ＰＬＳ、ＥＡＣ、ＦＩＣ、ＤＰ、補助ストリーム及びダミーデータセルの順にマップすることは、フレーム内のセル容量を正確に充填する。
【０３４０】
図１７は、本発明の実施例に係るＰＬＳマッピングを示す図である。
【０３４１】
ＰＬＳセルは、ＦＳＳのアクティブキャリアにマップされる。ＰＬＳによって占有されたセルの数に依存して、一つ以上のシンボルがＦＳＳとして指定され、ＦＳＳの数（ＮFSS）は、ＰＬＳ１内のＮＵＭ_ＦＳＳによってシグナリングされる。ＦＳＳは、ＰＬＳセルを伝達する特殊シンボルである。ロバスト性及びレイテンシ（ｌａｔｅｎｃｙ）はＰＬＳの重要な問題であるので、ＦＳＳは、ＦＳＳ内の周波数専用補間及び高速同期化を許容するより高い密度のパイロットを有する。
【０３４２】
ＰＬＳセルは、図１７の例に示したように、トップ−ダウン（ｔｏｐ−ｄｏｗｎ）方式でＮFSS個のＦＳＳのアクティブキャリアにマップされる。ＰＬＳ１セルは、セルインデックスの増加順に第１ＦＳＳの第１セルから先にマップされる。ＰＬＳ２セルは、ＰＬＳ１の最後のセルの直後にマップされ、第１ＦＳＳの最後のセルインデックスまでマッピングが下向きに継続される。要求されるＰＬＳセルの総数が一つのＦＳＳのアクティブキャリアの数を超えると、マッピングは、次のＦＳＳに進行し、第１ＦＳＳと正確に同一の方式で継続される。
【０３４３】
ＰＬＳマッピングの完了後、ＤＰが次に伝達される。ＥＡＣ、ＦＩＣ又はＥＡＣ及びＦＩＣが現在のフレームに存在すると、これらはＰＬＳと「正常」ＤＰとの間に配置される。
【０３４４】
図１８は、本発明の実施例に係るＥＡＣマッピングを示す図である。
【０３４５】
ＥＡＣは、ＥＡＳメッセージを伝達する専用チャネルであって、ＥＡＳに対するＤＰにリンクされる。ＥＡＳサポートは提供されるが、ＥＡＣ自体は、すべてのフレームに存在することもあり、すべてのフレームに存在しないこともある。もしあれば、ＥＡＣはＰＬＳ２セルの直後にマップされる。ＥＡＣは、ＰＬＳセル以外に、ＦＩＣ、ＤＰ、補助ストリーム及びダミーセルのうちいずれかの後に来ない。ＥＡＣセルをマップする順序はＰＬＳと正確に同一である。
【０３４６】
ＥＡＣセルは、図１８に示したように、セルインデックスの増加順にＰＬＳ２の次のセルからマップされる。ＥＡＳメッセージサイズによって、ＥＡＣセルは、図１８に示したようにいくつかのシンボルを占有する。
【０３４７】
ＥＡＣセルは、ＰＬＳ２の最後のセルの直後にマップされ、マッピングは、最後のＦＳＳの最後のセルインデックスまで下向きに継続される。要求されるＥＡＣの総数が最後のＦＳＳの残りのアクティブキャリアの数を超えると、マッピングは次のシンボルに進行し、ＦＳＳと正確に同一の方式で継続される。この場合のマッピングのための次のシンボルは正常データシンボルであって、これは、ＦＳＳより多くのアクティブキャリアを有する。
【０３４８】
ＥＡＣマッピングの完了後、もし存在すれば、ＦＩＣが次に伝達される。（ＰＬＳ２フィールドでシグナリングされることによって）ＦＩＣが送信されないと、ＤＰはＥＡＣの最後のセルの直後にマップされる。
【０３４９】
図１９は、本発明の実施例に係るＦＩＣマッピングを示す図である。
【０３５０】
（ａ）は、ＥＡＣがないＦＩＣの例示的なマッピングを示し、（ｂ）は、ＥＡＣがあるＦＩＣの例示的なマッピングを示す。
【０３５１】
ＦＩＣは、高速サービス獲得及びチャネルスキャニングを可能にする層間（ｃｒｏｓｓ−ｌａｙｅｒ）情報に対する専用チャネルである。この情報は、主に各ブロードキャスタのＤＰとサービスとの間の情報を結合するチャネルを含む。高速スキャンのために、受信機は、ＦＩＣをデコードし、ブロードキャスタＩＤ、サービスの数及びＢＡＳＥ_ＤＰ_ＩＤなどの情報を得ることができる。高速サービスの獲得のために、ＦＩＣに加えて、ベースＤＰがＢＡＳＥ_ＤＰ_ＩＤを用いてデコードされ得る。伝達される内容以外に、ベースＤＰは、正常ＤＰと正確に同一の方式でエンコードされ、フレームにマップされる。そのため、ベースＤＰに対して追加の説明が要求されない。ＦＩＣデータが生成されて管理層で消費される。ＦＩＣデータの内容は、管理層の説明書に記載した通りである。
【０３５２】
ＦＩＣデータは選択的であり、ＦＩＣの使用は、ＰＬＳ２の静的部分内のＦＩＣ_ＦＬＡＧパラメータによってシグナリングされる。ＦＩＣが使用されると、ＦＩＣ_ＦＬＡＧが「１」に設定され、ＦＩＣのためのシグナリングフィールドはＰＬＳ２の静的部分に定義される。このフィールドでは、ＦＩＣ_ＶＥＲＳＩＯＮ及びＦＩＣ_ＬＥＮＧＴＨ_ＢＹＴＥがシグナリングされる。ＦＩＣは、ＰＬＳ２と同一の変調、コーディング及び時間インタリービングパラメータを用いる。ＦＩＣは、ＰＬＳ２_ＭＯＤＥ及びＰＬＳ２_ＦＥＣなどの同一のシグナリングパラメータを共有する。もしあれば、ＦＩＣデータは、ＰＬＳ２又は、もしあれば、ＥＡＣの直後にマップされる。ＦＩＣは、任意の正常ＤＰ、補助ストリーム又はダミーセルの後にマップされない。ＦＩＣセルをマップする方法はＥＡＣと正確に同一であり、これはＰＬＳと同一である。
【０３５３】
ＰＬＳの後にＥＡＣがない場合、ＦＩＣセルは、（ａ）の例に示したように、セルインデックスの増加順にＰＬＳ２の次のセルからマップされる。ＦＩＣデータサイズによって、ＦＩＣセルは、（ｂ）に示したように、いくつかのシンボルにわたってマップされ得る。
【０３５４】
ＦＩＣセルは、ＰＬＳ２の最後のセルの直後にマップされ、マッピングは、最後のＦＳＳの最後のセルインデックスまで下向きに継続される。要求されるＦＩＣセルの総数が最後のＦＳＳの残りのアクティブキャリアの数を超えると、マッピングは次のシンボルに進行し、ＦＳＳと正確に同一の方式で継続される。この場合のマッピングのための次のシンボルは、ＦＳＳより多くのアクティブキャリアを有する正常データシンボルである。
【０３５５】
ＥＡＳメッセージが現在のフレームで送信されると、ＥＡＣはＦＩＣに先行し、ＦＩＣセルは、（ｂ）に示したように、セルインデックスの増加順にＥＡＣの次のセルからマップされる。
【０３５６】
ＦＩＣマッピングの完了後、一つ以上のＤＰがマップされ、その後、もしあれば、補助ストリーム及びダミーセルがマップされる。
【０３５７】
図２０は、本発明の実施例に係るＤＰのタイプを示す図である。
【０３５８】
図２０の（ａ）はタイプ１  ＤＰを示し、（ｂ）はタイプ２  ＤＰを示す。
【０３５９】
先行チャネル、すなわち、ＰＬＳ、ＥＡＣ及びＦＩＣがマップされた後、ＤＰのセルがマップされる。ＤＰは、マッピング方法によって２個のタイプのうち一つに分類される。
【０３６０】
タイプ１  ＤＰ：ＤＰは、ＴＤＭによってマップされる。
【０３６１】
タイプ２  ＤＰ：ＤＰは、ＦＤＭによってマップされる。
【０３６２】
ＤＰのタイプは、ＰＬＳ２の静的部分でＤＰ_ＴＹＰＥフィールドによって指示される。図２０は、タイプ１  ＤＰ及びタイプ２  ＤＰのマッピング順序を示す。タイプ１  ＤＰは、まず、セルインデックスの増加順にマップされ、最後のセルインデックスに到逹した後、シンボルインデックスが１ずつ増加する。次のシルボル内で、ＤＰは、ｐ＝０からセルインデックスの増加順に継続してマップされる。一つのフレームで共にマップされた多数のＤＰで、タイプ１  ＤＰのそれぞれは、ＤＰのＴＤＭマルチプレキシングと類似する形に時間でグループ化される。
【０３６３】
タイプ２  ＤＰは、まず、シンボルインデックスの増加順にマップされ、フレームの最後のＯＦＤＭシンボルに到逹した後、セルインデックスは１ずつ増加し、シンボルインデックスは第１利用可能なシンボルに後退し、そのシンボルインデックスから増加する。一つのフレームで多数のＤＰを共にマップした後、タイプ２  ＤＰのそれぞれは、ＤＰのＦＤＭマルチプレキシングと類似する形に周波数でグループ化される。
【０３６４】
一つの制限が必要であれば、すなわち、タイプ１  ＤＰが常にタイプ２  ＤＰに先行すると、タイプ１  ＤＰ及びタイプ２  ＤＰはフレーム内で共存し得る。タイプ１及びタイプ２  ＤＰを伝達するＯＦＤＭセルの総数は、ＤＰの送信のために利用可能なＯＦＤＭセルの総数を超えることができない。
【０３６５】
【数２】
0006267358.tif 000030
【０３６６】
ここで、ＤDP1は、タイプ１  ＤＰによって占有されるＯＦＤＭセルの数であり、ＤDP2は、タイプ２  ＤＰによって占有されるＯＦＤＭセルの数である。ＰＬＳ、ＥＡＣ、ＦＩＣは、いずれもタイプ１  ＤＰと同一の方式でマップされるので、これらはすべて「タイプ１のマッピング規則」に従う。そのため、タイプ１のマッピングは、常にタイプ２のマッピングより先行する。
【０３６７】
図２１は、本発明の実施例に係るＤＰマッピングを示す図である。
【０３６８】
（ａ）は、タイプ１  ＤＰをマップするためのＯＦＤＭセルのアドレッシングを示し、（ｂ）は、タイプ２  ＤＰをマップするためのＯＦＤＭセルのアドレッシングを示す。
【０３６９】
タイプ１  ＤＰ（０，ＤDP1−１）をマップするためのＯＦＤＭセルのアドレッシングは、タイプ１  ＤＰのアクティブデータセルのために定義される。アドレッシング方式は、タイプ１  ＤＰのそれぞれに対するＴＩからのセルがアクティブデータセルに割り当てられる順序を定義する。また、これは、ＰＬＳ２の動的部分内のＤＰの位置をシグナリングするのに使用される。
【０３７０】
ＥＡＣ及びＦＩＣなしで、アドレス０は、最後のＦＳＳ内のＰＬＳを伝達する最後のセルの直後のセルを称する。ＥＡＣが送信され、ＦＩＣがその該当フレームでない場合、アドレス０は、ＥＡＣを伝達する最後のセルの直後のセルを称する。ＦＩＣが該当フレームで送信されると、アドレス０は、ＦＩＣを伝達する最後のセルの直後のセルを称する。タイプ１  ＤＰに対するアドレス０は、（ａ）に示したように、２個の異なるケースを考慮して算出することができる。（ａ）に示した例において、ＰＬＳ、ＥＡＣ及びＦＩＣはすべて送信されると仮定する。ＥＡＣ及びＦＩＣのうち一つ又は二つとも省略される場合への拡張は容易である。（ａ）の左側に示したように、ＦＩＣまでのすべてのセルをマップした後、ＦＳＳ内に残りのセルが残っている。
【０３７１】
タイプ２  ＤＰ（０，…，ＤDP2−１）をマップするＯＦＤＭセルのアドレッシングは、タイプ２  ＤＰのアクティブデータセルのために定義される。アドレッシング方式は、タイプ２  ＤＰのそれぞれに対するＴＩからのセルがアクティブデータセルに割り当てられる順序を定義する。また、これは、ＰＬＳ２の動的部分内のＤＰの位置をシグナリングするのに使用される。
【０３７２】
（ｂ）に示したように、３個の少し異なるケースが可能である。（ｂ）の左側上に示した第１ケースでは、最後のＦＳＳ内のセルはタイプ２  ＤＰマッピングに用いられる。中間に示した第２ケースでは、ＦＩＣが正常シンボルのセルを占めるが、そのシンボル上のＦＩＣセルの数はＣFSSより小さい。（ｂ）の右側に示した第３ケースは、そのシンボル上にマップされたＦＩＣセルの数がＣFSSを超えることを除いては第２ケースと同一である。
【０３７３】
ＰＬＳ、ＥＡＣ及びＦＩＣは、タイプ１  ＤＰと同一の「タイプ１のマッピング規則」に従うので、タイプ１  ＤＰがタイプ２  ＤＰに先行する場合への拡張は簡単である。
【０３７４】
データパイプ単位（ＤＰＵ）は、データセルをフレーム内のＤＰに割り当てる基本単位である。
【０３７５】
ＤＰＵは、フレーム内にＤＰを位置させるシグナリング単位として定義される。セルマッパ７０１０は、ＤＰのそれぞれに対するＴＩによって生成されたセルをマップすることができる。時間インタリーバ５０５０は、一連のＴＩブロックを出力し、それぞれのＴＩブロックは、セルのセットで構成される可変数（ｖａｒｉａｂｌｅ  ｎｕｍｂｅｒ）のＸＦＥＣＢＬＯＣＫを含む。ＸＦＥＣＢＬＯＣＫ内のセルの数（Ｎcells）は、ＦＥＣＢＬＯＣＫサイズ（Ｎldpc）及び星状シンボル当たりの送信ビット数に依存する。ＤＰＵは、与えられたＰＨＹプロファイルでサポートされるＸＦＥＣＢＬＯＣＫ内のセルの数のすべての可能な値の最も大きい共通除数（ｄｉｖｉｓｏｒ）（Ｎcells）として定義される。セル内のＤＰＵの長さはＬDPUとして定義される。各ＰＨＹプロファイルがＦＥＣＢＬＯＣＫサイズ及び星状シンボル当たりに異なる数の異なる組み合わせをサポートするので、ＬDPUはＰＨＹプロファイルに基づいて定義される。
【０３７６】
図２２は、本発明の実施例に係るＦＥＣ構造を示す図である。
【０３７７】
図２２は、ビットインタリービング前の本発明の実施例に係るＦＥＣ構造を示す。上述したように、データＦＥＣエンコーダは、入力ＢＢＦに対してＦＥＣエンコーディングを行い、アウターコーディング（ＢＣＨ）及びインナーコーディング（ＬＤＰＣ）を用いてＦＥＣＢＬＯＣＫ手続を生成することができる。図示したＦＥＣ構造はＦＥＣＢＬＯＣＫに対応する。また、ＦＥＣＢＬＯＣＫ及びＦＥＣ構造は、ＬＤＰＣコードワードの長さに対応する同一の値を有する。
【０３７８】
図２２に示したように、ＢＣＨエンコーディングはそれぞれのＢＢＦ（Ｋbchビット）に適用され、ＬＤＰＣエンコーディングはＢＣＨエンコーディングＢＢＦ（Ｋldpcビット＝Ｎbchビット）に適用される。
【０３７９】
Ｎldpcの値は、６４８００ビット（長いＦＥＣＢＬＯＣＫ）又は１６２００ビット（短いＦＥＣＢＬＯＣＫ）である。
【０３８０】
以下の表２８及び表２９は、それぞれ長いＦＥＣＢＬＯＣＫ及び短いＦＥＣＢＬＯＣＫに対するＦＥＣエンコーディングパラメータを示す。
【０３８１】
【表２８】
0006267358.tif 000031
【０３８２】
【表２９】
0006267358.tif 000032
【０３８３】
ＢＣＨエンコーディング及びＬＤＰＣエンコーディングの動作の細部事項は次の通りである。
【０３８４】
１２誤り訂正ＢＣＨコードは、ＢＢＦのアウターエンコーディングに使用される。短いＦＥＣＢＬＯＣＫ及び長いＦＥＣＢＬＯＣＫに対するＢＣＨ生成器多項式は、すべての多項式を共に乗じることによって得られる。
【０３８５】
ＬＤＰＣコードは、アウターＢＣＨエンコーディングの出力をエンコードするのに使用される。完成したＢldpc（ＦＥＣＢＬＯＣＫ）を生成するために、Ｐldpc（パリティビット）は各Ｉldpc（ＢＣＨエンコーディングＢＢＦ）から体系的にエンコードされ、Ｉldpcに添付される。完成したＢldpc（ＦＥＣＢＬＯＣＫ）は次の数式として表現される。
【０３８６】
【数３】
0006267358.tif 000033
【０３８７】
長いＦＥＣＢＬＯＣＫ及び短いＦＥＣＢＬＯＣＫに対するパラメータは、それぞれ前記表２８及び表２９に与えられる。
【０３８８】
長いＦＥＣＢＬＯＣＫに対するＮldpc−Ｋldpcを算出する細部手続は次の通りである。
【０３８９】
１）パリティビット初期化
【０３９０】
【数４】
0006267358.tif 000034
【０３９１】
２）パリティチェックマトリックスのアドレスの第１行に特定されたパリティビットアドレスで第１情報ビット（ｉ0）を累算する。パリティチェックマトリックスのアドレスの細部事項については後で説明する。例えば、レート１３／１５に対して、
【０３９２】
【数５】
0006267358.tif 000035
【０３９３】
３）次の３５９個の情報ビット（ｉs）（ｓ＝１、２、…、３５９）が次の数式を用いてパリティビットで累算される。
【０３９４】
【数６】
0006267358.tif 000036
【０３９５】
ここで、ｘは、第１ビット（ｉ0）に対応するパリティビット累算器のアドレスを示し、Ｑldpcは、パリティチェックマトリックスのアドレスで特定されたコードレート従属定数である。継続して、例えば、レート１３／１５に対してＱldpc＝２４であって、よって、情報ビット（ｉ1）に対して次の動作が行われる。
【０３９６】
【数７】
0006267358.tif 000037
【０３９７】
４）３６１番目の情報ビット（ｉ360）に対して、パリティビット累算器のアドレスは、パリティチェックマトリックスのアドレスの第２行に与えられる。類似する方式で、次の３５８個の情報ビット（ｉs）（ｓ＝３６１、３６２、…、７１９）に対するパリティビット累算器のアドレスは数式６を用いて得られ、ここで、ｘは、情報ビット（ｉ360）に対応するパリティビット累算器のアドレス、パリティチェックマトリックスのアドレスの第２行内のエントリーを示す。
【０３９８】
５）類似する方式で、３６０個の新たな情報ビットのすべてのグループに対して、パリティチェックマトリックスのアドレスからの新たな行がパリティビット累算器のアドレスを探すのに使用される。
【０３９９】
情報ビットが全部消尽した後、最終パリティが次のように得られる。
【０４００】
６）ｉ＝１から開始する次の動作を順次行う。
【０４０１】
【数８】
0006267358.tif 000038
【０４０２】
ここで、ｐi（ｉ＝０、１、…、Ｎｄｐｃ−Ｋldpc−１）の最終内容は、パリティビット（ｐi）と同一である。
【０４０３】
【表３０】
0006267358.tif 000039
【０４０４】
短いＦＥＣＢＬＯＣＫに対するこのＬＤＰＣエンコーディング手続は、表３０及び表３１に取り替え、長いＦＥＣＢＬＯＣＫに対するパリティチェックマトリックスのアドレスを短いＦＥＣＢＬＯＣＫに対するパリティチェックマトリックスのアドレスに取り替えることを除いては、長いＦＥＣＢＬＯＣＫに対するｔ  ＬＤＰＣエンコーディング手続に従う。
【０４０５】
【表３１】
0006267358.tif 000040
【０４０６】
図２３は、本発明の実施例に係るビットインタリービングを示す図である。
【０４０７】
ＬＤＰＣエンコーダの出力はビットインタリーブされ、これは、パリティインタリービング、その後のＱＣＢ（ｑｕａｓｉ−ｃｙｃｌｉｃ  ｂｌｏｃｋ）インタリービング及び内部グループインタリービングで構成される。
【０４０８】
（ａ）は、ＱＣＢインタリービングを示し、（ｂ）は、内部グループインタリービングを示す。
【０４０９】
ＦＥＣＢＬＯＣＫはパリティインタリーブされ得る。パリティインタリービングの出力において、ＬＤＰＣコードワードは、長いＦＥＣＢＬＯＣＫ内の１８０個の隣接したＱＣブロック及び短いＦＥＣＢＬＯＣＫ内の１８０個の隣接したＱＣブロックで構成される。長い又は短いＦＥＣＢＬＯＣＫ内のそれぞれのＱＣブロックは３６０ビットで構成される。パリティインタリーブされたＬＤＰＣコードワードは、ＱＣＢインタリービングによってインタリーブされる。ＱＣＢインタリービングの単位はＱＣブロックである。パリティインタリービングの出力におけるＱＣブロックは、図２３に示したように、ＱＣＢインタリービングによってパーミュートされ、ここで、ＦＥＣＢＬＯＣＫ長さによってＮcells＝６４８０／ηmod又は１６２００／ηmodである。ＱＣＢインタリービングパターンは、変調タイプ及びＬＤＰＣコードレートの各組み合わせに固有である。
【０４１０】
ＱＣＢインタリービング後、内部グループインタリービングは、以下の表３２に定義された変調タイプ及び順序（ηmod）に従って行われる。また、一つの内部グループに対するＱＣブロックの数（ＮQCB_IG）が定義される。
【０４１１】
【表３２】
0006267358.tif 000041
【０４１２】
内部グループインタリービングプロセスは、ＱＣＢインタリービング出力のＮQCB-IG個のＱＣブロックで行われる。内部グループインタリービングは、３６０個の列とＮQCB_IG個の行を用いて内部グループのビットを記入及び判読するプロセスを有する。記入動作において、ＱＣＢインタリービング出力からのビットが行方向に記入される。判読動作は列方向に行われ、各行からｍ個のビットを判読し、ここで、ｍは、ＮＵＣに対して１と同一であり、ＮＣＱに対して２と同一である。
【０４１３】
図２４は、本発明の実施例に係るセル−ワードデマルチプレキシングを示す図である。
【０４１４】
（ａ）は、８及び１２ｂｐｃｕ  ＭＩＭＯに対するセル−ワードデマルチプレキシングを示し、（ｂ）は、１０ｂｐｃｕ  ＭＩＭＯに対するセル−ワードデマルチプレキシングを示す。
【０４１５】
（ａ）に示したように、ビットインタリービング出力の各セルワード
【数９】
0006267358.tif 000042
は、
【数１０】
0006267358.tif 000043
及び
【数１１】
0006267358.tif 000044
にデマルチプレクスされ、これは、一つのＸＦＥＣＢＬＯＣＫに対するセル−ワードデマルチプレキシングプロセスを示す。
【０４１６】
ＭＩＭＯエンコーディングのための異なるタイプのＮＵＱを用いた１０ｂｐｃｕ  ＭＩＭＯケースに対して、ＮＵＱ−１０２４に対するビットインタリーバが再使用される。（ｂ）に示したように、ビットインタリーバ出力の各セルワード
【数１２】
0006267358.tif 000045
は、
【数１３】
0006267358.tif 000046
及び
【数１４】
0006267358.tif 000047
にデマルチプレクスされる。
【０４１７】
図２５は、本発明の実施例に係る時間インタリービングを示す図である。
【０４１８】
（ａ）〜（ｃ）は、ＴＩモードの例を示す。
【０４１９】
時間インタリーバはＤＰレベルで動作する。時間インタリービング（ＴＩ）のパラメータは、各ＤＰに対して異なる形に設定することができる。
【０４２０】
ＰＬＳ２−ＳＴＡＴデータの一部で表れる次のパラメータはＴＩを構成する。
【０４２１】
ＤＰ_ＴＩ_ＴＹＰＥ（許容値：０又は１）：ＴＩモードを示す。；「０」は、ＴＩグループ当たりに多数のＴＩブロック（１より多いＴＩブロック）を有するモードを示す。この場合、一つのＴＩグループは一つのフレームに直接マップされる（インターフレームインタリービングではない）。「１」は、ＴＩグループ当たり一つのみのＴＩブロックを有するモードを示す。この場合、ＴＩブロックは、１より多いフレームに拡散され得る（インターフレームインタリービング）。
【０４２２】
ＤＰ_ＴＩ_ＬＥＮＧＴＨ：ＤＩ_ＴＩ_ＴＹＰＥ＝「０」である場合、このパラメータは、ＴＩグループ当たりのＴＩブロックの数（ＮTI）である。ＤＰ_ＴＩ_ＴＹＰＥ＝「１」に対して、このパラメータは、一つのＴＩグループから拡散されたフレームの数（ＰI）である。
【０４２３】
ＤＰ_ＮＵＭ_ＢＬＯＣＫ_ＭＡＸ（許容値：０〜１０２３）：ＴＩグループ当たりのＸＦＥＣＢＬＯＣＫの最大数を示す。
【０４２４】
ＤＰ_ＦＲＡＭＥ_ＩＮＴＥＲＶＡＬ（許容値：１、２、４、８）：与えられたＰＨＹプロファイルの同一のＤＰを伝達する２個の連続的なフレーム間のフレームの数（ＩJUMP）を示す。
【０４２５】
ＤＰ_ＴＩ_ＢＹＰＡＳＳ（許容値：０又は１）：時間インタリービングがＤＰに使用されない場合、このパラメータは「１」に設定される。時間インタリービングが使用される場合、「０」に設定される。
【０４２６】
さらに、ＰＬＳ２−ＤＹＮデータからのパラメータ（ＤＰ_ＮＵＭ_ＢＬＯＣＫ）は、ＤＰの一つのＴＩグループによって伝達されたＸＦＥＣＢＬＯＣＫの数を示すのに使用される。
【０４２７】
時間インタリービングがＤＰに使用されない場合、次のＴＩグループ、時間インタリービング動作及びＴＩモードは考慮されない。しかし、スケジューラからの動的構成情報に対する補償ブロックは依然として必要である。各ＤＰにおいて、ＳＳＤ／ＭＩＭＯエンコーディングから受信されたＸＦＥＣＢＬＯＣＫはＴＩグループにグループ化される。すなわち、それぞれのＴＩグループは、整数の（ａｎ  ｉｎｔｅｇｅｒ  ｎｕｍｂｅｒ  ｏｆ）ＸＦＥＣＢＬＯＣＫのセットであり、動的に可変する数のＸＦＥＣＢＬＯＣＫを含む。インデックスのＴＩグループ内のＸＦＥＣＢＬＯＣＫの数（ｎ）はＮxBLOCK_Group（ｎ）で表示され、ＰＬＳ２−ＤＹＮデータのＤＰ_ＮＵＭ_ＢＬＯＣＫとしてシグナリングされる。ＮxBLOCK_Group（ｎ）は、０の最小値から最も大きい値が１０２３である最大値（ＮxBLOCK_Group_MAX）（ＤＰ_ＮＵＭ_ＢＬＯＣＫ_ＭＡＸに対応）まで変わり得る。
【０４２８】
各ＴＩグループは、一つのフレームに直接マップされたり、ＰIフレームにわたって拡散される。また、それぞれのＴＩグループは、１より多いＴＩブロック（ＮTI）に分離され、それぞれのＴＩブロックは、時間インタリーバメモリの一つの用途に対応する。ＴＩグループ内のＴＩブロックは、少し異なる数のＸＦＥＣＢＬＯＣＫを含むことができる。ＴＩグループが多数のＴＩブロックに分離されると、一つのフレームのみに直接マップされる。以下の表３３に示したように（時間インタリービングをスキップする追加のオプションを除いて）、時間インタリービングのための３個のオプションが存在する。
【０４２９】
【表３３】
0006267358.tif 000048
【０４３０】
各ＤＰにおいて、ＴＩメモリは、入力ＸＦＥＣＢＬＯＣＫ（ＳＳＤ／ＭＩＭＯエンコーディングブロックからの出力ＸＦＥＣＢＬＯＣＫ）を格納する。入力ＸＦＥＣＢＬＯＣＫは、
【０４３１】
【数１５】
0006267358.tif 000049
として定義され、
【０４３２】
ここで、ｄn,s,r,qは、ｎ番目のＴＩグループのｓ番目のＴＩブロック内のｒ番目のＸＦＥＣＢＬＯＣＫのｑ番目のセルであって、次のようにＳＳＤ及びＭＩＭＯエンコーディングの出力を示す。
【０４３３】
【数１６】
0006267358.tif 000050
【０４３４】
また、時間インタリーバからの出力ＸＦＥＣＢＬＯＣＫは、次のように定義されると仮定する。
【０４３５】
【数１７】
0006267358.tif 000051
【０４３６】
ここで、ｈn,s,iは、ｎ番目のＴＩグループのｓ番目のＴＩブロック内のｉ番目の出力セル（
【数１８】
0006267358.tif 000052
）である。
【０４３７】
一般に、時間インタリーバは、フレームビルディングプロセス前にＤＰデータのためのバッファとして動作する。これは、それぞれのＤＰに対する２個のメモリバンクによって達成される。第１ＴＩブロックは第１バンクに記入される。第１バンクが判読される間、第２ＴＩブロックが第２バンクに記入される。
【０４３８】
ＴＩは、ツイスト行−列ブロックインタリーバである。ｎ番目のＴＩグループのｓ番目のＴＩブロックに対して、ＴＩメモリの行（Ｎr）の数はセルの数（Ｎcell）と同一である。すなわち、Ｎr＝Ｎcellであるが、列の数（Ｎc）は数（ＮxBLOCK_TI（ｎ，ｓ））と同一である。
【０４３９】
図２６は、本発明の一実施例に係るツイスト行−列ブロックインタリーバの基本動作を示す図である。
【０４４０】
（ａ）は、時間インタリーバの書き込み動作を示し、（ｂ）は、時間インタリーバの読み取り動作を示す。第１ＸＦＥＣＢＬＯＣＫは、ＴＩメモリの第１列に列方向に書き込まれ、第２ＸＦＥＣＢＬＯＣＫは次の列に書き込まれ、その他は（ａ）に示した通りである。そして、インタリービングアレイ内に、各セルは対角線方向に読み取られる。第１行（一番左側の列から始める列に沿って右側にある）から最後の行に対角線方向に読み取る間、Ｎrセルは、（ｂ）に示したように読み取られる。具体的に、連続的に読み取られるＴＩメモリセルの位置を
【数１９】
0006267358.tif 000053
である仮定すると、そのようなインタリービングアレイにおける読み取りプロセスは、行インデックス
【数２０】
0006267358.tif 000054
、列インデックス
【数２１】
0006267358.tif 000055
、及び連関したツイスティングパラメータ
【数２２】
0006267358.tif 000056
を次の表現のように計算することによって行われる。
【０４４１】
【数２３】
0006267358.tif 000057
【０４４２】
【数２４】
0006267358.tif 000058
は、
【数２５】
0006267358.tif 000059
とは関係なく、対角線方向読み取りプロセスに対する共通シフト値であって、それは、次の表現のように、ＰＬＳ２−ＳＴＡＴに与えられた
【数２６】
0006267358.tif 000060
によって決定される。
【０４４３】
【数２７】
0006267358.tif 000061
【０４４４】
その結果、読み取られるセルの位置は、
【数２８】
0006267358.tif 000062
のような座標によって計算される。
【０４４５】
図２７は、本発明の一実施例に係るツイスト行−列ブロックインタリーバの動作を示す図である。
【０４４６】
より具体的に、図２７は、
【数２９】
0006267358.tif 000063
、
【数３０】
0006267358.tif 000064
、
【数３１】
0006267358.tif 000065
である場合、仮想ＸＦＥＣＢＬＯＣＫを含む各ＴＩグループのためのＴＩメモリ内のインタリービングアレイを示す。
【０４４７】
可変数字
【数３２】
0006267358.tif 000066
は、
【数３３】
0006267358.tif 000067
より小さいか又は同一である。そのため、受信側で単一−メモリデインタリービングを達成するために、
【数３４】
0006267358.tif 000068
とは関係なく、ツイスト行−列ブロックインタリーバで使用されるためのインタリービングアレイは、仮想ＸＦＥＣＢＬＯＣＫをＴＩメモリに挿入することによって
【数３５】
0006267358.tif 000069
のサイズにセッティングされ、読み取りプロセスは、次の表現のように行われる。
【０４４８】
【数３６】
0006267358.tif 000070
【０４４９】
ＴＩグループの数が３にセッティングされる。時間インタリーバのオプションは、ＤＰ_ＴＩ_ＴＹＰＥ＝「０」、ＤＰ_ＦＲＡＭＥ_ＩＮＴＥＲＶＡＬ＝「１」、ＤＰ_ＴＩ_ＬＥＮＧＴＨ＝「１」、すなわち、ＮTI＝１、ＩJUMP＝１、及びＰI＝１によってＰＬＳ２−ＳＴＡＴデータでシグナリングされる。各Ｎcells＝３０セルを有する、ＴＩグループ当たりのＸＦＥＣＢＬＯＣＫの数は、それぞれＮxBLOCK_TI（０，０）＝３、ＮxBLOCK_TI（１，０）＝６、及びＮxBLOCK_TI（２，０）＝５によってＰＬＳ２−ＤＹＮデータでシグナリングされる。ＸＦＥＣＢＬＯＣＫの最大数は、
【数３７】
0006267358.tif 000071
につながるＮxBLOCK_Group_MAXによってＰＬＳ２−ＳＴＡＴデータでシグナリングされる。
【０４５０】
図２８は、本発明の実施例に係るツイスト行−列ブロックインタリーバの対角線方向読み取りパターンを示す図である。
【０４５１】
より具体的に、図２８は、
【数３８】
0006267358.tif 000072
及びＳｓｈｉｆｔ＝（７−１）／２＝３の各パラメータを有するそれぞれのインタリービングアレイから対角線方向読み取りパターンを示す。前記擬似コード（ｐｓｅｕｄｏｃｏｄｅ）のように示された読み取りプロセスにおいて、
【数３９】
0006267358.tif 000073
である場合、Ｖiの値はスキップされ、Ｖiの次に計算された値が使用される。
【０４５２】
図２９は、本発明の実施例に係るそれぞれのインタリービングアレイからインタリーブされたＸＦＥＣＢＬＯＣＫを示す図である。
【０４５３】
図２９は、
【数４０】
0006267358.tif 000074
及びＳｓｈｉｆｔ＝３のパラメータを有するそれぞれのインタリービングアレイからインタリーブされたＸＦＥＣＢＬＯＣＫを示す図である。
【０４５４】
以下では、本発明の一実施例に係る周波数インタリービング過程に対して説明する。
【０４５５】
本発明の単一ＯＦＤＭシンボル上で動作する周波数インタリーバ７０２０の目的は、セルマッパ７０１０から受信したデータセルをランダムにインタリーブすることによって、周波数多様性を提供する。単一信号フレーム（又はフレーム）で最大インタリービングゲインを得るために、二つの連続するＯＦＤＭシンボルで構成された毎ＯＦＤＭシンボルペアごとに異なるインタリービング−シードが使用される。
【０４５６】
上述した周波数インタリーバ７０２０は、信号フレームの単位になる送信ブロック内の各セルをインタリーブし、追加的な多様性ゲインを獲得することができる。本発明の周波数インタリーバ７０２０は、少なくとも一つ以上のＯＦＤＭシンボルに対して別個のインタリービングシードを適用したり、複数のＯＦＤＭシンボルを含むフレームに対して別個のインタリービングシードを適用することを一実施例とすることができる。
【０４５７】
本発明では、上述した周波数インタリービング方法をランダム周波数インタリービング（ランダムＦＩ）と称することができる。
【０４５８】
上述したように、本発明の一実施例に係る放送信号送信装置又は放送信号送信装置内の周波数インタリーバ７０２０は、少なくとも一つ以上のＯＦＤＭシンボル、すなわち、各ＯＦＤＭシンボル又はペアになった二つのＯＦＤＭシンボル（ペア−ワイズＯＦＤＭシンボル又はそれぞれのＯＦＤＭシンボルペア）ごとに別個のインタリービングシード（又はインタリービングパターン）を適用してランダムＦＩを行うので、周波数多様性を獲得することができる。また、本発明の一実施例に係る周波数インタリーバ７０２０は、各信号フレームごとに別個のインタリービングシードを適用してランダムＦＩを行うことによって、追加的な周波数多様性を獲得することができる。
【０４５９】
したがって、本発明の一実施例に係る放送信号送信装置又は周波数インタリーバは、二つのメモリバンクを用いて連続した一対のＯＦＤＭシンボル（ペア−ワイズＯＦＤＭシンボル）単位で周波数インタリービングを行うピンポン（ｐｉｎｇ−ｐｏｎｇ）周波数インタリーバ構造を有することができる。以下では、本発明の一実施例に係る周波数インタリーバのインタリービング動作をペア−ワイズシンボルＦＩ（又はペア−ワイズＦＩ）又はピンポン（ｐｉｎｇ−ｐｏｎｇ）ＦＩ（ピンポンインタリービング）と称することができる。上述したインタリービング動作はランダムＦＩの実施例に該当し、呼称は設計者の意図によって変更可能である。
【０４６０】
偶数番目のペア−ワイズＯＦＤＭシンボルと奇数番目のペア−ワイズＯＦＤＭシンボルは、別個のＦＩメモリバンクを通じて不連続的（独立的に）にインタリーブされ得る。また、本発明の一実施例に係る周波数インタリーバは、各メモリバンクに入力される連続した一対のＯＦＤＭシンボルに対して任意のインタリービングシードを使用して読み取り及び書き込み動作を同時に行うことができる。具体的な動作に対しては後で説明する。
【０４６１】
また、フレーム内の全てのＯＦＤＭシンボルを合理的且つ効率的にインタリーブするための論理的な周波数インタリービング動作として、本発明では、基本的にインタリービングシードが一対のＯＦＤＭシンボル（ペア−ワイズＯＦＤＭシンボル）単位で変化することを一実施例とすることができる。
【０４６２】
この場合、本発明のインタリービングシードは、任意のランダム発生器又は多数のランダム発生器の組み合わせで構成されたランダム発生器で発生することを一実施例とすることができる。また、本発明では、効率的なインタリービングシードの変化のために一つのメインインタリービングシードをサイクリック−シフトし、多様なインタリービングシード、すなわち、各ＯＦＤＭシンボルペアに適用される別個のインタリービングシードを生成することを一実施例とすることができる。この場合、サイクリック−シフティング規則は、ＯＦＤＭシンボルと信号フレーム単位を考慮して階層的に定義することができる。よって、本発明に係るシンボルオフセットは、サイクリック−シフティング値と称される。これは、設計者の意図によって変更可能であり、具体的な内容は後で説明する。
【０４６３】
また、本発明の一実施例に係る放送信号受信装置は、上述したランダム周波数インタリービングの逆過程を行うことができる。すなわち、本発明の一実施例に係る放送信号受信装置は、入力される連続したＯＦＤＭシンボルペアに対して、上述した周波数インタリービングの読み取り及び書き込み動作で使用された一つのインタリービングシードを用いて読み取り及び書き込み過程の逆順で周波数デインタリービングを行うことができる。
【０４６４】
この場合、本発明の一実施例に係る放送信号受信装置又は放送信号受信装置の周波数デインタリーバは、ダブルメモリを使用するピンポン（ｐｉｎｇ−ｐｏｎｇ）構造を使用せず、連続した入力ＯＦＤＭシンボルに対して単一メモリでデインタリービングを行うことができる。したがって、メモリ使用効率性を増加させることができる。単一メモリデインタリービング動作と呼ばれる読み取り及び書き込み動作は依然として必要である。そのようなデインタリービング方法は、メモリ使用側面で非常に効率的である。
【０４６５】
図３０は、本発明の一実施例に係る周波数インタリーバの動作を示した図である。
【０４６６】
図３０は、受信機で単一メモリデインタリービングを可能にする、送信機で二つのメモリバンクを使用する周波数インタリーバの基本動作を示す。
【０４６７】
上述したように、本発明の一実施例に係る周波数インタリーバは、ピンポン（ｐｉｎｇ−ｐｏｎｇ）インタリービング動作を行うことができる。
【０４６８】
一般に、ピンポン（ｐｉｎｇ−ｐｏｎｇ）インタリービング動作は、二つのメモリバンクによって行われる。提案されたＦＩ動作において、二つのメモリバンクは、各ペアワイズＯＦＤＭシンボルのためのものである。
【０４６９】
インタリービングのための最大メモリＲＯＭ（読み取り専用メモリ）サイズは、概して最大ＦＦＴサイズの２倍である。送信側において、ＲＯＭサイズ増加は、受信側に比べて少なくクリティカルである。
【０４７０】
上述したように、偶数番目のペア−ワイズＯＦＤＭシンボルと奇数番目のペア−ワイズＯＦＤＭシンボルは、別個のＦＩメモリバンクを通じて不連続的にインタリーブされ得る。すなわち、第１（偶数番目）ペア−ワイズＯＦＤＭシンボルが第１バンクでインタリーブされる間、第２（奇数番目）ペア−ワイズＯＦＤＭシンボルが第２バンクでインタリーブされる。各ペア−ワイズＯＦＤＭシンボルに対して、単一インタリービングシードが使用される。インタリービングシード及び読み取り−書き込み（又は書き込み−読み取り）動作に基づいて、二つのＯＦＤＭシンボルが連続してインタリーブされる。
【０４７１】
本発明の一実施例に係る読み取り−書き込み動作は、衝突なしで同時に行われる。本発明の実施例に係る書き込み−読み取り動作は、衝突なしで同時に行われる。
【０４７２】
図３０は、上述した周波数インタリーバの動作を示す。図面に示したように、周波数インタリーバは、ｄｅｍｕｘ  １６０００、二つのメモリバンク、メモリバンク−Ａ  １６１００及びメモリバンク−Ｂ  １６２００及びｄｅｍｕｘ  １６３００を含むことができる。
【０４７３】
まず、本発明の一実施例に係る周波数インタリーバは、ペア−ワイズＯＦＤＭシンボルＦＩのための入力される順次的ＯＦＤＭシンボルに対するデマルチプレキシングプロセッシングを行うことができる。その後、本発明の一実施例に係る周波数インタリーバ７０２０は、単一インタリービングシードを有する各メモリバンク−Ａ及びＢで読み取り−書き込みＦＩ動作を行う。図３０に示したように、二つのメモリバンクは各ＯＦＤＭシンボルペアに対して使用される。操作上、ＡとＢとの間で交差し、第２（奇数番目）ＯＦＤＭシンボルペアがメモリバンク−Ｂでインタリーブされる間、第１（偶数番目）ＯＦＤＭシンボルペアはメモリバンク−Ａでインタリーブされる。
【０４７４】
その後、本発明の一実施例に係る周波数インタリーバは、順次的ＯＦＤＭシンボル送信のためのピンポンＦＩ出力に対してマルチプレキシングプロセッシングを行うことができる。
【０４７５】
図３１は、本発明の一実施例に係るＭＵＸ及びＤＥＭＵＸ方法に対する基本スイッチモデルである。
【０４７６】
図３１は、上述したピンポン（ｐｉｎｇ−ｐｏｎｇ）ＦＩ構造においてメモリバンクＡ及びＢの入出力に適用されたＤＥＭＵＸとＭＵＸの簡単な動作を示す。
【０４７７】
ＤＥＭＵＸ及びＭＵＸは、それぞれ入力される順次的ＯＦＤＭシンボルがインタリーブされるように制御することができ、出力されるＯＦＤＭシンボルペアが出力されるように制御することができる。別個のインタリービングシードは、毎ＯＦＤＭシンボルペアごとに使用される。
【０４７８】
以下では、本発明の一実施例に係る周波数インタリービングの読み取り−書き込み動作を説明する。
【０４７９】
本発明の一実施例に係る周波数インタリーバは、単一インタリービングシードを選択又は使用することができ、それぞれ第１及び第２ＯＦＤＭシンボルに対する書き込み及び読み取り動作でインタリービングシードを使用することができる。すなわち、本発明の一実施例に係る周波数インタリーバは、選択した一つの任意のインタリービングシードをペア−ワイズＯＦＤＭシンボルの１番目のＯＦＤＭシンボルに対して書き込み動作に使用し、２番目のＯＦＤＭシンボルに対しては読み取り動作に使用することによって効果的にインタリーブすることができる。事実上、別個の二つのインタリービングシードは、二つのＯＦＤＭシンボルにそれぞれ適用される。
【０４８０】
本発明の実施例に係る読み取り−書き込み動作の詳細な説明は、次の通りである。
【０４８１】
第１ＯＦＤＭシンボルに対して、本発明の一実施例に係る周波数インタリーバは、（インタリービングシードによる）メモリにランダム書き込みを行うことができ、そして、直線の読み取りを行うことができる。第２ＯＦＤＭシンボルに対して、同時に、本発明の一実施例に係る周波数インタリーバは、（第１ＯＦＤＭシンボルに対する直線の読み取り動作によって影響された）メモリに直線の書き込みを行うことができる。その後、本発明の一実施例に係る周波数インタリーバは、（インタリービングシードによって）ランダム読み取りを行うことができる。
【０４８２】
上述したように、本発明の一実施例に係る放送信号送信装置は、複数の信号フレームを時間軸上に連続的に送信することができる。本発明では、一定時間の間送信される信号フレームの集合をスーパーフレームと称することができる。したがって、一つのスーパーフレームはＮ個の信号フレームを含むことができ、各信号フレームは複数のＯＦＤＭシンボルを含むことができる。
【０４８３】
図３２は、本発明の一実施例に係るメモリバンクの動作を示す。
【０４８４】
上述したように、本発明の一実施例に含まれた二つのメモリバンクは、上述した過程を通じて発生した任意のインタリービングシードを各ペア−ワイズＯＦＤＭシンボルに適用することができる。また、各メモリバンクは、毎ペアワイズＯＦＤＭシンボルごとにインタリービングシードを変更することができる。
【０４８５】
図３３は、本発明の一実施例に係る周波数デインタリービング過程を示した図である。
【０４８６】
本発明の一実施例に係る放送信号受信装置は、単一メモリを用いて上述した周波数インタリービング過程の逆過程を行うことができる。同図は、入力される順次的ＯＦＤＭシンボルに対する単一メモリデインタリービング（ＦＤＩ）を示す。
【０４８７】
基本的に、周波数デインタリービング動作は、周波数インタリービング動作の逆過程に従う。単一メモリの使用のために、追加的方法が要求されない。
【０４８８】
図３３の左側に示したペア−ワイズＯＦＤＭシンボルが連続的に入力されると、図３３の右側に示したように、本発明の一実施例に係る放送信号受信装置は、単一メモリを用いて上述した読み取り及び書き込み動作を行うことができる。この場合、本発明の一実施例に係る放送信号受信装置は、メモリインデックスを生成し、放送信号送信装置で行った周波数インタリービング（書き込み及び読み取り）の逆過程に対応する周波数デインタリービング（読み取り及び書き込み）を行うことができる。利得は、本質的に提案されたペアワイズピンポンインタリービング構造によって発生する。
【０４８９】
次の数式は、上述した読み取り−書き込み動作を示す。
【０４９０】
【数４１】
0006267358.tif 000075
Ｃj（Ｋ）は、ｉ番目のペアワイズＯＦＤＭシンボル内にランダム生成器によって生成されたランダムシードである。Ｎdataは、データセルの数である。
【０４９１】
【数４２】
0006267358.tif 000076
Ｃj（Ｋ）は、第１シンボルで使用された同一のランダムシードである。Ｎdataは、データセルの数である。
【０４９２】
第１ＯＦＤＭシンボルに対する上述した数式１２は、すなわち、ｉ番目のペアワイズＯＦＤＭシンボルの（ｊ  ｍｏｄ  ２）＝０である。第２ＯＦＤＭシンボルに対する数式１３は、すなわち、ｉ番目のペアワイズＯＦＤＭシンボルの（ｊ  ｍｏｄ  ２）＝１である。Ｆｊは、インタリーブされたｊ番目のＯＦＤＭシンボル（ベクトル）を意味し、Ｘｊは、ｊ番目のＯＦＤＭシンボル（ベクトル）の入力ベクトルを意味する。各数式に示したように、本発明の一実施例に係る読み取り及び書き込み動作は、任意のランダム生成器によって発生した一つのランダムシードをペアワイズＯＦＤＭシンボルに適用して行うことができる。
【０４９３】
図３４は、本発明の一実施例に係る単一信号フレームに適用される周波数インタリービングの概念図である。
【０４９４】
上述したように、本発明の一実施例に係る周波数インタリーバ７０２０は、単一フレームで毎ペアワイズＯＦＤＭシンボルインタリービングシードを変更することができる。具体的な内容は後で説明する。
【０４９５】
図３５は、本発明の一実施例に係る単一信号フレームに適用される周波数インタリービングの論理的動作メカニズムを示した図である。
【０４９６】
図３５は、図３４を参照して説明した一つの単一信号フレーム内に使用されるインタリービングシードを効果的に変えるための周波数インタリーバの論理的動作メカニズム及び関連パラメータを示す。
【０４９７】
上述したように、本発明では、一つのメインインタリービングシードを任意のシンボルオフセットだけサイクリックシフトし、多様なインタリービングシードを効率的に生成することができる。図面に示したように、本発明では、上述したシンボルオフセットを毎ペアワイズＯＦＤＭシンボルごとに異なる形に生成し、別個のインタリービングシードを生成することを一実施例とすることができる。この場合、シンボルオフセットは、任意のランダムシンボルオフセット生成器を用いて毎ペアワイズＯＦＤＭシンボルごとに異なる形に発生する。
【０４９８】
以下、論理的動作メカニズムを説明する。
【０４９９】
図３５の下端に位置したブロックに示したように、本発明の一実施例に係る周波数インタリーバ７０２０は、入力されるシンボルインデックスを用いて各信号フレームに含まれた各ＯＦＤＭシンボルに適用するためのシンボルオフセットをランダムに発生させることができる。本発明の一実施例に係るシンボルオフセット（又はランダムシンボルオフセット）は、周波数インタリーバ７０２０に含まれた任意のランダム生成器（又はシンボルオフセット生成器）によって生成することができる。この場合、各シンボルに対するシンボルオフセットは、フレームインデックスがリセットされると、フレームインデックスによって識別される各信号フレーム内の各シンボルに対して発生する。また、本発明の一実施例に係る周波数インタリーバ７０２０は、毎ＯＦＤＭシンボルに対してメインインタリービングシードを発生したシンボルオフセットだけサイクリックシフトし、多様なインタリービングシードを生成することができる。
【０５００】
その後、図３５の上端に位置したブロックに示したように、本発明の一実施例に係る周波数インタリーバ７０２０は、入力されるセルインデックスを用いて各ＯＦＤＭシンボルに含まれた各セルに対してランダムＦＩを行うことができる。本発明の一実施例に係るランダムＦＩパラメータは、周波数インタリーバ７０２０に含まれたランダムＦＩ生成器によって生成することができる。
【０５０１】
図３６は、本発明の一実施例に係る単一信号フレームに適用される周波数インタリービングの論理的動作メカニズムの数式を示す。
【０５０２】
図３６は、上述したシンボルオフセットパラメータ及び各ＯＦＤＭに含まれたセルに適用されるランダムＦＩのパラメータの関係を示す。図面に示したように、毎ＯＦＤＭシンボルに使用されるオフセットは、上述したシンボルオフセット生成器の階層的な構造を通じて発生し得る。この場合、シンボルオフセット生成器は任意のランダム生成器を用いて設計することができる。
【０５０３】
以下の数式は、上述した各メモリバンク内でのインタリービングの変化方法を示す。
【０５０４】
【数４３】
0006267358.tif 000077
Ｔ（Ｋ）は、メインＦＩで使用される、ランダム生成器によって生成されたメインインタリービングシードである。
【数４４】
0006267358.tif 000078
は、ｊ番目のペアワイズＯＦＤＭシンボルで使用される、ランダム生成器によって生成されたランダムシンボルオフセットである。
【０５０５】
【数４５】
0006267358.tif 000079
Ｃj（Ｋ）は、第１シンボルに対する同一のランダムシードである。
【０５０６】
上述した数式１４は、第１ＯＦＤＭシンボルのためのものである。すなわち、ｉ番目のペアワイズＯＦＤＭシンボルの（ｊ  ｍｏｄ  ２）＝０である。上述した数式１５は、第２ＯＦＤＭシンボルに対するものである。すなわち、ｉ番目のペアワイズＯＦＤＭシンボルの（ｊ  ｍｏｄ  ２）＝１である。
【０５０７】
図３７は、入力される順次的ＯＦＤＭシンボルの単一メモリデインタリービングを示す図である。
【０５０８】
図３７は、放送信号送信装置（又は周波数インタリーバ７０２０で使用されたインタリービングシードを毎ペアワイズＯＦＤＭシンボルに適用してデインタリービングを行う放送信号受信装置又は放送信号受信装置の周波数デインタリーバの動作を概念化して示した図である。
【０５０９】
上述したように、本発明の一実施例に係る放送信号受信装置は、単一メモリを用いて上述した周波数インタリービング過程の逆過程を行うことができる。図３７は、入力される順次的ＯＦＤＭシンボルのための単一メモリデインタリービング（ＦＤＩ）を処理する放送信号受信装置の動作を示す。
【０５１０】
本発明の一実施例に係る放送信号受信装置は、上述した周波数インタリーバ７０２０の動作の逆過程を行うことができる。したがって、各デインタリービングシードは、上述したインタリービングシードに対応する。
【０５１１】
図３８は、本発明の他の実施例に係る各メモリバンク内でのインタリービングシードの変更過程を示す。
【０５１２】
図面の上端に位置したブロックは、１番目のＯＦＤＭシンボルに対する数式を示し（ｊ番目のＯＦＤＭシンボルペアの（ｊ  ｍｏｄ  ２）＝０）、図面の下端に位置したブロックは、２番目のＯＦＤＭシンボルに対する数式を示す（ｊ番目のＯＦＤＭシンボルペアの（ｊ  ｍｏｄ  ２）＝１）。
【０５１３】
同図に示されたランダム生成器（ｒａｄｏｍ  ｇｅｎｅｒａｔｏｒ）は、後述するランダムインタリービングシーケンス生成器であって、ランダムインタリービングシーケンス生成器は周波数インタリーバ７０２０に含まれてもよい。
【０５１４】
図３８の上端ブロックに示されたＴ（ｋ）は、ランダムシーケンスであって、本発明のメインランダムインタリービングシーケンス又は単一インタリービングシードと同一の概念として使用することができる。ランダムシーケンスは、ランダムインタリービングシーケンス生成器又は後述するランダムメインシーケンス生成器で生成することができる。
【数４６】
0006267358.tif 000080
は、シンボルオフセットであって、巡回シフト値（ｃｙｃｌｉｃ  ｓｈｉｆｔｉｎｇ  ｖａｌｕｅ）と呼ぶことができ、サブＰＲＢＳシーケンス（ｓｕｂ  ＰＲＢＳ  ｓｅｑｕｅｎｃｅ）に基づいて生成され得る。具体的な内容は後述する。
【０５１５】
各メモリバンクＡ／Ｂ内のＯＦＤＭシンボルペアに対するインタリービング過程は、上述した通りであり、単一インタリービング−シードを使用することができる。利用可能なデータセル（セルマッパ７０１０から出力されたセル）は、一つのＯＦＤＭシンボル内でインタリーブされ得る。本発明の一実施例に係るＮdataは、データセルの数を意味し、Ｎdataの最大値はＮmax又はＭmaxで表すことができる。Ｎmax値は、ＦＦＴモードに応じて変わり得、呼称や当該値は、設計者の意図によって変更可能である。各メモリバンク内のＯＦＤＭシンボルペアのためにインタリーブされたＯＦＤＭシンボルペアは、図３８に示した通りである。
【０５１６】
Ｈｊ（ｋ）は、各ＦＦＴモードに対するインタリービングアドレス又はインタリービングシーケンスを意味する。上述したように、本発明の一実施例に係る周波数インタリーバ７０２０は、一つのＯＦＤＭシンボルに対応するデータセルをランダムにインタリーブして周波数端でのダイバーシティー（ｄｉｖｅｒｓｉｔｙ）を獲得するために使用される。したがって、一つの信号フレームで最大のインタリービングゲインを得るために、本発明の一実施例に係る周波数インタリーバ７０２０は、連続する２つのＯＦＤＭシンボルで構成されたＯＦＤＭシンボルペアに対応するデータセル単位でインタリービングシーケンスを適用することができる。図３８に示したように、互いに異なるインタリービングシードは、ランダムインタリービングシーケンス生成器によって生成されたインタリービングアドレスに基づいて生成されてもよい。また、互いに異なるインタリービングシードは、上述した巡回シフト値に基づいて生成されてもよい。すなわち、毎シンボルペアのための互いに異なるインタリービングアドレスは、毎ＯＦＤＭシンボルペアのための巡回シフト値を使用して生成され得る。
【０５１７】
また、上述したように、本発明の一実施例に係るＯＦＤＭ生成ブロック１０３０は、入力データに対してＩＦＦＴ変換を行うことができる。以下では、ランダムインタリービングシーケンスを生成する周波数インタリーバ７０２０の動作を説明する。ランダムインタリービングシーケンス生成器は、インタリービングアドレス生成器又はインタリービングシーケンス生成器と呼ぶことができ、これは、設計者の意図によって変更可能である。本発明の一実施例に係るインタリービングシーケンス生成器は、第１生成器及び第２生成器を含むことができる。第１生成器は、メインインタリービングシードを生成するためのものであり、第２生成器は、シンボルオフセットを生成するためのものである。第１生成器及び第２生成器の呼称は、設計者の意図によって変更可能である。
【０５１８】
上述したように、本発明の一実施例に係るＦＦＴモード又はＦＦＴサイズは、１Ｋ、２Ｋ、４Ｋ、８Ｋ、１６Ｋ、３２Ｋ、６４Ｋなどであってもよく、これは、設計者の意図によって変更可能な事項である。
【０５１９】
したがって、インタリービングシード又はメインインタリービングシードは、ＦＦＴサイズに基づいて変更可能である。
【０５２０】
以下では、１Ｋ  ＦＦＴモードに対するランダムインタリービングシーケンス生成器（ｒａｎｄｏｍ  ｉｎｔｅｒｌｅａｖｉｎｇ−ｓｅｑｕｅｎｃｅ  ｇｅｎｅｒａｔｏｒ）（又はランダムシード生成器（ｒａｎｄｏｍ  ｓｅｅｄ  ｇｅｎｅｒａｔｏｒ））を説明する。本発明の一実施例に係るランダムインタリービングシーケンス生成器は、上述した周波数インタリーバ７０２０に含まれてもよい。
【０５２１】
本発明の一実施例に係るランダムインタリービングシーケンス生成器は、上述したように、毎ＯＦＤＭシンボルごとに互いに異なるインタリービングシードを適用して周波数ダイバーシティーを獲得することができる。ランダムインタリービングシーケンス生成器の論理的構成（ｌｏｇｉｃａｌ  ｃｏｍｐｏｓｉｔｉｏｎ）は、一つのＯＦＤＭシンボル内のセルをインタリーブするためのランダムメインシーケンス生成器（ｒａｎｄｏｍ  ｍａｉｎ−ｓｅｑｕｅｎｃｅ  ｇｅｎｅｒａｔｏｒ）（又はランダムメインインタリービングシーケンス生成器又はランダムメインインタリービングシード生成器）（Ｃｊ（Ｋ））、及びシンボルオフセットを変更するためのランダムシンボルオフセット生成器（ｒａｎｄｏｍ  ｓｙｍｂｏｌ−ｏｆｆｓｅｔ  ｇｅｎｅｒａｔｏｒ）（
【数４７】
0006267358.tif 000081
）を含むことができる。シンボルオフセットパラメータは、巡回シフト値と呼ぶことができる。
【０５２２】
ランダムメインシーケンス生成器は、上述したランダムＦＩパラメータを生成することができる。すなわち、ランダムメインシーケンス生成器は、単一ＯＦＤＭシンボル内のセルをインタリーブするためのシードを生成することができる。
【０５２３】
本発明の一実施例に係るランダムメインシーケンス生成器は、スプレッダ（ｓｐｒｅａｄｅｒ）及びランダマイザ（ｒａｎｄｏｍｉｚｅｒ）を含むことができ、周波数領域上のランダム性（ｆｕｌｌ  ｒａｎｄｏｍｎｅｓｓ）のためのレンダリング（ｒｅｎｄｅｒｉｎｇ）を行うことができる。本発明では、１Ｋ  ＦＦＴモードの場合、１ビットスプレッダ及び９ビットランダマイザを含むことを一実施例とすることができる。本発明の一実施例に係るランダムメインシーケンス生成器又はランダマイザは、９ビットのバイナリワードシーケンス（ｂｉｎａｒｙ  ｗｏｒｄ  ｓｅｑｕｅｎｃｅ）（又はバイナリシーケンス）に基づいて定義されるメインＰＲＢＳ生成器（ｍａｉｎ−ＰＲＢＳ  ｇｅｎｅｒａｔｏｒ）と呼ぶことができる。本発明の一実施例に係るランダムメインシーケンス生成器又はランダマイザの出力は、メインＰＲＢＳと呼ぶことができる。これは、設計者の意図によって変更可能である。
【０５２４】
本発明の一実施例に係るランダムシンボルオフセット生成器（ｒａｎｄｏｍ  ｓｙｍｂｏｌ−ｏｆｆｓｅｔ  ｇｅｎｅｒａｔｏｒ）は、毎ＯＦＤＭシンボルのシンボルオフセットを変更することができる。すなわち、上述したシンボルオフセットを生成することができる。ランダムシンボルオフセット生成器は、ｋビットスプレッダ及び（Ｘ−ｋ）ビットのランダマイザを含むことができ、時間領域上で２ｋだけのスプレッディング（ｓｐｒｅａｄｉｎｇ）のためのレンダリングを行うことができる。Ｘ値は、ＦＦＴモードごとに異に設定されてもよい。本発明では、１Ｋ  ＦＦＴモードの場合、（１０−ｋ）ビットランダマイザであることを一実施例とすることができる。本発明の一実施例に係る（Ｘ−ｋ）ビットのランダマイザ又はランダムシンボルオフセット生成器は、（１０−ｋ）ビットバイナリワードシーケンス（又はバイナリシーケンス）に基づいて定義されるサブＰＲＢＳ生成器と呼ぶことができる。また、本発明の一実施例に係る（Ｘ−ｋ）ビットのランダマイザ又はランダムシンボルオフセット生成器の出力は、サブＰＲＢＳシーケンスと呼ぶことができる。これは、設計者の意図によって変更可能である。
【０５２５】
上述したスプレッダ及びランダマイザは、インタリービングシードの生成時に、スプレッディング効果とランダム効果を発生させるために使用することができる。
【０５２６】
また、インタリービング値を生成するための実施例において、ＰＲＢＳ動作オーダーは、一つの信号フレーム内の最初及び最後のＯＦＤＭシンボルでのアクティブキャリアの数の変更によって修正され得る。
【０５２７】
図３９は、本発明の一実施例に係る１Ｋ  ＦＦＴモードのランダムインタリービングシーケンス生成器を示した図である。
【０５２８】
本発明の一実施例に係る１Ｋ  ＦＦＴモードのランダムインタリービングシーケンス生成器は、スプレッダ（１ビットトグリング（ｔｏｇｇｌｉｎｇ））、ランダマイザ、ランダムシンボルオフセット生成器、モジュロオペレータ（ｍｏｄｕｌｏ  ｏｐｅｒａｔｏｒ）、メモリインデックスチェック（ｍｅｍｏｒｙ−ｉｎｄｅｘ  ｃｈｅｃｋ）ブロックを含むことができる。上述したように、ランダムメインシーケンス生成器は、スプレッダ及びランダマイザを含むことができる。
【０５２９】
このようなメモリインデックスチェックブロック及びモジュロオペレータの位置は、単一メモリを有する周波数デインタリーバのデインタリービングパフォーマンスを増加させるためのものである。上述したように、本発明の一実施例に係る信号フレーム（又はフレーム）は、ノーマルデータシンボル（又はデータシンボル）、フレームエッジシンボル及びフレームシグナリングシンボルを含むことができる。この場合、フレームエッジシンボル及びフレームシグナリングシンボルは、ノーマルデータシンボルよりも長さが短いため、単一メモリを有する周波数デインタリーバのデインタリービングパフォーマンスが低下し得る。したがって、本発明では、周波数デインタリービングパフォーマンスを増加させるために、メモリインデックスチェックの前に行われるモジュロオペレータの動作を提案する。
【０５３０】
以下、各ブロックの動作を説明する。
【０５３１】
（セル）スプレッダは、全体１０ビットのうちｎビットの上位部分を用いて動作することができ、ルックアップテーブル（ｌｏｏｋ−ｕｐ  ｔａｂｌｅ）をベースとするマルチプレクサとして動作可能である。１Ｋ  ＦＦＴモードの場合、１ビットマルチプレクサ（又はトグリング）となり得る。
【０５３２】
ランダマイザは、ＰＮ生成器を通じて動作し、インタリービング時にランダム性（ｆｕｌｌ  ｒａｎｄｏｍｎｅｓｓ）を提供することができる。上述したように、１Ｋ  ＦＦＴモードの場合、９ビットを考慮したＰＮ生成器となり得る。これは、設計者の意図によって変更可能である。また、スプレッダ及びランダマイザは、それぞれマルチプレクサ及びＰＮ生成器を通じて動作することができる。
【０５３３】
ランダムオフセット生成器は、毎ペアワイズＯＦＤＭシンボルごとにランダムメインインタリービングシーケンス生成器によって発生するメインインタリービングシーケンスを巡回シフトするためのシンボルオフセットを生成することができる。具体的な動作は、上述した通りであるので省略する。
【０５３４】
モジュロオペレータは、入力値がＮdata又はＮmaxを超える場合に動作することができる。１Ｋ  ＦＦＴモードのためのＮdata（Ｎmax）の最大値は１０２４であってもよい。
【０５３５】
その後、メモリインデックスチェックブロックは、スプレッダ及びランダマイザによって発生するメモリインデックス値がＮdata又はＮdataの最大値（Ｎmax）よりも大きい場合、モジュロオペレータから出力された出力値を使用せず、繰り返してスプレッダとランダマイザを動作させ、出力メモリインデックス値がＮdata又はＮdataの最大値（Ｎmax）を超えないように調節する役割を果たすことができる。
【０５３６】
同図に示されたメモリインデックスチェックブロック及びモジュロオペレータの位置は、設計者の意図によって変更可能である。
【０５３７】
図４０は、本発明の一実施例に係る１Ｋ  ＦＦＴモードのランダムインタリービングシーケンス生成器の動作を示す数式である。
【０５３８】
図面の上端に示された数式は、ランダマイザの初期値設定及びＰＰ（原始多項式、ｐｒｉｍｉｔｉｖｅ  ｐｏｌｙｎｏｍｉａｌ）を示す。この場合、ＰＰは、９th  ＰＰであり得、初期値は、任意の値に変更可能である。すなわち、図面の上端に示された数式は、上述したメインＰＲＢＳ生成器を定義するために使用できるバイナリワードシーケンスを示す。
【０５３９】
図面の下端に示された数式は、スプレッダとランダマイザの出力信号に対して互いに異なるインタリービングシーケンスのためのインタリービングアドレスを計算及び出力する過程を示す。数式に示したように、互いに異なるインタリービングシーケンスを計算するためにランダムシンボルオフセット（巡回シフト値）が使用され、一つのランダムシンボルオフセット（巡回シフト値）は、毎ＯＦＤＭシンボルペアに同一に適用することができる。
【０５４０】
上述したように、本発明の一実施例に係るランダムシンボルオフセット生成器は、ｋビットスプレッダ及び（Ｘ−ｋ）ビットランダマイザを含むことができる。
【０５４１】
ｋビットスプレッダは、２kマルチプレクサを通じて動作し、シンボル間のスプレッディング性質を最大化（又はコリレーション（ｃｏｒｒｅｌａｔｉｏｎ）性質を最小化）するように最適化して設計することができる。
【０５４２】
ランダマイザは、ＮビットＰＮ生成器（又はＮビットサブＰＲＢＳ生成器）を通じて動作し、ランダム性（ｒａｎｄｏｍｎｅｓｓ）を提供するように設計することができる。
【０５４３】
１Ｋ  ＦＦＴモードのランダムシンボルオフセット生成器は、０／１／２ビットスプレッダ及び１０／９／８ビットランダム生成器（又はＰＮ生成器）を含むことができる。これは、設計者の意図によって変更可能である。
【０５４４】
図４１は、本発明の一実施例に係る１Ｋ  ＦＦＴモードの０ビットスプレッダと１０ビットＰＮ生成器を含むランダムシンボルオフセット生成器、及びランダムシンボルオフセット生成器の動作を示した数式である。
【０５４５】
（ａ）は、０ビットスプレッダと１０ビットＰＮ生成器を含むランダムシンボルオフセット生成器を示し、（ｂ）は、１Ｋ  ＦＦＴモードのランダムシンボルオフセット生成器の動作を示した数式を示す。
【０５４６】
（ａ）に示されたランダムシンボルオフセット生成器は、毎ペアワイズＯＦＤＭシンボルごとに動作することができる。
【０５４７】
（ｂ）の上端に示された数式は、ランダマイザの初期値設定及びＰＰ（ｐｒｉｍｉｔｉｖｅ  ｐｏｌｙｎｏｍｉａｌ）を示す。この場合、ＰＰは１０th  ＰＰであり得、初期値は任意の値に変更可能である。
【０５４８】
（ｂ）の下端に示された数式は、スプレッダとランダマイザの出力信号に対してシンボルオフセットを計算及び出力する過程を示す。上述したように、シンボルオフセットは、サブＰＲＢＳシーケンスに基づいて計算することができる。数式に示されたように、ランダムシンボルオフセット生成器は、毎ＯＦＤＭシンボルペアごとに動作することができる。したがって、全体出力されるオフセットの長さは、全ＯＦＤＭシンボルの長さの半分に該当する。
【０５４９】
図４２は、本発明の一実施例に係る１Ｋ  ＦＦＴモードの２ビットスプレッダと８ビットＰＮ生成器を含むランダムシンボルオフセット生成器、及びランダムシンボルオフセット生成器の動作を示した数式である。
【０５５０】
（ａ）は、２ビットスプレッダと８ビットＰＮ生成器を含むランダムシンボルオフセット生成器を示し、（ｂ）は、１Ｋ  ＦＦＴモードのランダムシンボルオフセット生成器の動作を示した数式を示す。
【０５５１】
（ａ）に示されたランダムシンボルオフセット生成器は、毎ペアワイズＯＦＤＭシンボルごとに動作することができる。
【０５５２】
（ｂ）の上端に示された数式は、ランダマイザの初期値設定及びＰＰ（ｐｒｉｍｉｔｉｖｅ  ｐｏｌｙｎｏｍｉａｌ）を示す。この場合、ＰＰは８th  ＰＰであり得、初期値は任意の値に変更可能である。
【０５５３】
（ｂ）の下端に示された数式は、スプレッダとランダマイザの出力信号に対してシンボルオフセットを計算及び出力する過程を示す。上述したように、シンボルオフセットは、サブＰＲＢＳシーケンスに基づいて計算することができる。数式に示されたように、ランダムシンボルオフセット生成器は、毎ＯＦＤＭシンボルペアごとに動作することができる。したがって、全体出力されるオフセットの長さは、全ＯＦＤＭシンボルの長さの半分に該当する。
【０５５４】
図４３は、本発明の一実施例に係る１Ｋ  ＦＦＴモードのランダムインタリービングシーケンス生成器の論理的構造図を示す。
【０５５５】
上述したように、本発明の一実施例に係る１Ｋ  ＦＦＴモードのランダムインタリービングシーケンス生成器は、ランダムメインインタリービングシード生成器、ランダムシンボルオフセット生成器、メモリインデックスチェックブロック及びモジュロオペレータを含むことができる。
【０５５６】
図４３は、ランダムメインインタリービングシード生成器及びランダムシンボルオフセット生成器が結合された１Ｋ  ＦＦＴモードのランダムインタリービングシーケンス生成器の論理的構造を示す。図４３は、ランダムメインインタリービングシード生成器は１ビットスプレッダ及び９ビットランダマイザを含み、ランダムシンボルオフセット生成器は２ビットスプレッダ及び８ビットランダマイザを含む場合の実施例を示す。具体的な説明は、上述した通りであるので省略する。
【０５５７】
以下では、１Ｋ  ＦＦＴモードのランダムインタリービングシーケンス生成器の他の実施例を説明する。
【０５５８】
１Ｋ  ＦＦＴモードのランダムインタリービングシーケンス生成器の他の実施例は、ランダムメインインタリービングシーケンス生成器のランダマイザがビットシャフリングをさらに含むという点で異なる。
【０５５９】
図４４は、本発明の他の実施例に係る１Ｋ  ＦＦＴモードのランダムインタリービングシーケンス生成器を示した図である。
【０５６０】
本発明の他の実施例に係る１Ｋ  ＦＦＴモードのランダムインタリービングシーケンス生成器は、スプレッダ（１ビットトグリング）、ランダマイザ、ランダムシンボルオフセット生成器、モジュロオペレータ、メモリインデックスチェックブロックを含むことができる。上述したように、ランダムインタリービングシーケンス生成器は、スプレッダ及びランダマイザを含むことができる。
【０５６１】
ビットシャフリングを除いた残りのブロックの動作は、上述した通りであるので省略する。
【０５６２】
ランダマイザは、ＰＮ生成器（又はＰＲＢＳ生成器）を通じて動作し、インタリービング時にランダム性（ｆｕｌｌ  ｒａｎｄｏｍｎｅｓｓ）を提供することができる。本発明の一実施例に係るランダマイザはビットシャフリングを含むことができる。ビットシャフリングは、スプレッディング性質又はランダム性質を最適化する機能を行い、Ｎdataを考慮して設計される。１Ｋ  ＦＦＴモードの場合、９ビットＰＮ生成器を使用することができ、これは変更可能である。
【０５６３】
図４５は、本発明の一実施例に係る１Ｋ  ＦＦＴモードのビットシャフリング及び１Ｋ  ＦＦＴモードのランダムインタリービングシーケンス生成器の動作を示す数式である。
【０５６４】
（ａ）は、上述した１Ｋ  ＦＦＴモードのビットシャフリングを示し、（ｂ）は、１Ｋ  ＦＦＴモードのランダムインタリービングシーケンス生成器の動作を示す数式である。
【０５６５】
（ａ）に示したように、１Ｋ  ＦＦＴモードのビットシャフリングは、メモリインデックスの計算時に、ＰＮ生成器のレジスタのビットを混ぜることができる。
【０５６６】
（ａ）の上端は、ビットシャフリングの動作を示し、下端は、９ビットの場合、ビットシャフリングの実施例を示す。
【０５６７】
（ｂ）の上端に示された数式は、ランダマイザの初期値設定及びＰＰ（ｐｒｉｍｉｔｉｖｅ  ｐｏｌｙｎｏｍｉａｌ）を示す。この場合、ＰＰは９th  ＰＰであり得、初期値は任意の値に変更可能である。すなわち、図面の上端に示された数式は、上述したメインＰＲＢＳ生成器を定義するために使用できるバイナリワードシーケンスを示す。
【０５６８】
（ｂ）の下端に示された数式は、スプレッダとランダマイザの出力信号に対して互いに異なるインタリービングシーケンスのためのインタリービングアドレスを計算及び出力する過程を示す。数式に示されたように、互いに異なるインタリービングシーケンスを計算するためにランダムシンボルオフセット（巡回シフト値）が使用され、一つのランダムシンボルオフセット（巡回シフト値）は、毎ＯＦＤＭシンボルペアに同一に適用することができる。
【０５６９】
以下では、２Ｋ  ＦＦＴモードに対するランダムインタリービングシーケンス生成器（又はランダムシード生成器）を説明する。本発明の一実施例に係るランダムインタリービングシーケンス生成器は、上述した周波数インタリーバ７０２０に含まれてもよく、ランダムシード生成器とほぼ同様であるが、構造が異なる。
【０５７０】
本発明の一実施例に係るランダムインタリービングシーケンス生成器は、上述したように、毎ＯＦＤＭシンボルごとに互いに異なるインタリービングシードを適用して周波数ダイバーシティーを獲得することができる。ランダムインタリービングシーケンス生成器の論理的構成（ｌｏｇｉｃａｌ  ｃｏｍｐｏｓｉｔｉｏｎ）は、一つのＯＦＤＭシンボル内のセルをインタリーブするためのランダムメインシーケンス生成器（ｒａｎｄｏｍ  ｍａｉｎ−ｓｅｑｕｅｎｃｅ  ｇｅｎｅｒａｔｏｒ）（又はランダムメインインタリービングシーケンス生成器又はランダムメインインタリービングシード生成器）（Ｃｊ（Ｋ））、及びシンボルオフセットを変更するためのランダムシンボルオフセット生成器（ｒａｎｄｏｍ  ｓｙｍｂｏｌ−ｏｆｆｓｅｔ  ｇｅｎｅｒａｔｏｒ）（ ）を含むことができる。シンボルオフセットパラメータは、巡回シフト値と呼ぶことができる。
【０５７１】
ランダムメインシーケンス生成器は、上述したランダムＦＩパラメータを生成することができる。すなわち、ランダムメインシーケンス生成器は、単一ＯＦＤＭシンボル内のセルをインタリーブするためのシードを生成することができる。
【０５７２】
本発明の一実施例に係るランダムメインシーケンス生成器は、スプレッダ（ｓｐｒｅａｄｅｒ）及びランダマイザ（ｒａｎｄｏｍｉｚｅｒ）を含むことができ、周波数領域上のランダム性（ｆｕｌｌ  ｒａｎｄｏｍｎｅｓｓ）のためのレンダリング（ｒｅｎｄｅｒｉｎｇ）を行うことができる。本発明では、２Ｋ  ＦＦＴモードの場合、１ビットスプレッダ及び１０ビットランダマイザを含むことを一実施例とすることができる。本発明の一実施例に係るランダムメインシーケンス生成器又はランダマイザは、１０ビットのバイナリワードシーケンス（ｂｉｎａｒｙ  ｗｏｒｄ  ｓｅｑｕｅｎｃｅ）（又はバイナリシーケンス）に基づいて定義されるメインＰＲＢＳ生成器（ｍａｉｎ−ＰＲＢＳ  ｇｅｎｅｒａｔｏｒ）と呼ぶことができる。本発明の一実施例に係るランダムメインシーケンス生成器又はランダマイザの出力は、メインＰＲＢＳと呼ぶことができる。これは、設計者の意図によって変更可能である。
【０５７３】
本発明の一実施例に係るランダムシンボルオフセット生成器（ｒａｎｄｏｍ  ｓｙｍｂｏｌ−ｏｆｆｓｅｔ  ｇｅｎｅｒａｔｏｒ）は、毎ＯＦＤＭシンボルのシンボルオフセットを変更することができる。すなわち、上述したシンボルオフセットを生成することができる。ランダムシンボルオフセット生成器は、ｋビットスプレッダ及び（Ｘ−ｋ）ビットのランダマイザを含むことができ、時間領域上で２ｋだけのスプレッディング（ｓｐｒｅａｄｉｎｇ）のためのレンダリングを行うことができる。Ｘ値は、ＦＦＴモードごとに異に設定されてもよい。本発明では、２Ｋ  ＦＦＴモードの場合、（１１−ｋ）ビットランダマイザであることを一実施例とすることができる。本発明の一実施例に係る（Ｘ−ｋ）ビットのランダマイザ又はランダムシンボルオフセット生成器は、（１１−ｋ）ビットバイナリワードシーケンス（又はバイナリシーケンス）に基づいて定義されるサブＰＲＢＳ生成器と呼ぶことができる。また、本発明の一実施例に係る（Ｘ−ｋ）ビットのランダマイザ又はランダムシンボルオフセット生成器の出力は、サブＰＲＢＳシーケンスと呼ぶことができる。これは、設計者の意図によって変更可能である。
【０５７４】
上述したスプレッダ及びランダマイザは、インタリービングシードの生成時に、スプレッディング効果とランダム効果を発生させるために使用することができる。
【０５７５】
また、インタリービング値を生成するための実施例において、ＰＲＢＳ動作オーダーは、一つの信号フレーム内の最初及び最後のＯＦＤＭシンボルでのアクティブキャリアの数の変更によって修正され得る。
【０５７６】
図４６は、本発明の一実施例に係る２Ｋ  ＦＦＴモードのランダムインタリービングシーケンス生成器を示した図である。
【０５７７】
本発明の一実施例に係る２Ｋ  ＦＦＴモードのランダムインタリービングシーケンス生成器は、スプレッダ（１ビットトグリング（ｔｏｇｇｌｉｎｇ））、ランダマイザ、ランダムシンボルオフセット生成器、モジュロオペレータ（ｍｏｄｕｌｏ  ｏｐｅｒａｔｏｒ）、メモリインデックスチェック（ｍｅｍｏｒｙ−ｉｎｄｅｘ  ｃｈｅｃｋ）ブロックを含むことができる。上述したように、ランダムメインシーケンス生成器は、スプレッダ及びランダマイザを含むことができる。
【０５７８】
このようなメモリインデックスチェックブロック及びモジュロオペレータの位置は、単一メモリを有する周波数デインタリーバのデインタリービングパフォーマンスを増加させるためのものである。上述したように、本発明の一実施例に係る信号フレーム（又はフレーム）は、ノーマルデータシンボル（又はデータシンボル）、フレームエッジシンボル及びフレームシグナリングシンボルを含むことができる。この場合、フレームエッジシンボル及びフレームシグナリングシンボルは、ノーマルデータシンボルよりも長さが短いため、単一メモリを有する周波数デインタリーバのデインタリービングパフォーマンスが低下し得る。したがって、本発明では、周波数デインタリービングパフォーマンスを増加させるために、メモリインデックスチェックの前に行われるモジュロオペレータの動作を提案する。
【０５７９】
以下、各ブロックの動作を説明する。
【０５８０】
（セル）スプレッダは、全体１１ビットのうちｎビットの上位部分を用いて動作することができ、ルックアップテーブル（ｌｏｏｋ−ｕｐ  ｔａｂｌｅ）をベースとするマルチプレクサとして動作可能である。２Ｋ  ＦＦＴモードの場合、１ビットマルチプレクサ（又はトグリング）となり得る。
【０５８１】
ランダマイザは、ＰＮ生成器を通じて動作し、インタリービング時にランダム性（ｆｕｌｌ  ｒａｎｄｏｍｎｅｓｓ）を提供することができる。上述したように、２Ｋ  ＦＦＴモードの場合、１０ビットを考慮したＰＮ生成器となり得る。これは、設計者の意図によって変更可能である。また、スプレッダ及びランダマイザは、それぞれマルチプレクサ及びＰＮ生成器を通じて動作することができる。
【０５８２】
ランダムオフセット生成器は、毎ペアワイズＯＦＤＭシンボルごとにランダムメインインタリービングシーケンス生成器によって発生するメインインタリービングシーケンスを巡回シフトするためのシンボルオフセットを生成することができる。具体的な動作は、上述した通りであるので省略する。
【０５８３】
モジュロオペレータは、入力値がＮdata又はＮmaxを超える場合に動作することができる。２Ｋ  ＦＦＴモードのためのＮdata（Ｎmax）の最大値は２０４８であってもよい。
【０５８４】
その後、メモリインデックスチェックブロックは、スプレッダ及びランダマイザによって発生するメモリインデックス値がＮdata又はＮdataの最大値（Ｎmax）よりも大きい場合、モジュロオペレータから出力された出力値を使用せず、繰り返してスプレッダとランダマイザを動作させ、出力メモリインデックス値がＮdata又はＮdataの最大値（Ｎmax）を超えないように調節する役割を果たすことができる。
【０５８５】
同図に示されたメモリインデックスチェックブロック及びモジュロオペレータの位置は、設計者の意図によって変更可能である。
【０５８６】
図４７は、本発明の一実施例に係る２Ｋ  ＦＦＴモードのランダムインタリービングシーケンス生成器の動作を示す数式である。
【０５８７】
図面の上端に示された数式は、ランダマイザの初期値設定及びＰＰ（原始多項式、ｐｒｉｍｉｔｉｖｅ  ｐｏｌｙｎｏｍｉａｌ）を示す。この場合、ＰＰは１０th  ＰＰであり得、初期値は任意の値に変更可能である。すなわち、図面の上端に示された数式は、上述したメインＰＲＢＳ生成器を定義するために使用できるバイナリワードシーケンスを示す。
【０５８８】
図面の下端に示された数式は、スプレッダとランダマイザの出力信号に対して互いに異なるインタリービングシーケンスのためのインタリービングアドレスを計算及び出力する過程を示す。数式に示されたように、互いに異なるインタリービングシーケンスを計算するためにランダムシンボルオフセット（巡回シフト値）が使用され、一つのランダムシンボルオフセット（巡回シフト値）は、毎ＯＦＤＭシンボルペアに同一に適用することができる。上述したように、本発明の一実施例に係るランダムシンボルオフセット生成器は、ｋビットスプレッダ及び（Ｘ−ｋ）ビットランダマイザを含むことができる。
【０５８９】
ｋビットスプレッダは、２kマルチプレクサを通じて動作し、シンボル間のスプレッディング性質を最大化（又はコリレーション（ｃｏｒｒｅｌａｔｉｏｎ）性質を最小化）するように最適化して設計することができる。
【０５９０】
ランダマイザは、ＮビットＰＮ生成器（又はＮビットサブＰＲＢＳ生成器）を通じて動作し、ランダム性（ｒａｎｄｏｍｎｅｓｓ）を提供するように設計することができる。
【０５９１】
２Ｋ  ＦＦＴモードのランダムシンボルオフセット生成器は、０／１／２ビットスプレッダ及び１１／１０／９ビットランダム生成器（又はＰＮ生成器）を含むことができる。これは、設計者の意図によって変更可能である。
【０５９２】
図４８は、本発明の一実施例に係る２Ｋ  ＦＦＴモードの０ビットスプレッダと１１ビットＰＮ生成器を含むランダムシンボルオフセット生成器、及びランダムシンボルオフセット生成器の動作を示した数式である。
【０５９３】
（ａ）は、０ビットスプレッダと１１ビットＰＮ生成器を含むランダムシンボルオフセット生成器を示し、（ｂ）は、２Ｋ  ＦＦＴモードのランダムシンボルオフセット生成器の動作を示した数式を示す。
【０５９４】
（ａ）に示されたランダムシンボルオフセット生成器は、毎ペアワイズＯＦＤＭシンボルごとに動作することができる。
【０５９５】
（ｂ）の上端に示された数式は、ランダマイザの初期値設定及びＰＰ（ｐｒｉｍｉｔｉｖｅ  ｐｏｌｙｎｏｍｉａｌ）を示す。この場合、ＰＰは１１th  ＰＰであり得、初期値は任意の値に変更可能である。
【０５９６】
（ｂ）の下端に示された数式は、スプレッダとランダマイザの出力信号に対してシンボルオフセットを計算及び出力する過程を示す。上述したように、シンボルオフセットは、サブＰＲＢＳシーケンスに基づいて計算することができる。数式に示されたように、ランダムシンボルオフセット生成器は、毎ＯＦＤＭシンボルペアごとに動作することができる。したがって、全体出力されるオフセットの長さは、全ＯＦＤＭシンボルの長さの半分に該当する。
【０５９７】
図４９は、本発明の一実施例に係る２Ｋ  ＦＦＴモードの２ビットスプレッダと９ビットＰＮ生成器を含むランダムシンボルオフセット生成器、及びランダムシンボルオフセット生成器の動作を示した数式である。
【０５９８】
（ａ）は、２ビットスプレッダと９ビットＰＮ生成器を含むランダムシンボルオフセット生成器を示し、（ｂ）は２Ｋ  ＦＦＴモードのランダムシンボルオフセット生成器の動作を示した数式を示す。
【０５９９】
（ａ）に示されたランダムシンボルオフセット生成器は、毎ペアワイズＯＦＤＭシンボルごとに動作することができる。
【０６００】
（ｂ）の上端に示された数式は、ランダマイザの初期値設定及びＰＰ（ｐｒｉｍｉｔｉｖｅ  ｐｏｌｙｎｏｍｉａｌ）を示す。この場合、ＰＰは９th  ＰＰであり得、初期値は任意の値に変更可能である。
【０６０１】
（ｂ）の下端に示された数式は、スプレッダとランダマイザの出力信号に対してシンボルオフセットを計算及び出力する過程を示す。上述したように、シンボルオフセットは、サブＰＲＢＳシーケンスに基づいて計算することができる。数式に示されたように、ランダムシンボルオフセット生成器は、毎ＯＦＤＭシンボルペアごとに動作することができる。したがって、全体出力されるオフセットの長さは、全ＯＦＤＭシンボルの長さの半分に該当する。
【０６０２】
図５０は、本発明の一実施例に係る２Ｋ  ＦＦＴモードのランダムインタリービングシーケンス生成器の論理的構造図を示す。
【０６０３】
上述したように、本発明の一実施例に係る２Ｋ  ＦＦＴモードのランダムインタリービングシーケンス生成器は、ランダムメインインタリービングシード生成器、ランダムシンボルオフセット生成器、メモリインデックスチェックブロック及びモジュロオペレータを含むことができる。
【０６０４】
図５０は、ランダムメインインタリービングシード生成器及びランダムシンボルオフセット生成器が結合された１Ｋ  ＦＦＴモードのランダムインタリービングシーケンス生成器の論理的構造を示す。図５０は、ランダムメインインタリービングシード生成器は１ビットスプレッダ及び１０ビットランダマイザを含み、ランダムシンボルオフセット生成器は２ビットスプレッダ及び９ビットランダマイザを含む場合の実施例を示す。具体的な説明は、上述した通りであるので省略する。
【０６０５】
以下では、２Ｋ  ＦＦＴモードのランダムインタリービングシーケンス生成器の他の実施例を説明する。
【０６０６】
２Ｋ  ＦＦＴモードのランダムインタリービングシーケンス生成器の他の実施例は、ランダムメインインタリービングシーケンス生成器のランダマイザがビットシャフリングをさらに含むという点で異なる。
【０６０７】
図５１は、本発明の他の実施例に係る２Ｋ  ＦＦＴモードのランダムインタリービングシーケンス生成器を示した図である。
【０６０８】
本発明の他の実施例に係る２Ｋ  ＦＦＴモードのランダムインタリービングシーケンス生成器は、スプレッダ（１ビットトグリング）、ランダマイザ、ランダムシンボルオフセット生成器、モジュロオペレータ、メモリインデックスチェックブロックを含むことができる。上述したように、ランダムインタリービングシーケンス生成器は、スプレッダ及びランダマイザを含むことができる。
【０６０９】
ビットシャフリングを除いた残りのブロックの動作は、上述した通りであるので省略する。
【０６１０】
ランダマイザは、ＰＮ生成器（又はＰＲＢＳ生成器）を通じて動作し、インタリービング時にランダム性（ｆｕｌｌ  ｒａｎｄｏｍｎｅｓｓ）を提供することができる。本発明の一実施例に係るランダマイザはビットシャフリングを含むことができる。ビットシャフリングは、スプレッディング性質又はランダム性質を最適化する機能を行い、Ｎdataを考慮して設計される。２Ｋ  ＦＦＴモードの場合、１０ビットＰＮ生成器を使用することができ、これは変更可能である。
【０６１１】
図５２は、本発明の一実施例に係る２Ｋ  ＦＦＴモードのビットシャフリング及び２Ｋ  ＦＦＴモードのランダムインタリービングシーケンス生成器の動作を示す数式である。
【０６１２】
（ａ）は、上述した２Ｋ  ＦＦＴモードのビットシャフリングを示し、（ｂ）は、２Ｋ  ＦＦＴモードのランダムインタリービングシーケンス生成器の動作を示す数式である。
【０６１３】
（ａ）の上端は、２Ｋ  ＦＦＴモードのビットシャフリングの動作を示し、下端は、１０ビットの場合、２Ｋ  ＦＦＴモードのビットシャフリングの実施例を示す。
【０６１４】
（ａ）に示したように、２Ｋ  ＦＦＴモードのビットシャフリングは、メモリインデックスの計算時にＰＮ生成器のレジスタのビットを混ぜることができる。
【０６１５】
（ｂ）の上端に示された数式は、ランダマイザの初期値設定及びＰＰ（ｐｒｉｍｉｔｉｖｅ  ｐｏｌｙｎｏｍｉａｌ）を示す。この場合、ＰＰは１０th  ＰＰであり得、初期値は任意の値に変更可能である。すなわち、図面の上端に示された数式は、上述したメインＰＲＢＳ生成器を定義するために使用できるバイナリワードシーケンスを示す。
【０６１６】
（ｂ）の下端に示された数式は、スプレッダとランダマイザの出力信号に対して互いに異なるインタリービングシーケンスのためのインタリービングアドレスを計算及び出力する過程を示す。数式に示されたように、互いに異なるインタリービングシーケンスを計算するためにランダムシンボルオフセット（巡回シフト値）が使用され、一つのランダムシンボルオフセット（巡回シフト値）は、毎ＯＦＤＭシンボルペアに同一に適用することができる。
【０６１７】
以下では、６４Ｋ  ＦＦＴモードに対するランダムインタリービングシーケンス生成器（又はランダムシード生成器）を説明する。本発明の一実施例に係るランダムインタリービングシーケンス生成器は、上述した周波数インタリーバ７０２０に含まれてもよく、ランダムシード生成器とほぼ同様であるが、構造が異なる。
【０６１８】
本発明の一実施例に係るランダムインタリービングシーケンス生成器は、上述したように、毎ＯＦＤＭシンボルごとに互いに異なるインタリービングシードを適用して周波数ダイバーシティーを獲得することができる。ランダムインタリービングシーケンス生成器の論理的構成（ｌｏｇｉｃａｌ  ｃｏｍｐｏｓｉｔｉｏｎ）は、一つのＯＦＤＭシンボル内のセルをインタリーブするためのランダムメインシーケンス生成器（ｒａｎｄｏｍ  ｍａｉｎ−ｓｅｑｕｅｎｃｅ  ｇｅｎｅｒａｔｏｒ）（又はランダムメインインタリービングシーケンス生成器又はランダムメインインタリービングシード生成器）（Ｃｊ（Ｋ））、及びシンボルオフセットを変更するためのランダムシンボルオフセット生成器（ｒａｎｄｏｍ  ｓｙｍｂｏｌ−ｏｆｆｓｅｔ  ｇｅｎｅｒａｔｏｒ）（
【数４８】
0006267358.tif 000082
）を含むことができる。シンボルオフセットパラメータは、巡回シフト値と呼ぶことができる。
【０６１９】
ランダムメインシーケンス生成器は、上述したランダムＦＩパラメータを生成することができる。すなわち、ランダムメインシーケンス生成器は、単一ＯＦＤＭシンボル内のセルをインタリーブするためのシードを生成することができる。
【０６２０】
本発明の一実施例に係るランダムメインシーケンス生成器は、スプレッダ（ｓｐｒｅａｄｅｒ）及びランダマイザ（ｒａｎｄｏｍｉｚｅｒ）を含むことができ、周波数領域上のランダム性（ｆｕｌｌ  ｒａｎｄｏｍｎｅｓｓ）のためのレンダリング（ｒｅｎｄｅｒｉｎｇ）を行うことができる。本発明では、６４Ｋ  ＦＦＴモードの場合、１ビットスプレッダ及び１５ビットランダマイザを含むことを一実施例とすることができる。本発明の一実施例に係るランダムメインシーケンス生成器又はランダマイザは、１５ビットのバイナリワードシーケンス（ｂｉｎａｒｙ  ｗｏｒｄ  ｓｅｑｕｅｎｃｅ）（又はバイナリシーケンス）に基づいて定義されるメインＰＲＢＳ生成器（ｍａｉｎ−ＰＲＢＳ  ｇｅｎｅｒａｔｏｒ）と呼ぶことができる。本発明の一実施例に係るランダムメインシーケンス生成器又はランダマイザの出力は、メインＰＲＢＳと呼ぶことができる。これは、設計者の意図によって変更可能である。
【０６２１】
本発明の一実施例に係るランダムシンボルオフセット生成器（ｒａｎｄｏｍ  ｓｙｍｂｏｌ−ｏｆｆｓｅｔ  ｇｅｎｅｒａｔｏｒ）は、毎ＯＦＤＭシンボルのシンボルオフセットを変更することができる。すなわち、上述したシンボルオフセットを生成することができる。ランダムシンボルオフセット生成器は、ｋビットスプレッダ及び（Ｘ−ｋ）ビットのランダマイザを含むことができ、時間領域上で６４Ｋだけのスプレッディング（ｓｐｒｅａｄｉｎｇ）のためのレンダリングを行うことができる。Ｘ値は、ＦＦＴモードごとに異に設定されてもよい。本発明では、６４Ｋ  ＦＦＴモードの場合、（１６−ｋ）ビットランダマイザであることを一実施例とすることができる。本発明の一実施例に係る（Ｘ−ｋ）ビットのランダマイザ又はランダムシンボルオフセット生成器は、（１６−ｋ）ビットバイナリワードシーケンス（又はバイナリシーケンス）に基づいて定義されるサブＰＲＢＳ生成器と呼ぶことができる。また、本発明の一実施例に係る（Ｘ−ｋ）ビットのランダマイザ又はランダムシンボルオフセット生成器の出力は、サブＰＲＢＳシーケンスと呼ぶことができる。これは、設計者の意図によって変更可能である。
【０６２２】
上述したスプレッダ及びランダマイザは、インタリービングシードの生成時に、スプレッディング効果とランダム効果を発生させるために使用することができる。
【０６２３】
また、インタリービング値を生成するための実施例において、ＰＲＢＳ動作オーダーは、一つの信号フレーム内の最初及び最後のＯＦＤＭシンボルでのアクティブキャリアの数の変更によって修正され得る。
【０６２４】
図５３は、本発明の一実施例に係る６４Ｋ  ＦＦＴモードのランダムインタリービングシーケンス生成器を示した図である。
【０６２５】
本発明の一実施例に係る６４Ｋ  ＦＦＴモードのランダムインタリービングシーケンス生成器は、スプレッダ（１ビットトグリング（ｔｏｇｇｌｉｎｇ））、ランダマイザ、ランダムシンボルオフセット生成器、モジュロオペレータ（ｍｏｄｕｌｏ  ｏｐｅｒａｔｏｒ）、メモリインデックスチェック（ｍｅｍｏｒｙ−ｉｎｄｅｘ  ｃｈｅｃｋ）ブロックを含むことができる。上述したように、ランダムメインシーケンス生成器は、スプレッダ及びランダマイザを含むことができる。
【０６２６】
このようなメモリインデックスチェックブロック及びモジュロオペレータの位置は、単一メモリを有する周波数デインタリーバのデインタリービングパフォーマンスを増加させるためのものである。上述したように、本発明の一実施例に係る信号フレーム（又はフレーム）は、ノーマルデータシンボル（又はデータシンボル）、フレームエッジシンボル及びフレームシグナリングシンボルを含むことができる。この場合、フレームエッジシンボル及びフレームシグナリングシンボルは、ノーマルデータシンボルよりも長さが短いため、単一メモリを有する周波数デインタリーバのデインタリービングパフォーマンスが低下し得る。したがって、本発明では、周波数デインタリービングパフォーマンスを増加させるためにメモリインデックスチェックの前に行われるモジュロオペレータの動作を提案する。
【０６２７】
以下、各ブロックの動作を説明する。
【０６２８】
（セル）スプレッダは、全体１６ビットのうちｎビットの上位部分を用いて動作することができ、ルックアップテーブル（ｌｏｏｋ−ｕｐ  ｔａｂｌｅ）をベースとするマルチプレクサとして動作可能である。６４Ｋ  ＦＦＴモードの場合、１ビットマルチプレクサ（又はトグリング）となり得る。
【０６２９】
ランダマイザは、ＰＮ生成器を通じて動作し、インタリービング時にランダム性（ｆｕｌｌ  ｒａｎｄｏｍｎｅｓｓ）を提供することができる。上述したように、６４Ｋ  ＦＦＴモードの場合、１５ビットを考慮したＰＮ生成器となり得る。これは、設計者の意図によって変更可能である。また、スプレッダ及びランダマイザは、それぞれマルチプレクサ及びＰＮ生成器を通じて動作することができる。
【０６３０】
ランダムオフセット生成器は、毎ペアワイズＯＦＤＭシンボルごとにランダムメインインタリービングシーケンス生成器によって発生するメインインタリービングシーケンスを巡回シフトするためのシンボルオフセットを生成することができる。具体的な動作は、上述した通りであるので省略する。
【０６３１】
モジュロオペレータは、入力値がＮdata又はＮmaxを超える場合に動作することができる。６４Ｋ  ＦＦＴモードのためのＮdata（Ｎmax）の最大値は６５５３６であってもよい。
【０６３２】
その後、メモリインデックスチェックブロックは、スプレッダ及びランダマイザによって発生するメモリインデックス値がＮdata又はＮdataの最大値（Ｎmax）よりも大きい場合、モジュロオペレータから出力された出力値を使用せず、繰り返してスプレッダとランダマイザを動作させ、出力メモリインデックス値がＮdata又はＮdataの最大値（Ｎmax）を超えないように調節する役割を果たすことができる。
【０６３３】
同図に示されたメモリインデックスチェックブロック及びモジュロオペレータの位置は、設計者の意図によって変更可能である。
【０６３４】
図５４は、本発明の一実施例に係る６４Ｋ  ＦＦＴモードのランダムインタリービングシーケンス生成器の動作を示す数式である。
【０６３５】
図面の上端に示された数式は、ランダマイザの初期値設定及びＰＰ（原始多項式、ｐｒｉｍｉｔｉｖｅ  ｐｏｌｙｎｏｍｉａｌ）を示す。この場合、ＰＰは１５th  ＰＰであり得、初期値は任意の値に変更可能である。すなわち、図面の上端に示された数式は、上述したメインＰＲＢＳ生成器を定義するために使用できるバイナリワードシーケンスを示す。
【０６３６】
図面の下端に示された数式は、スプレッダとランダマイザの出力信号に対して互いに異なるインタリービングシーケンスのためのインタリービングアドレスを計算及び出力する過程を示す。数式に示されたように、互いに異なるインタリービングシーケンスを計算するためにランダムシンボルオフセット（巡回シフト値）が使用され、一つのランダムシンボルオフセット（巡回シフト値）は、毎ＯＦＤＭシンボルペアに同一に適用することができる。上述したように、本発明の一実施例に係るランダムシンボルオフセット生成器は、ｋビットスプレッダ及び（Ｘ−ｋ）ビットランダマイザを含むことができる。
【０６３７】
ｋビットスプレッダは、６４Ｋマルチプレクサを通じて動作し、シンボル間のスプレッディング性質を最大化（又はコリレーション（ｃｏｒｒｅｌａｔｉｏｎ）性質を最小化）するように最適化して設計することができる。
【０６３８】
ランダマイザは、ＮビットＰＮ生成器（又はＮビットサブＰＲＢＳ生成器）を通じて動作し、ランダム性（ｒａｎｄｏｍｎｅｓｓ）を提供するように設計することができる。
【０６３９】
６４Ｋ  ＦＦＴモードのランダムシンボルオフセット生成器は、０／１／２ビットスプレッダ及び１６／１５／１４ビットランダム生成器（又はＰＮ生成器）を含むことができる。これは、設計者の意図によって変更可能である。
【０６４０】
図５５は、本発明の一実施例に係る６４Ｋ  ＦＦＴモードの０ビットスプレッダと１６ビットＰＮ生成器を含むランダムシンボルオフセット生成器、及びランダムシンボルオフセット生成器の動作を示した数式である。
【０６４１】
（ａ）は、０ビットスプレッダと１６ビットＰＮ生成器を含むランダムシンボルオフセット生成器を示し、（ｂ）は、６４Ｋ  ＦＦＴモードのランダムシンボルオフセット生成器の動作を示した数式を示す。
【０６４２】
（ａ）に示されたランダムシンボルオフセット生成器は、毎ペアワイズＯＦＤＭシンボルごとに動作することができる。
【０６４３】
（ｂ）の上端に示された数式は、ランダマイザの初期値設定及びＰＰ（ｐｒｉｍｉｔｉｖｅ  ｐｏｌｙｎｏｍｉａｌ）を示す。この場合、ＰＰは１６th  ＰＰであり得、初期値は任意の値に変更可能である。
【０６４４】
（ｂ）の下端に示された数式は、スプレッダとランダマイザの出力信号に対してシンボルオフセットを計算及び出力する過程を示す。上述したように、シンボルオフセットは、サブＰＲＢＳシーケンスに基づいて計算することができる。数式に示されたように、ランダムシンボルオフセット生成器は、毎ＯＦＤＭシンボルペアごとに動作することができる。したがって、全体出力されるオフセットの長さは、全ＯＦＤＭシンボルの長さの半分に該当する。
【０６４５】
図５６は、本発明の一実施例に係る６４Ｋ  ＦＦＴモードの２ビットスプレッダと１４ビットＰＮ生成器を含むランダムシンボルオフセット生成器、及びランダムシンボルオフセット生成器の動作を示した数式である。
【０６４６】
（ａ）は、２ビットスプレッダと１４ビットＰＮ生成器を含むランダムシンボルオフセット生成器を示し、（ｂ）は、６４Ｋ  ＦＦＴモードのランダムシンボルオフセット生成器の動作を示した数式を示す。
【０６４７】
（ａ）に示されたランダムシンボルオフセット生成器は、毎ペアワイズＯＦＤＭシンボルごとに動作することができる。
【０６４８】
（ｂ）の上端に示された数式は、ランダマイザの初期値設定及びＰＰ（ｐｒｉｍｉｔｉｖｅ  ｐｏｌｙｎｏｍｉａｌ）を示す。この場合、ＰＰは１４th  ＰＰであり得、初期値は任意の値に変更可能である。
【０６４９】
（ｂ）の下端に示された数式は、スプレッダとランダマイザの出力信号に対してシンボルオフセットを計算及び出力する過程を示す。上述したように、シンボルオフセットは、サブＰＲＢＳシーケンスに基づいて計算することができる。数式に示されたように、ランダムシンボルオフセット生成器は、毎ＯＦＤＭシンボルペアごとに動作することができる。したがって、全体出力されるオフセットの長さは、全ＯＦＤＭシンボルの長さの半分に該当する。
【０６５０】
図５７は、本発明の一実施例に係る６４Ｋ  ＦＦＴモードのランダムインタリービングシーケンス生成器の論理的構造図を示す。
【０６５１】
上述したように、本発明の一実施例に係る６４Ｋ  ＦＦＴモードのランダムインタリービングシーケンス生成器は、ランダムメインインタリービングシード生成器、ランダムシンボルオフセット生成器、メモリインデックスチェックブロック及びモジュロオペレータを含むことができる。
【０６５２】
図５７は、ランダムメインインタリービングシード生成器及びランダムシンボルオフセット生成器が結合された６４Ｋ  ＦＦＴモードのランダムインタリービングシーケンス生成器の論理的構造を示す。図５７は、ランダムメインインタリービングシード生成器は１ビットスプレッダ及び１５ビットランダマイザを含み、ランダムシンボルオフセット生成器は２ビットスプレッダ及び１４ビットランダマイザを含む場合の実施例を示す。具体的な説明は、上述した通りであるので省略する。
【０６５３】
以下では、６４Ｋ  ＦＦＴモードのランダムインタリービングシーケンス生成器の他の実施例を説明する。
【０６５４】
６４Ｋ  ＦＦＴモードのランダムインタリービングシーケンス生成器の他の実施例は、ランダムメインインタリービングシーケンス生成器のランダマイザがビットシャフリングをさらに含むという点で異なる。
【０６５５】
図５８は、本発明の他の実施例に係る６４Ｋ  ＦＦＴモードのランダムインタリービングシーケンス生成器を示した図である。
【０６５６】
本発明の他の実施例に係る６４Ｋ  ＦＦＴモードのランダムインタリービングシーケンス生成器は、スプレッダ（１ビットトグリング）、ランダマイザ、ランダムシンボルオフセット生成器、モジュロオペレータ、メモリインデックスチェックブロックを含むことができる。上述したように、ランダムインタリービングシーケンス生成器は、スプレッダ及びランダマイザを含むことができる。
【０６５７】
ビットシャフリングを除いた残りのブロックの動作は、上述した通りであるので省略する。
【０６５８】
ランダマイザは、ＰＮ生成器（又はＰＲＢＳ生成器）を通じて動作し、インタリービング時にランダム性（ｆｕｌｌ  ｒａｎｄｏｍｎｅｓｓ）を提供することができる。本発明の一実施例に係るランダマイザはビットシャフリングを含むことができる。ビットシャフリングは、スプレッディング性質又はランダム性質を最適化する機能を行い、Ｎdataを考慮して設計される。６４Ｋ  ＦＦＴモードの場合、１５ビットＰＮ生成器を使用することができ、これは変更可能である。
【０６５９】
図５９は、本発明の一実施例に係る６４Ｋ  ＦＦＴモードのビットシャフリング及び６４Ｋ  ＦＦＴモードのランダムインタリービングシーケンス生成器の動作を示す数式である。
【０６６０】
（ａ）は、上述した６４Ｋ  ＦＦＴモードのビットシャフリングを示し、（ｂ）は、６４Ｋ  ＦＦＴモードのランダムインタリービングシーケンス生成器の動作を示す数式である。
【０６６１】
（ａ）の上端は、６４Ｋ  ＦＦＴモードのビットシャフリングの動作を示し、下端は、１５ビットの場合、６４Ｋ  ＦＦＴモードのビットシャフリングの実施例を示す。
【０６６２】
（ａ）に示したように、６４Ｋ  ＦＦＴモードのビットシャフリングは、メモリインデックスの計算時にＰＮ生成器のレジスタのビットを混ぜることができる。
【０６６３】
（ｂ）の上端に示された数式は、ランダマイザの初期値設定及びＰＰ（ｐｒｉｍｉｔｉｖｅ  ｐｏｌｙｎｏｍｉａｌ）を示す。この場合、ＰＰは１５th  ＰＰであり得、初期値は任意の値に変更可能である。すなわち、図面の上端に示された数式は、上述したメインＰＲＢＳ生成器を定義するために使用できるバイナリワードシーケンスを示す。
【０６６４】
（ｂ）の下端に示された数式は、スプレッダとランダマイザの出力信号に対して互いに異なるインタリービングシーケンスのためのインタリービングアドレスを計算及び出力する過程を示す。数式に示されたように、互いに異なるインタリービングシーケンスを計算するためにランダムシンボルオフセット（巡回シフト値）が使用され、一つのランダムシンボルオフセット（巡回シフト値）は、毎ＯＦＤＭシンボルペアに同一に適用することができる。
【０６６５】
図６０は、本発明の一実施例に係る放送信号送信方法のフローチャートである。
【０６６６】
本発明の一実施例に係る放送信号送信装置は、サービスデータをエンコードすることができる（Ｓ６００００）。上述したように、サービスデータは、物理層の論理チャネルに該当するデータパイプを介して伝送することができ、物理層は、サービスデータ又は関連メタデータを伝送することができ、一つ又はそれ以上のサービス又はサービスコンポーネントを伝送することができる。データパイプを介して伝送されるデータは、ＤＰデータ又はサービスデータと呼ぶことができる。具体的なエンコーディング方法は、図１、図５及び図６、図２２で説明した通りである。
【０６６７】
その後、本発明の一実施例に係る放送信号送信装置は、エンコードされたサービスデータを含む少なくとも１つ以上の信号フレームを生成することができる（Ｓ６００１０）。具体的な内容は、図７、及び図１０乃至図２１で説明した通りである。
【０６６８】
この場合、本発明の一実施例に係る放送信号送信装置は、信号フレームのＯＦＤＭシンボルに上述したエンコードされたサービスデータをマッピングした後、周波数インタリービングを行うことができる。具体的に、上述したように、セルマッパ７０１０の基本動作は、各ＤＰデータ、ＰＬＳデータのためのデータセルを、信号フレーム内のＯＦＤＭシンボルのそれぞれに対応するアクティブＯＦＤＭセルのアレイ（ａｒｒａｙ）にマッチングすることにある。その後、周波数インタリーバ７０２０は、単一ＯＦＤＭシンボルを基本として周波数インタリービングを行うことができる。周波数インタリーバ７０２０の目的は、一つのＯＦＤＭシンボル単位で、セルマッパ７０１０から入力されたセルをランダムにインタリーブして周波数ダイバーシティー（ｆｒｅｑｕｅｎｃｙ  ｄｉｖｅｒｓｉｔｙ）を提供することにある。また、本発明では、一つの単一フレーム内で最も大きいインタリービングゲインを得るために、順次的な２つのＯＦＤＭシンボルで構成されたＯＦＤＭシンボルペアのそれぞれに異なるインタリービングシード（ｉｎｔｅｒｌｅａｖｉｎｇ  ｓｅｅｄ）を使用することを一実施例とすることができる。具体的な周波数インタリービング方法は、図３０乃至図５９で説明した通りである。
【０６６９】
その後、本発明の一実施例に係る放送信号送信装置は、生成された少なくとも１つ以上の信号フレームに含まれたデータをＯＦＤＭ方式で変調することができる（Ｓ６００２０）。具体的な内容は、図１及び図８で説明した通りである。
【０６７０】
その後、本発明の一実施例に係る放送信号送信装置は、変調されたデータを含む放送信号を送信することができる（Ｓ６００３０）。具体的な内容は、図１及び図８で説明した通りである。
【０６７１】
図６１は、本発明の一実施例に係る放送信号受信方法のフローチャートである。
【０６７２】
図６１は、図６０で説明した放送信号送信方法の逆過程に該当する。
【０６７３】
本発明の一実施例に係る放送信号受信装置は、放送信号を受信することができる（Ｓ６１０００）。
【０６７４】
その後、本発明の一実施例に係る放送信号受信装置は、受信した放送信号をＯＦＤＭ（Ｏｔｈｏｇｏｎａｌ  Ｆｒｅｑｕｅｎｃｙ  Ｄｉｖｉｓｉｏｎ  Ｍｕｌｔｉｐｌｅｘｉｎｇ）方式で復調することができる（Ｓ６１０１０）。具体的な過程は、図９で説明した通りである。
【０６７５】
その後、本発明の一実施例に係る放送信号受信装置は、復調された放送信号から少なくとも１つ以上の信号フレームを獲得することができる（Ｓ６１０２０）。具体的な過程は、図９で説明した通りである。この場合、本発明の一実施例に係る放送信号受信装置は、上述した周波数インタリービングの逆過程に該当する周波数デインタリービングを行うことができる。具体的な周波数インタリービング方法は、図３０乃至図５９で説明した通りである。
【０６７６】
その後、本発明の一実施例に係る放送信号受信装置は、パーシングされた少なくとも１つ以上の信号フレームに含まれたサービスデータをデコードすることができる（Ｓ６１０３０）。具体的な過程は、図９で説明した通りである。
【０６７７】
上述したように、サービスデータは、物理層の論理チャネルに該当するデータパイプを介して伝送することができ、物理層は、サービスデータ又は関連メタデータを伝送することができ、１つ又はそれ以上のサービス又はサービスコンポーネントを伝送することができる。データパイプを介して伝送されるデータは、ＤＰデータ又はサービスデータと呼ぶことができる。
【０６７８】
本発明の範囲を逸脱しない範囲内で本発明に対する様々な変更及び変形が可能であるということは当業者にとって明らかである。したがって、本発明は、添付の特許請求の範囲及びその同等範囲内で発生した本発明の変更及び変形を全て含むことができる。
【０６７９】
本明細書で装置及び方法の発明が全て言及され、これら装置及び方法の発明の説明は互いに補完して適用することができる。
【０６８０】
上述したように、前記発明を実施するための最良の形態において、関連する事項を記述した。
【産業上の利用可能性】
【０６８１】
上述したように、本発明は、デジタル放送送受信装置又はシステムに全体的又は部分的に適用可能である。
【０６８２】
本発明の範囲を逸脱しない範囲内で本発明に対する様々な変更及び変形が可能であるということは当業者にとって明らかである。したがって、本発明は、添付の特許請求の範囲及びその同等範囲内で発生した本発明の変更及び変形を全て含むことができる。
【図１】
0006267358.tif 000083
【図２】
0006267358.tif 000084
【図３】
0006267358.tif 000085
【図４】
0006267358.tif 000086
【図５】
0006267358.tif 000087
【図６】
0006267358.tif 000088
【図７】
0006267358.tif 000089
【図８】
0006267358.tif 000090
【図９】
0006267358.tif 000091
【図１０】
0006267358.tif 000092
【図１１】
0006267358.tif 000093
【図１２】
0006267358.tif 000094
【図１３】
0006267358.tif 000095
【図１４】
0006267358.tif 000096
【図１５】
0006267358.tif 000097
【図１６】
0006267358.tif 000098
【図１７】
0006267358.tif 000099
【図１８】
0006267358.tif 000100
【図１９】
0006267358.tif 000101
【図２０】
0006267358.tif 000102
【図２１】
0006267358.tif 000103
【図２２】
0006267358.tif 000104
【図２３】
0006267358.tif 000105
【図２４】
0006267358.tif 000106
【図２５】
0006267358.tif 000107
【図２６】
0006267358.tif 000108
【図２７】
0006267358.tif 000109
【図２８】
0006267358.tif 000110
【図２９】
0006267358.tif 000111
【図３０】
0006267358.tif 000112
【図３１】
0006267358.tif 000113
【図３２】
0006267358.tif 000114
【図３３】
0006267358.tif 000115
【図３４】
0006267358.tif 000116
【図３５】
0006267358.tif 000117
【図３６】
0006267358.tif 000118
【図３７】
0006267358.tif 000119
【図３８】
0006267358.tif 000120
【図３９】
0006267358.tif 000121
【図４０】
0006267358.tif 000122
【図４１】
0006267358.tif 000123
【図４２】
0006267358.tif 000124
【図４３】
0006267358.tif 000125
【図４４】
0006267358.tif 000126
【図４５】
0006267358.tif 000127
【図４６】
0006267358.tif 000128
【図４７】
0006267358.tif 000129
【図４８】
0006267358.tif 000130
【図４９】
0006267358.tif 000131
【図５０】
0006267358.tif 000132
【図５１】
0006267358.tif 000133
【図５２】
0006267358.tif 000134
【図５３】
0006267358.tif 000135
【図５４】
0006267358.tif 000136
【図５５】
0006267358.tif 000137
【図５６】
0006267358.tif 000138
【図５７】
0006267358.tif 000139
【図５８】
0006267358.tif 000140
【図５９】
0006267358.tif 000141
【図６０】
0006267358.tif 000142
【図６１】
0006267358.tif 000143